(57)【要約】【課題】安定性と機動性に優れると共に、収差が良好に補正された撮像光学系及びそれを備えた撮像装置を提供する。【解決手段】撮像光学系は、マスター光学系と、複数のレンズを有するコンバーターレンズと、を有し、マスター光学系は、最も像側に配置され、常時位置が固定の後側レンズ群を有し、後側レンズ群は、第１副群と、第２副群と、を有し、第１副群と第２副群との間に、コンバーターレンズを出し入れする所定の空間が設けられ、マスター光学系の焦点距離は、第１状態と第２状態とで異なり、マスター光学系の全長は、第１状態と第２状態とで同じであり、以下の条件式（１）、（２）を満足する。  ０．１２≦ＬconT／ＬT≦０．３      （１）  １．６５≦ＬconT／ＦｂT≦３．５      （２）【選択図】図１
2019120746.tif 000002
【特許請求の範囲】
【請求項１】
マスター光学系と、
複数のレンズを有するコンバーターレンズと、を有し、
前記マスター光学系は、最も像側に配置され、常時位置が固定の後側レンズ群を有し、
前記後側レンズ群は、第１副群と、第２副群と、を有し、
前記第１副群と前記第２副群との間に、前記コンバーターレンズを出し入れする所定の空間が設けられ、
前記マスター光学系の焦点距離は、第１状態と第２状態とで異なり、
前記マスター光学系の全長は、前記第１状態と前記第２状態とで同じであり、
以下の条件式（１）、（２）を満足することを特徴とする撮像光学系。
０．１２≦ＬconT／ＬT≦０．３      （１）
１．６５≦ＬconT／ＦｂT≦３．５      （２）
ここで、
ＬconTは、前記第２状態における無限遠物点合焦時の所定の距離、
ＬTは、前記第１状態における無限遠物点合焦時の前記撮像光学系の全長、
ＦｂTは、前記第１状態における無限遠物点合焦時の前記撮像光学系のバックフォーカス、
前記所定の距離は、前記マスター光学系の焦点距離が最大になる状態での前記コンバーターレンズの最も物体側に位置するレンズ面から像面までの距離、
前記全長は、前記マスター光学系の焦点距離が最大になる状態での前記撮像光学系の最も物体側に位置するレンズ面から像面までの距離、
前記バックフォーカスは、前記マスター光学系の焦点距離が最大になる状態でのバックフォーカス、
前記第１状態は、前記所定の空間に前記コンバーターレンズが挿入されていない状態、
前記第２状態は、前記所定の空間に前記コンバーターレンズが挿入されている状態、
である。
【請求項２】
マスター光学系と、
複数のレンズを有するコンバーターレンズと、を有し、
前記マスター光学系は、最も像側に配置され、常時位置が固定の後側レンズ群を有し、
前記後側レンズ群は、第１副群と、第２副群と、を有し、
前記第１副群と前記第２副群との間に、前記コンバーターレンズを出し入れする所定の空間が設けられ、
前記マスター光学系の焦点距離は、第１状態と第２状態とで異なり、
前記マスター光学系の全長は、前記第１状態と前記第２状態とで同じであり、
以下の条件式（３）を満足することを特徴とする撮像光学系。
−５．０≦ＦｂT／ＲtconR≦０．５      （３）
ここで、
ＦｂTは、前記第１状態における無限遠物点合焦時の前記撮像光学系のバックフォーカス、
ＲtconRは、前記コンバーターレンズの最も像側に位置するレンズ面の曲率半径、
前記バックフォーカスは、前記マスター光学系の焦点距離が最大になる状態でのバックフォーカス、
前記第１状態は、前記所定の空間に前記コンバーターレンズが挿入されていない状態、
前記第２状態は、前記所定の空間に前記コンバーターレンズが挿入されている状態、
である。
【請求項３】
マスター光学系と、
複数のレンズを有するコンバーターレンズと、を有し、
前記マスター光学系は、最も像側に配置され、常時位置が固定の後側レンズ群を有し、
前記後側レンズ群は、第１副群と、第２副群と、を有し、
前記第１副群と前記第２副群との間に、前記コンバーターレンズを出し入れする所定の空間が設けられ、
前記マスター光学系の焦点距離は、第１状態と第２状態とで異なり、
前記マスター光学系の全長は、前記第１状態と前記第２状態とで同じであり、
以下の条件式（１’）、（４）を満足することを特徴とする撮像光学系。
０．１≦ＬconT／ＬT≦０．４４      （１’）
０．１≦ＦｂT／ＲtconF≦２．４      （４）
ここで、
ＬconTは、前記第２状態における無限遠物点合焦時の所定の距離、
ＬTは、前記第１状態における無限遠物点合焦時の前記撮像光学系の全長、
ＦｂTは、前記第１状態における無限遠物点合焦時の前記撮像光学系のバックフォーカス、
ＲtconFは、前記コンバーターレンズの最も物体側に位置するレンズ面の曲率半径、
前記所定の距離は、前記マスター光学系の焦点距離が最大になる状態での前記コンバーターレンズの最も物体側に位置するレンズ面から像面までの距離、
前記全長は、前記マスター光学系の焦点距離が最大になる状態での前記撮像光学系の最も物体側に位置するレンズ面から像面までの距離、
前記バックフォーカスは、前記マスター光学系の焦点距離が最大になる状態でのバックフォーカス、
前記第１状態は、前記所定の空間に前記コンバーターレンズが挿入されていない状態、
前記第２状態は、前記所定の空間に前記コンバーターレンズが挿入されている状態、
である。
【請求項４】
マスター光学系と、
複数のレンズを有するコンバーターレンズと、を有し、
前記マスター光学系は、最も像側に配置され、常時位置が固定の後側レンズ群を有し、
前記後側レンズ群は、第１副群と、第２副群と、を有し、
前記第１副群と前記第２副群との間に、前記コンバーターレンズを出し入れする所定の空間が設けられ、
前記マスター光学系の焦点距離は、第１状態と第２状態とで異なり、
前記マスター光学系の全長は、前記第１状態と前記第２状態とで同じであり、
以下の条件式（３’）、（４’）を満足することを特徴とする撮像光学系。
−５．０≦ＦｂT／ＲtconR≦１．０      （３’）
０．１≦ＦｂT／ＲtconF≦２．６５      （４’）
ここで、
ＦｂTは、前記第１状態における無限遠物点合焦時の前記撮像光学系のバックフォーカス、
ＲtconFは、前記コンバーターレンズの最も物体側に位置するレンズ面の曲率半径、
ＲtconRは、前記コンバーターレンズの最も像側に位置するレンズ面の曲率半径、
前記バックフォーカスは、前記マスター光学系の焦点距離が最大になる状態でのバックフォーカス、
前記第１状態は、前記所定の空間に前記コンバーターレンズが挿入されていない状態、
前記第２状態は、前記所定の空間に前記コンバーターレンズが挿入されている状態、
である。
【請求項５】
マスター光学系と、
複数のレンズ成分を有するコンバーターレンズと、を有し、
前記レンズ成分では、入射側と射出側のみが空気接触面であり、
前記マスター光学系は、最も像側に配置され、常時位置が固定の後側レンズ群を有し、
前記後側レンズ群は、第１副群と、第２副群と、を有し、
前記第１副群と前記第２副群との間に、前記コンバーターレンズを出し入れする所定の空間が設けられ、
前記マスター光学系の焦点距離は、第１状態と第２状態とで異なり、
前記マスター光学系の全長は、前記第１状態と前記第２状態とで同じであり、
前記コンバーターレンズは、テレコンバーターレンズであり、
前記テレコンバーターレンズは、正屈折力の物体側レンズ成分と、正レンズを有する像側レンズ成分と、負屈折力の中間レンズ成分と、を有し、
前記物体側レンズ成分は、最も物体側に位置し、
前記像側レンズ成分は、最も像側に位置し、
前記中間レンズ成分は、前記物体側レンズ成分と前記像側レンズ成分との間に位置し、
前記中間レンズ成分の負屈折力は、負屈折力のレンズ成分のなかで最も大きく、
以下の条件式（５）を満足することを特徴とする撮像光学系。
１．２≦｜ｆconLCObj／ｆconLCM2｜≦ ４．０      （５）
ここで、
ｆconLCObjは、前記物体側レンズ成分の焦点距離、
ｆconLCM2は、前記中間レンズ成分の焦点距離、
前記第１状態は、前記所定の空間に前記コンバーターレンズが挿入されていない状態、
前記第２状態は、前記所定の空間に前記コンバーターレンズが挿入されている状態、
である。
【請求項６】
マスター光学系と、
複数のレンズを有するコンバーターレンズと、を有し、
前記マスター光学系は、最も像側に配置され、常時位置が固定の後側レンズ群を有し、
前記後側レンズ群は、第１副群と、第２副群と、を有し、
前記第１副群と前記第２副群との間に、前記コンバーターレンズを出し入れする所定の空間が設けられ、
前記マスター光学系の焦点距離は、第１状態と第２状態とで異なり、
前記マスター光学系の全長は、前記第１状態と前記第２状態とで同じであり、
前記コンバーターレンズは、テレコンバーターレンズであり、
前記テレコンバーターレンズは、正屈折力の物体側副群と、中間副群と、負屈折力の像側副群と、を有し、
前記物体側副群は、最も物体側に位置し、
前記中間副群は、前記物体側副群よりも像側に位置し、
前記像側副群は、前記中間副群よりも像側に位置し、
前記物体側副群の物体側のレンズ面は、物体側に凸の面であり、
前記像側副群は、正レンズと、負レンズと、を有し、
以下の条件式（６）を満足することを特徴とする撮像光学系。
０．７≦｜ｆconLCOB／ｆconLCB｜≦３．５      （６）
ここで、
ｆconLCOBは、前記物体側副群の焦点距離、
ｆconLCBは、前記像側副群の焦点距離、
前記第１状態は、前記所定の空間に前記コンバーターレンズが挿入されていない状態、
前記第２状態は、前記所定の空間に前記コンバーターレンズが挿入されている状態、
である。
【請求項７】
マスター光学系と、
複数のレンズを有するコンバーターレンズと、を有し、
前記マスター光学系は、最も像側に配置され、常時位置が固定の後側レンズ群を有し、
前記後側レンズ群は、第１副群と、第２副群と、を有し、
前記第１副群と前記第２副群との間に、前記コンバーターレンズを出し入れする所定の空間が設けられ、
前記マスター光学系の焦点距離は、第１状態と第２状態とで異なり、
前記マスター光学系の全長は、前記第１状態と前記第２状態とで同じであり、
前記コンバーターレンズは、テレコンバーターレンズであり、
前記テレコンバーターレンズは、正屈折力の物体側副群と、中間副群と、負屈折力の像側副群と、を有し、
前記物体側副群は、最も物体側に位置し、
前記中間副群は、前記物体側副群よりも像側に位置し、
前記像側副群は、前記中間副群よりも像側に位置し、  
前記物体側副群の物体側のレンズ面は、物体側に凸の面であり、
前記像側副群は、正レンズと、負レンズと、を有し、
以下の条件式（７）を満足することを特徴とする撮像光学系。
２．０≦（ｆT／ＦｎｏT）／ＬTC≦６．０      （７）
ここで、
ｆTは、前記第１状態における前記撮像光学系の焦点距離、
ＦｎｏTは、無限遠物点合焦時の前記マスター光学系のＦナンバー、
ＬTCは、前記コンバーターレンズの最も物体側に位置するレンズ面から最も像側に位置するレンズ面までの距離、
前記焦点距離と前記Ｆナンバーは、それぞれ、前記マスター光学系の焦点距離が最大になる状態での焦点距離とＦナンバー、
前記第１状態は、前記所定の空間に前記コンバーターレンズが挿入されていない状態、
前記第２状態は、前記所定の空間に前記コンバーターレンズが挿入されている状態、
である。
【請求項８】
前記第１副群は正レンズを有することを特徴とする請求項１から７の何れか一項に記載の撮像光学系。
【請求項９】
前記第２副群は所定のレンズを有し、
前記所定のレンズの屈折力の符号は、前記コンバーターレンズの屈折力の符号と逆であることを特徴とする請求項１から８の何れか一項に記載の撮像光学系。
【請求項１０】
前記第２副群は、正レンズと、負レンズと、を有することを特徴とする請求項１から８の何れか一項に記載の撮像光学系。
【請求項１１】
以下の条件式（８）を満足することを特徴とする請求項１から１０の何れか一項に記載の撮像光学系。
｜ΔＦｂT｜／ＦｎｏT≦０．０５（ｍｍ）      （８）
ここで、
ΔＦｂT＝ＦｂT−ＦｂconT、
ＦｂTは、第１状態における無限遠物点合焦時の前記撮像光学系のバックフォーカス、
ＦｂconTは、第２状態における無限遠物点合焦時の前記撮像光学系のバックフォーカス、
ＦｎｏTは、無限遠物点合焦時の前記マスター光学系のＦナンバー、
前記第１状態は、前記所定の空間に前記コンバーターレンズが挿入されていない状態、
前記第２状態は、前記所定の空間に前記コンバーターレンズが挿入されている状態、
前記バックフォーカスと前記Ｆナンバーは、それぞれ、前記マスター光学系の焦点距離が最大になる状態でのバックフォーカスとＦナンバー、
である。
【請求項１２】
以下の条件式（９）を満足することを特徴とする請求項１から１１の何れか一項に記載の撮像光学系。
０．０５≦ＬR12／ＬT≦０．２５      （９）
ここで、
ＬR12は、前記所定の空間における光軸に沿う方向の長さ、
ＬTは、前記第１状態における無限遠物点合焦時の前記撮像光学系の全長、
前記全長は、前記マスター光学系の焦点距離が最大になる状態での前記撮像光学系の最も物体側に位置するレンズ面から像面までの距離、
である。
【請求項１３】
前記コンバーターレンズは負屈折力を有し、
以下の条件式（１０）を満足することを特徴とする請求項１から１２の何れか一項に記載の撮像光学系。
１．１５≦ｆtconT／ｆT≦２．０５      （１０）
ここで、
ｆtconTは、前記第２状態における前記撮像光学系の焦点距離、
ｆTは、前記第１状態における前記撮像光学系の焦点距離、
前記焦点距離は、前記マスター光学系の焦点距離が最大になる状態での焦点距離、
である。
【請求項１４】
以下の条件式（１’）を満足することを特徴とする請求項２、４、５から７の何れか一項に記載の撮像光学系。
０．１≦ＬconT／ＬT≦０．４４      （１’）
ここで、
ＬconTは、前記第２状態における無限遠物点合焦時の所定の距離、
ＬTは、前記第１状態における無限遠物点合焦時の前記撮像光学系の全長、
前記所定の距離は、前記マスター光学系の焦点距離が最大になる状態での前記コンバーターレンズの最も物体側に位置するレンズ面から像面までの距離、
前記全長は、前記マスター光学系の焦点距離が最大になる状態での前記撮像光学系の最も物体側に位置するレンズ面から像面までの距離、
である。
【請求項１５】
以下の条件式（２’）を満足することを特徴とする請求項２から７の何れか一項に記載の撮像光学系。
１．２≦ＬconT／ＦｂT≦４．０      （２’）
ここで、
ＬconTは、前記第２状態における無限遠物点合焦時の所定の距離、
ＦｂTは、前記第１状態における無限遠物点合焦時の前記撮像光学系のバックフォーカス、
前記所定の距離は、前記マスター光学系の焦点距離が最大になる状態での前記コンバーターレンズの最も物体側に位置するレンズ面から像面までの距離、
前記バックフォーカスは、前記マスター光学系の焦点距離が最大になる状態でのバックフォーカス、
である。
【請求項１６】
以下の条件式（３’）を満足することを特徴とする請求項１、３、５から７の何れか一項に記載の撮像光学系。
−５．０≦ＦｂT／ＲtconR≦１．０      （３’）
ここで、
ＦｂTは、前記第１状態における無限遠物点合焦時の前記撮像光学系のバックフォーカス、
ＲtconRは、前記コンバーターレンズの最も像側に位置するレンズ面の曲率半径、
である。
【請求項１７】
以下の条件式（４”）を満足することを特徴とする請求項１、２、５から７の何れか一項に記載の撮像光学系。
０．１≦ＦｂT／ＲtconF≦４．０      （４”）
ここで、
ＦｂTは、前記第１状態における無限遠物点合焦時の前記撮像光学系のバックフォーカス、
ＲtconFは、前記コンバーターレンズの最も物体側に位置するレンズ面の曲率半径、
である。
【請求項１８】
前記複数のレンズ成分は、物体側レンズ成分を有し、
前記物体側レンズ成分は単レンズであって、最も物体側に位置し、
以下の条件式（１１）を満足することを特徴とする請求項５に記載の撮像光学系。
５０≦νｄconLc1      （１１）
ここで、
νｄconLc1は、前記単レンズのアッベ数、
である。
【請求項１９】
前記コンバーターレンズは、複数のレンズ成分を有するテレコンバーターレンズであり、
前記レンズ成分では、入射側と射出側のみが空気接触面であり、
前記テレコンバーターレンズは、正屈折力の物体側レンズ成分と、正レンズを有する像側レンズ成分と、負屈折力の中間レンズ成分と、を有し、
前記物体側レンズ成分は、最も物体側に位置し、
前記像側レンズ成分は、最も像側に位置し、
前記中間レンズ成分は、前記物体側レンズ成分と前記像側レンズ成分との間に位置し、
前記中間レンズ成分の負屈折力は、負屈折力のレンズ成分のなかで最も大きいことを特徴とする請求項１から４、６、７の何れか一項に記載の撮像光学系。
【請求項２０】
以下の条件式（５’）を満足することを特徴とする請求項１９に記載の撮像光学系。
０．５≦｜ｆconLCObj／ｆconLCM2｜≦ ４．０      （５’）
ここで、
ｆconLCObjは、前記物体側レンズ成分の焦点距離、
ｆconLCM2は、前記中間レンズ成分の焦点距離、
である。
【請求項２１】
前記中間レンズ成分の物体側に、負レンズを有するレンズ成分が配置されていることを特徴とする請求項５、１９、２０の何れか一項に記載の撮像光学系。
【請求項２２】
前記像側レンズ成分は、正屈折力を有することを特徴とする請求項５、１９から２１の何れか一項に記載の撮像光学系。
【請求項２３】
前記コンバーターレンズは、物体側から順に、
前記物体側レンズ成分と、
負レンズを有するレンズ成分と、
前記中間レンズ成分と、
前記像側レンズ成分と、からなることを特徴とする請求項５又は１９に記載の撮像光学系。
【請求項２４】
前記コンバーターレンズは、テレコンバーターレンズであり、
前記テレコンバーターレンズは、正屈折力の物体側副群と、中間副群と、負屈折力の像側副群と、を有し、
前記物体側副群は、最も物体側に位置し、
前記中間副群は、前記物体側副群よりも像側に位置し、
前記像側副群は、前記中間副群よりも像側に位置し、  
前記物体側副群の物体側のレンズ面は、物体側に凸の面であり、
前記像側副群は、正レンズと、負レンズと、を有することを特徴とする請求項１から４の何れか一項に記載の撮像光学系。
【請求項２５】
以下の条件式（６’）を満足することを特徴とする請求項２４に記載の撮像光学系。
０．６９≦｜ｆconLCOB／ｆconLCB｜≦３．５      （６’）
ここで、
ｆconLCOBは、前記物体側副群の焦点距離、
ｆconLCBは、前記像側副群の焦点距離、
である。
【請求項２６】
前記中間副群は、負屈折力を有し、
前記中間副群の形状は、メニスカス形状であることを特徴とする請求項６、７、２４、２５の何れか一項に記載の撮像光学系。
【請求項２７】
以下の条件式（７’）を満足することを特徴とする請求項１から４の何れか一項に記載の撮像光学系。
２．５≦（ｆT／ＦｎｏT）／ＬTC≦６．０      （７’）
ここで、
ｆTは、前記第１状態における前記撮像光学系の焦点距離、
ＦｎｏTは、無限遠物点合焦時の前記マスター光学系のＦナンバー、
ＬTCは、前記コンバーターレンズの最も物体側に位置するレンズ面から最も像側に位置するレンズ面までの距離、
前記焦点距離は前記Ｆナンバー、それぞれ、前記マスター光学系の焦点距離が最大になる状態での焦点距離とＦナンバー、
である。
【請求項２８】
前記後側レンズ群は、ブレ補正レンズ群を有し、
前記ブレ補正レンズ群よりも像側は、正屈折力の副群と、前記第２副群と、からなり、
前記所定の空間は、前記正屈折力の副群と前記第２副群との間に位置していることを特徴とする請求項１から２７の何れか一項に記載の撮像光学系。
【請求項２９】
前記ブレ補正レンズ群よりも物体側に、正屈折力の副群を有することを特徴とする請求項２８に記載の撮像光学系。
【請求項３０】
前記後側レンズは複数のレンズ成分を有し、
前記レンズ成分では、入射側と射出側のみが空気接触面であり、
前記第１副群と前記第２副群は、共にレンズ成分で構成されていることを特徴とする請求項２８又は２９に記載の撮像光学系。
【請求項３１】
前記マスター光学系は、
最も物体側に配置された前側レンズ群と、
中間レンズ群と、
前記後側レンズ群と、を有し、
前記前側レンズ群は、物体側から順に、正屈折力の第１前群と、負屈折力の第２前群と、からなり、
前記第１前群と前記第２前群は、それぞれ、正レンズと、負レンズと、を有し、
前記第１前群と前記第２前群との間隔は、広角端よりも望遠端で広く、
前記中間レンズ群は、物体側から順に、正屈折力の第１中間群と、負屈折力の第２中間群と、からなり、
前記第１中間群は、正レンズと、負レンズと、を有し、
前記第１中間群と前記第２前群との間隔は、広角端よりも望遠端で狭く、
前記第２中間群と前記第２中間群の像側に隣接するレンズ群との間隔は、ズーム時又はフォーカス時に変化し、
前記第２中間群は、遠点から近点へのフォーカス時に像側に移動し、
前記後側レンズ群は、正レンズと、負レンズと、を有することを特徴とする請求項１から７の何れか一項に記載の撮像光学系。
【請求項３２】
前記マスター光学系は、
最も物体側に配置された前側レンズ群と、
中間レンズ群と、
前記後側レンズ群と、を有し、
前記前側レンズ群は、物体側から順に、正屈折力の第１前群と、負屈折力の第２前群と、からなり、
前記第１前群と前記第２前群は、それぞれ、正レンズと、負レンズと、を有し、
前記第１前群と前記第２前群との間隔は、広角端よりも望遠端で広く、
前記中間レンズ群は、物体側から順に、第１中間群と、負屈折力の第２中間群と、からなり、
前記第１中間群は、物体側から順に、正屈折力の第１副群と、正屈折力の第２副群と、を有すると共に、前記第１中間群全体で、正レンズと、負レンズと、を有し、
前記第１副群と前記第２前群との間隔は、広角端よりも望遠端で狭く、
前記第２中間群と前記第２中間群の像側に隣接するレンズ群との間隔は、ズーム時又はフォーカス時に変化し、
前記第２中間群は、遠点から近点へのフォーカス時に像側に移動し、
前記後側レンズ群は正レンズを有し、
前記第１副群から像面までの間に、負屈折力のブレ補正レンズ群を有し、
前記ブレ補正レンズ群が光軸に対して垂直な方向に移動することで、像ブレが補正されていることを特徴とする請求項１から７の何れか一項に記載の撮像光学系。
【請求項３３】
以下の条件式（１２）を満足することを特徴とする請求項３１又は３２に記載の撮像光学系。
ＬＴＬL／ＬＴＬS≦１．２５      （１２）
ここで、
ＬＴＬSは、広角端から望遠端までの間における前記撮像光学系の全長のうち、最小となる全長、
ＬＴＬLは、広角端から望遠端までの間における前記撮像光学系の全長のうち、最大となる全長、
全長は、最も物体側に位置するレンズ面から像面までの距離、
である。
【請求項３４】
以下の条件式（１３）を満足することを特徴とする請求項３１から３３の何れか一項に記載の撮像光学系。
２．５≦ＫＭＢT≦１５．０      （１３）
ここで、
ＫＭＢT＝｜ＭＧMBTback２×（ＭＧMBT２−１）｜、
ＭＧMBTbackは、前記マスター光学系の焦点距離が最大になる状態での第１の所定の光学系の横倍率、
ＭＧMBTは、前記マスター光学系の焦点距離が最大になる状態での前記第２中間群の横倍率、
前記第１の所定の光学系は、前記第２中間群よりも像側に位置する全てのレンズで構成された光学系、
前記横倍率は、無限遠物点合焦時の横倍率、
である。
【請求項３５】
前記第２前群は、負屈折力の第３副群と、負屈折力の第４副群と、を有し、
ズーム時、前記第３副群と前記第４副群との間隔が変化することを特徴とする請求項３１又は３２に記載の撮像光学系。
【請求項３６】
前記第２前群は、負屈折力の第３副群と、負屈折力の第４副群と、を有し、
ズーム時、前記第３副群と前記第４副群との間隔が変化し、
前記後側レンズ群は、正レンズと、負レンズと、を有することを特徴とする請求項３１又は３２に記載の撮像光学系。
【請求項３７】
フォーカスレンズ群が、前記第１中間群から前記後側レンズ群の最も物体側のレンズ面までの間に配置されていることを特徴とする請求項３６に記載の撮像光学系。
【請求項３８】
ブレ補正レンズ群が、前記第１中間群から像面までの間に配置されていることを特徴とする請求項３６に記載の撮像光学系。
【請求項３９】
光学系と、
撮像面を持ち、且つ前記光学系により撮像面上に形成された像を電気信号に変換する撮像素子と、を有し、
前記光学系が、請求項１から３８の何れか一項に記載の撮像光学系であることを特徴とする撮像装置。
【発明の詳細な説明】
【技術分野】
【０００１】
本発明は、撮像光学系及びそれを備えた撮像装置に関する。
【背景技術】
【０００２】
望遠レンズや超望遠レンズ（以下、「望遠レンズ」という）を用いた撮影では、遠くの被写体や小さな被写体を撮影者の眼前に引き寄せる効果を得られる。そのため、望遠レンズは、スポーツシーンの撮影、野鳥などの野生動物の撮影、天体の撮影など、様々なシーンで幅広く用いられている。
【０００３】
上述のシーンの撮影では、撮像装置の機動性の優劣が重要になる。ここで、機動性とは、例えば、持ち運びの容易性、手持ち撮影時の安定性、フォーカススピードの高速性などである。装置の機動性を優れたものにするためには、光学系は小型で軽量なものが望ましい。また、光学系がより早く被写体にフォーカスできるものであることも、機動性の優劣を左右する重要な要素である。
【０００４】
ズーム機能を備えた望遠レンズ（以下、「望遠ズーム」という）は、ズーム機能を備えていない場合に比べて、光学系が大きく重くなる。特に、画角が非常に小さい望遠ズーム、例えば、超望遠ズームは大きくて重たいので、手持ちでの撮影は難しい。そのため、超望遠ズームによる撮影では、一般的に、超望遠ズームを三脚に固定した状態で撮影が行われる。
【０００５】
撮影では、例えば、超望遠ズームと三脚を持っての撮影場所までの移動、超望遠ズームの三脚への固定、及びフレーミングが行われる。この場合、フレーミングを終えるまでに時間がかかるので、撮影チャンスを逃す可能性が高くなる。また、重たい超望遠ズームと三脚を持って移動すると、迅速な移動が困難となるので機動性が損なわれる。
【０００６】
撮影倍率を更に拡大する方法として、テレコンバーターレンズを用いる方法がある。テレコンバーターレンズには、リア・テレコンバーターレンズと、フロント・テレコンバーターレンズと、がある。
【０００７】
テレコンバーターレンズには、一般的には、リア・テレコンバーターレンズが用いられる。リア・テレコンバーターレンズは、撮影に使用しているレンズ（以下、「撮影レンズ」という）の末端に装着される。よって、リア・テレコンバーターレンズは、撮影レンズとカメラ本体との間に位置する。
【０００８】
リア・テレコンバーターレンズの装着は、次の手順で行われる。まず、カメラ本体から撮影レンズを取り外す。次に、リア・テレコンバーターレンズを、撮影レンズに装着する。そして、リア・テレコンバーターレンズを介して、撮影レンズを再びカメラ本体に装着する。ただし、リア・テレコンバーターレンズをカメラ本体に装着した後、撮影レンズを装着しても良い。
【０００９】
このように、リア・テレコンバーターレンズの使用では、撮影レンズの取り外しや装着が行われる。そのため、テレコンバーターレンズの装着を迅速に行うことは、困難である。その結果、撮影チャンスを逃すこととなる。
【００１０】
フロント・テレコンバーターレンズは、撮影レンズの先端に装着される。そのため、フロント・テレコンバーターレンズの使用では、撮影レンズの取り外しや装着は行われない。その結果、フロント・テレコンバーターレンズでは、リア・テレコンバーターレンズに比べて、装着を迅速に行うことができる。撮影が可能になるまでの時間を短くすることができる。
【００１１】
しかしながら、フロント・テレコンバーターレンズの使用においても、リア・テレコンバーターレンズの使用と同様に、レンズの装着が行われる。この場合、装着による時間のロスが発生するため、撮影チャンスを逃す可能性が高くなってしまう。
【００１２】
撮影レンズでは、撮影倍率が大きくなるほど、光学系の全長が長くなる。また、撮影倍率が大きくなるほど、物体側に位置するレンズの径が大きくなる。そのため、撮影レンズの撮影倍率が大きくなるにつれて、フロント・テレコンバーターレンズでは、レンズの径は大きくなり、また、重さも重くなる。
【００１３】
上述のように、フロント・テレコンバーターレンズは、撮影レンズをカメラ本体から取り外すこと無く装着することができる。しかしながら、撮影レンズの撮影倍率が大きい場合、大きくて重いフロント・テレコンバーターレンズを、短時間で、撮影レンズに装着することは容易ではない。
【００１４】
また、フロント・テレコンバーターレンズであっても、リア・テレコンバーターレンズであっても、撮影レンズに装着すると、光学系の全長が変化する。そのため、光学系の重心位置が変化する。
【００１５】
特に、フロント・テレコンバーターレンズは、撮影レンズの先端に装着される。この場合、レンズの装着前と装着後とで、光学系の重心位置は大きく変化する。そのため、三脚を使用していても、カメラを安定した状態に保つことは困難になる。
【００１６】
リア・テレコンバーターレンズやフロント・テレコンバーターレンズは、撮影レンズの端にレンズを装着する方式（以下、「装着式」という）のコンバーターレンズである。これに対して、撮影レンズ内にレンズを出し入れする方式（以下、「挿入式」という）のコンバーターレンズがある。
【００１７】
挿入式のコンバーターレンズでは、使用時に、撮影レンズをカメラ本体から取り外す必要がない。そのため、フロント・テレコンバーターレンズと同様に、リア・テレコンバーターレンズに比べて、撮影が可能になるまでの時間を短くすることができる。
【００１８】
特許文献１〜３には、コンバーターレンズを備えた光学系が開示されている。特許文献１では、撮影光学系の像側に、リアコンバーターレンズが装着されている。実施例１では、撮影光学系は、正の屈折力を有する第１レンズ群と、負の屈折力を有する第２レンズ群と、正の屈折力を有する第３レンズ群と、を有する。リアコンバーターレンズは、負の屈折力を有する。
【００１９】
特許文献２では、撮影レンズの前方に、テレコンバーターレンズが装着されている。実施例１では、撮影レンズは、正の屈折力を有する第１レンズ群と、負の屈折力を有する第２レンズ群と、正の屈折力を有する第３レンズ群と、正の屈折力を有する第４レンズ群と、を有する。テレコンバーターレンズは、負の屈折力を有する。
【００２０】
特許文献３では、撮影レンズ系の中に、コンバーターレンズが挿入されている。実施例１では、撮影レンズ系は、正の屈折力を有する第１レンズ群と、負の屈折力を有する第２レンズ群と、正の屈折力を有する第３レンズ群と、正の屈折力を有する第４レンズ群と、を有する。を有する。コンバーターレンズは、第４レンズ群中に挿入されている。
【先行技術文献】
【特許文献】
【００２１】
【特許文献１】特開２０１３−２５０２９０号公報（第１実施例）
【特許文献２】特開２０００−１７１７０８号公報（第１実施例）
【特許文献３】特許５４０９８４１号公報（第１実施例）
【発明の概要】
【発明が解決しようとする課題】
【００２２】
特許文献１のコンバーターレンズは、装着式のリア・テレコンバーターレンズである。特許文献１では、テレコンバーターレンズの装着を迅速に行うことは、困難である。その結果、撮影チャンスを逃すこととなる。
【００２３】
また、レンズを光学系に装着すると、光学系の全長が変化する。そのため、光学系の重心位置が変化する。その結果、カメラを安定した状態に保つことが困難になる。
【００２４】
特許文献２のコンバーターレンズは、装着式のフロント・テレコンバーターレンズである。特許文献２では、レンズを短時間で、光学系に装着することは容易ではない。そのため、撮影チャンスを逃すこととなる。
【００２５】
また、レンズを光学系に装着すると、光学系の全長が変化する。そのため、光学系の重心位置が変化する。更に、レンズの装着前と装着後とで、光学系の重心位置は大きく変化する。その結果、カメラを安定した状態に保つことが困難になる。
【００２６】
特許文献３のコンバーターレンズは、挿入式のテレコンバーターレンズである。特許文献３では、レンズを光学系に挿入しても、光学系の全長は変化しない。カメラを安定した状態に保つことは、比較的容易である。しかしながら、光学系の全長が長いので、小型化を達成できていない。
【００２７】
本発明は、このような課題に鑑みてなされたものであって、安定性と機動性に優れると共に、収差が良好に補正された撮像光学系及びそれを備えた撮像装置を提供することを目的とするものである。
【課題を解決するための手段】
【００２８】
上述した課題を解決し、目的を達成するために、本発明の少なくとも幾つかの実施形態に係る撮像光学系は、
マスター光学系と、
複数のレンズを有するコンバーターレンズと、を有し、
マスター光学系は、最も像側に配置され、常時位置が固定の後側レンズ群を有し、
後側レンズ群は、第１副群と、第２副群と、を有し、
第１副群と第２副群との間に、コンバーターレンズを出し入れする所定の空間が設けられ、
マスター光学系の焦点距離は、第１状態と第２状態とで異なり、
マスター光学系の全長は、第１状態と第２状態とで同じであり、
以下の条件式（１）、（２）を満足することを特徴とする。
０．１２≦ＬconT／ＬT≦０．３      （１）
１．６５≦ＬconT／ＦｂT≦３．５      （２）
ここで、
ＬconTは、第２状態における無限遠物点合焦時の所定の距離、
ＬTは、第１状態における無限遠物点合焦時の撮像光学系の全長、
ＦｂTは、第１状態における無限遠物点合焦時の撮像光学系のバックフォーカス、
所定の距離は、マスター光学系の焦点距離が最大になる状態でのコンバーターレンズの最も物体側に位置するレンズ面から像面までの距離、
全長は、マスター光学系の焦点距離が最大になる状態での撮像光学系の最も物体側に位置するレンズ面から像面までの距離、
バックフォーカスは、マスター光学系の焦点距離が最大になる状態でのバックフォーカス、
第１状態は、所定の空間にコンバーターレンズが挿入されていない状態、
第２状態は、所定の空間にコンバーターレンズが挿入されている状態、
である。
【００２９】
また、本発明の少なくとも幾つかの別の実施形態に係る撮像光学系は、
マスター光学系と、
複数のレンズを有するコンバーターレンズと、を有し、
マスター光学系は、最も像側に配置され、常時位置が固定の後側レンズ群を有し、
後側レンズ群は、第１副群と、第２副群と、を有し、
第１副群と第２副群との間に、コンバーターレンズを出し入れする所定の空間が設けられ、
マスター光学系の焦点距離は、第１状態と第２状態とで異なり、
マスター光学系の全長は、第１状態と第２状態とで同じであり、
以下の条件式（３）を満足することを特徴とする。
−５．０≦ＦｂT／ＲtconR≦０．５      （３）
ここで、
ＦｂTは、第１状態における無限遠物点合焦時の撮像光学系のバックフォーカス、
ＲtconRは、コンバーターレンズの最も像側に位置するレンズ面の曲率半径、
バックフォーカスは、マスター光学系の焦点距離が最大になる状態でのバックフォーカス、
第１状態は、所定の空間にコンバーターレンズが挿入されていない状態、
第２状態は、所定の空間にコンバーターレンズが挿入されている状態、
である。
【００３０】
また、本発明の少なくとも幾つかの別の実施形態に係る撮像光学系は、
マスター光学系と、
複数のレンズを有するコンバーターレンズと、を有し、
マスター光学系は、最も像側に配置され、常時位置が固定の後側レンズ群を有し、
後側レンズ群は、第１副群と、第２副群と、を有し、
第１副群と第２副群との間に、コンバーターレンズを出し入れする所定の空間が設けられ、
マスター光学系の焦点距離は、第１状態と第２状態とで異なり、
マスター光学系の全長は、第１状態と第２状態とで同じであり、
以下の条件式（１’）、（４）を満足することを特徴とする。
０．１≦ＬconT／ＬT≦０．４４      （１’）
０．１≦ＦｂT／ＲtconF≦２．４      （４）
ここで、
ＬconTは、第２状態における無限遠物点合焦時の所定の距離、
ＬTは、第１状態における無限遠物点合焦時の撮像光学系の全長、
ＦｂTは、第１状態における無限遠物点合焦時の撮像光学系のバックフォーカス、
ＲtconFは、コンバーターレンズの最も物体側に位置するレンズ面の曲率半径、
所定の距離は、マスター光学系の焦点距離が最大になる状態でのコンバーターレンズの最も物体側に位置するレンズ面から像面までの距離、
全長は、マスター光学系の焦点距離が最大になる状態での撮像光学系の最も物体側に位置するレンズ面から像面までの距離、
バックフォーカスは、マスター光学系の焦点距離が最大になる状態でのバックフォーカス、
第１状態は、所定の空間にコンバーターレンズが挿入されていない状態、
第２状態は、所定の空間にコンバーターレンズが挿入されている状態、
である。
【００３１】
また、本発明の少なくとも幾つかの別の実施形態に係る撮像光学系は、
マスター光学系と、
複数のレンズを有するコンバーターレンズと、を有し、
マスター光学系は、最も像側に配置され、常時位置が固定の後側レンズ群を有し、
後側レンズ群は、第１副群と、第２副群と、を有し、
第１副群と第２副群との間に、コンバーターレンズを出し入れする所定の空間が設けられ、
マスター光学系の焦点距離は、第１状態と第２状態とで異なり、
マスター光学系の全長は、第１状態と第２状態とで同じであり、
以下の条件式（３’）、（４’）を満足することを特徴とする。
−５．０≦ＦｂT／ＲtconR≦１．０      （３’）
０．１≦ＦｂT／ＲtconF≦２．６５      （４’）
ここで、
ＦｂTは、第１状態における無限遠物点合焦時の撮像光学系のバックフォーカス、
ＲtconFは、コンバーターレンズの最も物体側に位置するレンズ面の曲率半径、
ＲtconRは、コンバーターレンズの最も像側に位置するレンズ面の曲率半径、
バックフォーカスは、マスター光学系の焦点距離が最大になる状態でのバックフォーカス、
第１状態は、所定の空間にコンバーターレンズが挿入されていない状態、
第２状態は、所定の空間にコンバーターレンズが挿入されている状態、
である。
【００３２】
また、本発明の少なくとも幾つかの別の実施形態に係る撮像光学系は、
マスター光学系と、
複数のレンズ成分を有するコンバーターレンズと、を有し、
レンズ成分では、入射側と射出側のみが空気接触面であり、
マスター光学系は、最も像側に配置され、常時位置が固定の後側レンズ群を有し、
後側レンズ群は、第１副群と、第２副群と、を有し、
第１副群と第２副群との間に、コンバーターレンズを出し入れする所定の空間が設けられ、
マスター光学系の焦点距離は、第１状態と第２状態とで異なり、
マスター光学系の全長は、第１状態と第２状態とで同じであり、
コンバーターレンズは、テレコンバーターレンズであり、
テレコンバーターレンズは、正屈折力の物体側レンズ成分と、正レンズを有する像側レンズ成分と、負屈折力の中間レンズ成分と、を有し、
物体側レンズ成分は、最も物体側に位置し、
像側レンズ成分は、最も像側に位置し、
中間レンズ成分は、物体側レンズ成分と像側レンズ成分との間に位置し、
中間レンズ成分の負屈折力は、負屈折力のレンズ成分のなかで最も大きく、
以下の条件式（５）を満足することを特徴とする。
１．２≦｜ｆconLCObj／ｆconLCM2｜≦ ４．０      （５）
ここで、
ｆconLCObjは、物体側レンズ成分の焦点距離、
ｆconLCM2は、中間レンズ成分の焦点距離、
第１状態は、所定の空間にコンバーターレンズが挿入されていない状態、
第２状態は、所定の空間にコンバーターレンズが挿入されている状態、
である。
【００３３】
また、本発明の少なくとも幾つかの別の実施形態に係る撮像光学系は、
マスター光学系と、
複数のレンズを有するコンバーターレンズと、を有し、
マスター光学系は、最も像側に配置され、常時位置が固定の後側レンズ群を有し、
後側レンズ群は、第１副群と、第２副群と、を有し、
第１副群と第２副群との間に、コンバーターレンズを出し入れする所定の空間が設けられ、
マスター光学系の焦点距離は、第１状態と第２状態とで異なり、
マスター光学系の全長は、第１状態と第２状態とで同じであり、
コンバーターレンズは、テレコンバーターレンズであり、
テレコンバーターレンズは、正屈折力の物体側副群と、中間副群と、負屈折力の像側副群と、を有し、
物体側副群は、最も物体側に位置し、
中間副群は、物体側副群よりも像側に位置し、
像側副群は、中間副群よりも像側に位置し、
物体側副群の物体側のレンズ面は、物体側に凸の面であり、
像側副群は、正レンズと、負レンズと、を有し、
以下の条件式（６）を満足することを特徴とする。
０．７≦｜ｆconLCOB/ｆconLCB｜≦３．５      （６）
ここで、
ｆconLCOBは、物体側副群の焦点距離、
ｆconLCBは、像側副群の焦点距離、
第１状態は、所定の空間にコンバーターレンズが挿入されていない状態、
第２状態は、所定の空間にコンバーターレンズが挿入されている状態、
である。
【００３４】
また、本発明の少なくとも幾つかの別の実施形態に係る撮像光学系は、
マスター光学系と、
複数のレンズを有するコンバーターレンズと、を有し、
マスター光学系は、最も像側に配置され、常時位置が固定の後側レンズ群を有し、
後側レンズ群は、第１副群と、第２副群と、を有し、
第１副群と第２副群との間に、コンバーターレンズを出し入れする所定の空間が設けられ、
マスター光学系の焦点距離は、第１状態と第２状態とで異なり、
マスター光学系の全長は、第１状態と第２状態とで同じであり、
コンバーターレンズは、テレコンバーターレンズであり、
テレコンバーターレンズは、正屈折力の物体側副群と、中間副群と、負屈折力の像側副群と、を有し、
物体側副群は、最も物体側に位置し、
中間副群は、物体側副群よりも像側に位置し、
像側副群は、中間副群よりも像側に位置し、
物体側副群の物体側のレンズ面は、物体側に凸の面であり、
像側副群は、正レンズと、負レンズと、を有し、
以下の条件式（７）を満足することを特徴とする。
２．０≦（ｆT／ＦｎｏT）／ＬTC≦６．０      （７）
ここで、
ｆTは、第１状態における撮像光学系の焦点距離、
ＦｎｏTは、無限遠物点合焦時のマスター光学系のＦナンバー、
ＬTCは、コンバーターレンズの最も物体側に位置するレンズ面から最も像側に位置するレンズ面までの距離、
焦点距離とＦナンバーは、それぞれ、マスター光学系の焦点距離が最大になる状態での焦点距離とＦナンバー、
第１状態は、所定の空間にコンバーターレンズが挿入されていない状態、
第２状態は、所定の空間にコンバーターレンズが挿入されている状態、
である。
【００３５】
また、本発明の撮像装置は、
光学系と、
撮像面を持ち、且つ光学系により撮像面上に形成された像を電気信号に変換する撮像素子と、を有し、
光学系が上述の何れか一つの撮像光学系であることを特徴とする。
【発明の効果】
【００３６】
本発明によれば、安定性と機動性に優れると共に、収差が良好に補正された撮像光学系及びそれを備えた撮像装置を提供することができる。
【図面の簡単な説明】
【００３７】
【図１】実施例１（マスター光学系）のレンズ断面図である。
【図２】実施例２（撮像光学系）のレンズ断面図である。
【図３】実施例３（マスター光学系）のレンズ断面図である。
【図４】実施例４（撮像光学系）のレンズ断面図である。
【図５】実施例５（マスター光学系）のレンズ断面図である。
【図６】実施例６（撮像光学系）のレンズ断面図である。
【図７】実施例７（マスター光学系）のレンズ断面図である。
【図８】実施例８（撮像光学系）のレンズ断面図である。
【図９】実施例９（マスター光学系）のレンズ断面図である。
【図１０】実施例１０（撮像光学系）のレンズ断面図である。
【図１１】実施例１１（マスター光学系）のレンズ断面図である。
【図１２】実施例１２（撮像光学系）のレンズ断面図である。
【図１３】実施例１３（マスター光学系）のレンズ断面図である。
【図１４】実施例１４（撮像光学系）のレンズ断面図である。
【図１５】実施例１５（マスター光学系）のレンズ断面図である。
【図１６】実施例１６（撮像光学系）のレンズ断面図である。
【図１７】実施例１７（マスター光学系）のレンズ断面図である。
【図１８】実施例１８（撮像光学系）のレンズ断面図である。
【図１９】実施例１（マスター光学系）の収差図である。
【図２０】実施例２（撮像光学系）の収差図である。
【図２１】実施例３（マスター光学系）の収差図である。
【図２２】実施例４（撮像光学系）の収差図である。
【図２３】実施例５（マスター光学系）の収差図である。
【図２４】実施例６（撮像光学系）の収差図である。
【図２５】実施例７（マスター光学系）の収差図である。
【図２６】実施例８（撮像光学系）の収差図である。
【図２７】実施例９（マスター光学系）の収差図である。
【図２８】実施例１０（撮像光学系）の収差図である。
【図２９】実施例１１（マスター光学系）の収差図である。
【図３０】実施例１２（撮像光学系）の収差図である。
【図３１】実施例１３（マスター光学系）の収差図である。
【図３２】実施例１４（撮像光学系）の収差図である。
【図３３】実施例１５（マスター光学系）の収差図である。
【図３４】実施例１６（撮像光学系）の収差図である。
【図３５】実施例１７（マスター光学系）の収差図である。
【図３６】実施例１８（撮像光学系）の収差図である。
【図３７】撮像装置の断面図である。
【図３８】撮像装置の前方斜視図である。
【図３９】撮像装置の後方斜視図である。
【図４０】撮像装置の主要部の内部回路の構成ブロック図である。
【発明を実施するための形態】
【００３８】
実施例の説明に先立ち、本発明のある態様にかかる実施形態の作用効果を説明する。なお、本実施形態の作用効果を具体的に説明するに際しては、具体的な例を示して説明することになる。しかし、後述する実施例の場合と同様に、それらの例示される態様はあくまでも本発明に含まれる態様のうちの一部に過ぎず、その態様には数多くのバリエーションが存在する。したがって、本発明は例示される態様に限定されるものではない。
【００３９】
第１実施形態の撮像光学系から第７実施形態の撮像光学系（以下、「本実施形態の撮像光学系」という）の基本構成について説明する。
【００４０】
本実施形態の撮像光学系の基本構成は、マスター光学系と、複数のレンズを有するコンバーターレンズと、を有し、マスター光学系は、最も像側に配置され、常時位置が固定の後側レンズ群を有し、後側レンズ群は、第１副群と、第２副群と、を有し、第１副群と第２副群との間に、コンバーターレンズを出し入れする所定の空間が設けられ、マスター光学系の焦点距離は、第１状態と第２状態とで異なり、マスター光学系の全長は、第１状態と第２状態とで同じである。第１状態は、所定の空間にコンバーターレンズが挿入されていない状態、第２状態は、所定の空間にコンバーターレンズが挿入されている状態、である。
【００４１】
基本構成は、マスター光学系と、コンバーターレンズと、を有する。コンバーターレンズは、複数のレンズを有するか、又は、複数のレンズ成分を有する。レンズ成分では、入射側と射出側のみが空気接触面になっている。レンズ成分は、例えば、単レンズや接合レンズである。
【００４２】
半画角が５度以下、又は４度以下の光学系は、望遠光学系又は超望遠光学系と呼ばれる。このような光学系を用いた撮像装置では、遠くに位置する被写体や、小さな被写体を撮影することができる。しかしながら、撮像できる距離や大きさには、限りがある。
【００４３】
そのため、より遠くに位置する被写体や、より小さな被写体を撮影する場合、一般的には、テレコンバーターレンズをこれらの光学系に装着する。このようにすることで、撮影倍率を大きくすることができる。
【００４４】
しかしながら、テレコンバーターレンズの装着には、時間を要する。そのため、場合によっては、撮影者が望むタイミングで撮影を行うことができない。撮影チャンスを逃さないようにするためには、高い結像性能を維持した状態で、テレコンバーターレンズによる撮影倍率の変更が迅速に行えることが重要となる。
【００４５】
基本構成では、マスター光学系は、後側レンズ群を有する。後側レンズ群は最も像側に配置され、常時位置が固定になっている。後側レンズ群は、第１副群と、第２副群と、を有する。第１副群と第２副群との間に、コンバーターレンズを出し入れする所定の空間が設けられている。
【００４６】
後側レンズ群は、最も物体側に配置されている。そのため、後側レンズ群では、他のレンズ群と比べると軸上光束の径が小さい。軸上光束の径が小さいと、球面収差の発生やコマ収差の発生が抑制される。
【００４７】
望遠光学系や超望遠光学系では、球面収差の発生やコマ収差の発生は、結像性能の劣化につながる。基本構成では球面収差の発生やコマ収差の発生が抑制される。そのため、結像性能を劣化させずに、望遠タイプの光学系や超望遠タイプの光学系を実現することができる。
【００４８】
また、球面収差の発生やコマ収差の発生が抑制されるので、例えば、結像性能を劣化させずに、第１副群と第２副群との間隔を広くすることが容易にできる。この場合、第１副群と第２副群との間に、例えば、コンバーターレンズを出し入れすることができる。このようにすることで、光学的な仕様、例えば、焦点距離を変化させることができる。その結果、対応可能な撮影シーン、特に迅速な対応が必要な撮影シーンを増やすことができる。
【００４９】
また、このようにすることで、マスター光学系を撮像装置本体から取り外すことなく、第１状態と第２状態、すなわち、マスター光学系のみの状態と、マスター光学系とコンバーターレンズが一体になった状態とを、実現することができる。
【００５０】
所定の空間へのコンバーターレンズの出し入れには、例えば、レバーを手動又は電動で動かすことでコンバーターレンズを移動させる機構を用いれば良い。この場合、撮像光学系を保持する鏡筒内に、コンバーターレンズを配置する空間を設けておく。この空間の近傍にコンバーターレンズを移動させる移動機構を配置する。移動機構とレバーとを、機械的、又は電気的に接続すれば良い。
【００５１】
所定の空間にコンバーターレンズを出し入れすることで、第１状態と第２状態とで撮像光学系の焦点距離を異ならせることができる。この場合、様々な撮影シーンに対応することができるので、撮影機会を逃さずに済ますことができる。
【００５２】
後側レンズ群では、常時位置が固定されている。このようにすることで、コンバーターレンズの出し入れに伴う影響を受けにくくすることができる。その結果、安定した結像性能が得られる。
【００５３】
基本構成では、第１状態と第２状態とで、撮像光学系の全長が不変になる。また、コンバーターレンズの挿入位置が、撮像装置の本体部に近い。その結果、基本構成では、第１状態と第２状態との間での重心位置の変動が、ほとんど生じない。この場合、被写体の大きさや、被写体までの距離が変化しても、その変化に対して迅速に対応することができる。そのため、様々な撮影シーンに対応することができる。
【００５４】
バックフォーカスは、第１状態と第２状態とで、ほとんど変化しないことが望ましい。ただし、バックフォーカスが変化しても、変化量が、フォーカス群の移動で補正することが可能な量であれば、フォーカス群の移動でバックフォーカスを一定にすることが可能である。
【００５５】
第１実施形態の撮像光学系は、上述の基本構成を備えると共に、以下の条件式（１）、（２）を満足することを特徴とする。
０．１２≦ＬconT／ＬT≦０．３      （１）
１．６５≦ＬconT／ＦｂT≦３．５      （２）
ここで、
ＬconTは、第２状態における無限遠物点合焦時の所定の距離、
ＬTは、第１状態における無限遠物点合焦時の撮像光学系の全長、
ＦｂTは、第１状態における無限遠物点合焦時の撮像光学系のバックフォーカス、
所定の距離は、マスター光学系の焦点距離が最大になる状態でのコンバーターレンズの最も物体側に位置するレンズ面から像面までの距離、
全長は、マスター光学系の焦点距離が最大になる状態での撮像光学系の最も物体側に位置するレンズ面から像面までの距離、
バックフォーカスは、マスター光学系の焦点距離が最大になる状態でのバックフォーカス、
である。
【００５６】
コンバーターレンズの出し入れによって、撮像光学系の画角が変化する。この画角変化は、マスターレンズの屈折力とコンバーターレンズの屈折力とで負担している。
【００５７】
条件式（１）の下限値を下回ると、画角変化に関するコンバーターレンズの屈折力の負担割合が大きくなる。この場合、コンバーターレンズの径は増加する傾向となるので、コンバーターレンズの小型化が難しくなる。
【００５８】
条件式（１）の上限値を上回ると、コンバーターレンズにおける球面収差の影響が増加する。そのため、コンバーターレンズを挿入した際に、挿入位置のズレによる結像性能の劣化が増加する。また、マスター光学系における球面収差の補正が難しくなるので、光学系の全長短縮が困難となる。
【００５９】
条件式（２）の下限値を下回ると、コンバーターレンズで発生する非点収差を、マスター光学系で十分補正できなくなる。条件式（２）の上限値を上回ると、コンバーターレンズにおける球面収差の影響が増加する。そのため、コンバーターレンズを挿入した際に、挿入位置のズレによる結像性能の劣化が大きくなる。また、マスター光学系における球面収差の補正が難しくなるので、光学系の全長短縮が困難となる。
【００６０】
第２実施形態の撮像光学系は、上述の基本構成を備えると共に、以下の条件式（３）を満足することを特徴とする。
−５．０≦ＦｂT／ＲtconR≦０．５      （３）
ここで、
ＦｂTは、第１状態における無限遠物点合焦時の撮像光学系のバックフォーカス、
ＲtconRは、コンバーターレンズの最も像側に位置するレンズ面の曲率半径、
バックフォーカスは、マスター光学系の焦点距離が最大になる状態でのバックフォーカス、
である。
【００６１】
条件式（３）の下限値を下回ると、コンバーターレンズでの球面収差の発生が大きくなる。そのため、良好な結像性能が得られない。また、マスター光学系の全長短縮が困難になる。
【００６２】
条件式（３）の上限値を上回ると、コンバーターレンズでの非点収差の発生が大きくなる。そのため、良好な結像性能が得られない。また、マスター光学系の全長短縮が困難になる。
【００６３】
第３実施形態の撮像光学系は、上述の基本構成を備えると共に、以下の条件式（１’）、（４）を満足することを特徴とする。
０．１≦ＬconT／ＬT≦０．４４      （１’）
０．１≦ＦｂT／ＲtconF≦２．４      （４）
ここで、
ＬconTは、第２状態における無限遠物点合焦時の所定の距離、
ＬTは、第１状態における無限遠物点合焦時の撮像光学系の全長、
ＦｂTは、第１状態における無限遠物点合焦時の撮像光学系のバックフォーカス、
ＲtconFは、コンバーターレンズの最も物体側に位置するレンズ面の曲率半径、
所定の距離は、マスター光学系の焦点距離が最大になる状態でのコンバーターレンズの最も物体側に位置するレンズ面から像面までの距離、
全長は、マスター光学系の焦点距離が最大になる状態での撮像光学系の最も物体側に位置するレンズ面から像面までの距離、
バックフォーカスは、マスター光学系の焦点距離が最大になる状態でのバックフォーカス、
である。
【００６４】
条件式（１’）の技術的意義は、条件式（１）の技術的意義と同じである。
【００６５】
条件式（４）の下限値を下回ると、コンバーターレンズでの球面収差の補正が不足となる。そのため、良好な結像性能が得られない。また、マスター光学系の全長短縮が困難になる。
【００６６】
条件式（４）の上限値を上回ると、コンバーターレンズでの球面収差の発生が大きくなる。そのため、良好な結像性能が得られない。また、マスター光学系の全長短縮が困難になる。
【００６７】
第４実施形態の撮像光学系は、上述の基本構成を備えると共に、以下の条件式（３’）、（４’）を満足することを特徴とする。
−５．０≦ＦｂT／ＲtconR≦１．０      （３’）
０．１≦ＦｂT／ＲtconF≦２．６５      （４’）
ここで、
ＦｂTは、第１状態における無限遠物点合焦時の撮像光学系のバックフォーカス、
ＲtconFは、コンバーターレンズの最も物体側に位置するレンズ面の曲率半径、
ＲtconRは、コンバーターレンズの最も像側に位置するレンズ面の曲率半径、
バックフォーカスは、マスター光学系の焦点距離が最大になる状態でのバックフォーカス、
である。
【００６８】
条件式（３’）の技術的意義は、条件式（３）の技術的意義と同じである。条件式（４’）の技術的意義は、条件式（４）の技術的意義と同じである。
【００６９】
第５実施形態の撮像光学系は、上述の基本構成を備えると共に、コンバーターレンズは、テレコンバーターレンズであり、テレコンバーターレンズは、正屈折力の物体側レンズ成分と、正レンズを有する像側レンズ成分と、負屈折力の中間レンズ成分と、を有し、物体側レンズ成分は、最も物体側に位置し、像側レンズ成分は、最も像側に位置し、中間レンズ成分は、物体側レンズ成分と像側レンズ成分との間に位置し、中間レンズ成分の負屈折力は、負屈折力のレンズ成分のなかで最も大きく、以下の条件式（５）を満足することを特徴とする。
１．２≦｜ｆconLCObj／ｆconLCM2｜≦ ４．０      （５）
ここで、
ｆconLCObjは、物体側レンズ成分の焦点距離、
ｆconLCM2は、中間レンズ成分の焦点距離、
である。
【００７０】
挿入式では、コンバーターレンズがテレコンバーターレンズの場合、コンバーターレンズには負屈折力を持たせることが必要である。
【００７１】
テレコンバーターレンズが所定の空間に挿入されると、撮像光学系の焦点距離が長くなる。また、焦点距離以外の光学的な仕様も変化する。この変化を大きくするためには、コンバーターレンズの負屈折力を大きくする必要がある。
【００７２】
しかしながら、コンバーターレンズの負屈折力を大きくすると、正の球面収差が大きくなる。正の球面収差は、軸上光束の径が大きくなる箇所に正屈折力のレンズ成分を配置することで、効果的に補正することができる。
【００７３】
コンバーターレンズの負屈折力は、中間レンズ成分が担っている。よって、正の球面収差は中間レンズ成分で生じる。中間レンズ成分よりも物体側では、軸上光束の径が大きくなっている。そこで、中間レンズ成分の物体側に、正屈折力のレンズ成分を配置すれば良い。
【００７４】
本実施形態の撮像光学系では、正屈折力の物体側レンズ成分が、最も物体側に配置されている。すなわち、中間レンズ成分の物体側に、正屈折力のレンズ成分が配置されている。よって、中間レンズ成分の負屈折力を大きくしても、正の球面収差を効果的に補正することができる。
【００７５】
リア・テレコンバーターレンズは、マスター光学系と撮像装置の本体との間に配置される。リア・テレコンバーターレンズが配置されると、バックフォーカスは、一般的に、リア・テレコンバーターレンズが配置される前よりも長くなる。本実施形態の撮像光学系では、コンバーターレンズは、後側レンズ群内に挿入される。コンバーターレンズはテレコンバーターレンズなので、バックフォーカスは、コンバーターレンズが挿入される前よりも長くなる。
【００７６】
しかしながら、マスター光学系へコンバーターレンズを挿入しても、光学系の全長は不変であることが望ましい。負屈折力を持つコンバーターレンズにおいて、正屈折力のレンズ成分を物体側に配置すると、結像位置を物体側に近づけること、すなわち、バックフォーカスを短くすることができる。このようなことから、コンバーターレンズの最も物体側の部分に、収斂作用を持たせる必要がある。
【００７７】
本実施形態の撮像光学系では、正屈折力の物体側レンズ成分を、コンバーターレンズの最も物体側に位置させている。その結果、マスター光学系へコンバーターレンズを挿入しても、光学系の全長の変化を最小にすることができる。
【００７８】
また、コンバーターレンズの負屈折力を大きくすると、像面湾曲と歪曲収差が、プラス側に大きくなる傾向が強まる。この場合、負屈折力を担っているレンズ成分よりも像側に、正屈折力のレンズ成分を配置することで、像面湾曲の発生と歪曲収差の発生を効果的に抑制すことができる。
【００７９】
上述のように、コンバーターレンズの負屈折力は、中間レンズ成分が担っている。そこで、中間レンズ成分の像側に、正屈折力のレンズ成分を配置すれば良い。
【００８０】
本実施形態の撮像光学系では、正レンズを有する像側レンズ成分が、最も像側に配置されている。すなわち、中間レンズ成分の像側に、正屈折力のレンズが配置されている。よって、中間レンズ成分の負屈折力を大きくしても、像面湾曲の発生と歪曲収差の発生を効果的に抑制することができる。
【００８１】
条件式（５）の下限値を下回ると、中間レンズ群の負屈折力が小さくなるので、コンバーターレンズの負屈折力が小さくなる。コンバーターレンズにおいて大きな負屈折力を維持するためには、所定の空間の位置、すなわち、コンバーターレンズの挿入位置を、より物体側にする必要がある。
【００８２】
所定の空間よりも物体側には、マスター光学系を構成するレンズの大部分が位置している。これらのレンズは、光学系の全長短縮に寄与している。そのため、コンバーターレンズの挿入位置が物体側になると、マスター光学系でレンズを配置できる空間が圧迫されてしまう。その結果、光学系の全長短縮が難しくなる。
【００８３】
条件式（５）の上限値を上回ると、中間レンズ群の負屈折力が大きくなる。この場合、正の球面収差が大きく発生する。球面収差を補正するためには、中間レンズ群内で、負屈折力を複数のレンズに分担させる必要がある。そのため、中間レンズ群におけるレンズ枚数が増加する。そうすると、コンバーターレンズの全長が長くなるため、光学系の全長短縮が難しくなる。
【００８４】
第６実施形態の撮像光学系は、上述の基本構成を備えると共に、コンバーターレンズは、テレコンバーターレンズであり、テレコンバーターレンズは、正屈折力の物体側副群と、中間副群と、負屈折力の像側副群と、を有し、物体側副群は、最も物体側に位置し、中間副群は、物体側副群よりも像側に位置し、像側副群は、中間副群よりも像側に位置し、物体側副群の物体側のレンズ面は、物体側に凸の面であり、像側副群は、正レンズと、負レンズと、を有し、以下の条件式（６）を満足することを特徴とする。
０．７≦｜ｆconLCOB／ｆconLCB｜≦３．５      （６）
ここで、
ｆconLCOBは、物体側副群の焦点距離、
ｆconLCBは、像側副群の焦点距離、
である。
【００８５】
第６実施形態の撮像光学系では、コンバーターレンズは、最も物体側に物体側副群を有する。物体側副群は正屈折力を有している。この場合、物体側副群は、第５実施形態の撮像光学系の物体側レンズ成分と同じように機能する。よって、第６実施形態の撮像光学系においても、第５実施形態の撮像光学系と同様の効果が得られる。
【００８６】
光学系の全長短縮を行うには、コンバーターレンズの厚さを薄くして、所定の空間を可能な限り狭くする必要がある。ただし、所定の空間を狭くすると、コンバーターレンズで発生する球面収差が増大しやすくなる。
【００８７】
第６実施形態の撮像光学系では、物体側副群よりも像側に負屈折力の像側副群が配置されている。よって、物体側副群の正屈折力と像側副群の負屈折力とで、球面収差の補正効果を大きくすることができる。
【００８８】
更に、物体側副群と像側副群との間に、中間副群が配置されている。中間副群の屈折力を正屈折力にすると、正屈折力を物体側副群と中間副群とで分担することができる。中間副群の屈折力を負屈折力にすると、負屈折力を中間副群と像側副群とで分担することができる。
【００８９】
いずれの場合も、屈折力を２つの副群で分担できるので、球面収差の補正効果をより大きくすることができる。そのため、球面収差の発生を抑制することや、球面収差を良好に補正することができる。
【００９０】
条件式（６）の下限値を下回ると、球面収差がアンダー側に増大する作用が強まる。そのため、良好な結像性能が得られない。条件式（６）の上限値を上回ると、球面収差がオーバー側に増大する作用が強まる。そのため、良好な結像性能が得られない。
【００９１】
第７実施形態の撮像光学系は、上述の基本構成を備えると共に、コンバーターレンズは、テレコンバーターレンズであり、テレコンバーターレンズは、正屈折力の物体側副群と、中間副群と、負屈折力の像側副群と、を有し、物体側副群は、最も物体側に位置し、中間副群は、物体側副群よりも像側に位置し、像側副群は、中間副群よりも像側に位置し、物体側副群は、物体側副群の物体側のレンズ面は、物体側に凸の面であり、像側副群は、正レンズと、負レンズと、を有し、以下の条件式（７）を満足することを特徴とする。
２．０≦（ｆT／ＦｎｏT）／ＬTC≦６．０      （７）
ここで、
ｆTは、第１状態における撮像光学系の焦点距離、
ＦｎｏTは、無限遠物点合焦時のマスター光学系のＦナンバー、
ＬTCは、コンバーターレンズの最も物体側に位置するレンズ面から最も像側に位置するレンズ面までの距離、
焦点距離とＦナンバーは、それぞれ、マスター光学系の焦点距離が最大になる状態での焦点距離とＦナンバー、
である。
【００９２】
第７実施形態の撮像光学系は、第６実施形態の撮像光学系と同様の構成を備える。よって、第７実施形態の撮像光学系においても、第６実施形態の撮像光学系と同様の効果が得られる。
【００９３】
上述のように、第７実施形態の撮像光学系でも、屈折力を２つの副群で分担できるので、球面収差の補正効果をより大きくすることができる。そのため、球面収差の発生を抑制しつつ、コンバーターレンズの倍率を高めることができる。
【００９４】
コンバーターレンズの倍率を高めることができると、像側副群を一つのレンズ成分で構成することが可能となる。更に、物体側副群と中間副群を、それぞれ一つのレンズ成分で構成すると、コンバーターレンズを３つのレンズ成分で構成することができる。その結果、コンバーターレンズの全長短縮を行うことができる。また、これにより、マスター光学系の全長短縮を行うことができる。
【００９５】
条件式（７）の下限値を下回ると、所定の空間が広くなるのでマスター光学系の全長短縮が難しくなる。条件式（７）の上限値を上回ると、コンバーターレンズでの球面収差の補正効果が低下する。そのため、第２状態において良好な結像性能が得られない。
【００９６】
本実施形態の撮像光学系では、第１副群は正レンズを有することが好ましい。
【００９７】
このようにすることで、第１副群と第２副群との間において、軸外光線の高さを抑えることができる。そのため、第１副群と第２副群との間でコンバーターレンズを出し入れする場合、コンバーターレンズのレンズ径を小さくすることができる。
【００９８】
本実施形態の撮像光学系では、第２副群は所定のレンズを有し、所定のレンズの屈折力の符号は、コンバーターレンズの屈折力の符号と逆であることが好ましい。
【００９９】
コンバーターレンズは、屈折力を有する。そのため、コンバーターレンズが撮像光学系の中に挿入されると、コンバーターレンズの屈折力によって、ペッツバール和が変化する。その結果、場合によっては、非点収差の発生量が大きくなる。
【０１００】
所定のレンズの屈折力の符号を、コンバーターレンズの屈折力の符号と逆にすることで、非点収差の発生を効果的に改善できる。
【０１０１】
本実施形態の撮像光学系では、第２副群は、正レンズと、負レンズと、を有することが好ましい。
【０１０２】
第２副群は、最も像側に配置されている。第２副群は、歪曲収差の発生と倍率色収差の発生に大きく寄与する。正レンズによって、正の歪曲収差の補正効果を高めることができ、負レンズによって、倍率色収差の補正効果を高めることができる。
【０１０３】
上述のように、光学系の全長を短縮すると、マスター光学系において最も物体側に位置するレンズ群（以下、「第１前群」という）で、主に正の歪曲収差が発生する。また、マスター光学系において物体側に位置するレンズ群（以下、「前側レンズ群」という）では、倍率色収差が残存する。正の歪曲収差は、正レンズにより良好に補正することができる。倍率色収差は、負レンズにより補正することができる。
【０１０４】
このように、第２副群が正レンズと負レンズを有することで、光学系の全長短縮と色補正に関する第１前群の負担を、第２副群に分散することができる。その結果、光学系の小型化と結像性能の向上とを達成することができる。
【０１０５】
また、第１前群ではレンズの径が大きいので、第１前群では重量が大きくなり易い。しかしながら、第１前群の負担を第２副群に分散することができるので、第１前群に用いられるレンズの枚数の削減ができる。また、選定可能なガラスの種類が増えるので、より低比重のガラスを第１前群に使用することができる。その結果、第１前群の軽量化が容易となる。
【０１０６】
第２副群に用いられるレンズの枚数が多くなると、上述の効果を得つつ第１副群と第２副群との間隔や、バックフォーカスを十分に確保することが困難になる。よって、第２副群は、１枚の正レンズと１枚の負レンズのみで構成されていることが望ましい。
【０１０７】
本実施形態の撮像光学系は、以下の条件式（８）を満足することを特徴とする。
｜ΔＦｂT｜／ＦｎｏT≦０．０５（ｍｍ）      （８）
ここで、
ΔＦｂT＝ＦｂT−ＦｂconT、
ＦｂTは、第１状態における無限遠物点合焦時の撮像光学系のバックフォーカス、
ＦｂconTは、第２状態における無限遠物点合焦時の撮像光学系のバックフォーカス、
ＦｎｏTは、無限遠物点合焦時のマスター光学系のＦナンバー、
第１状態は、所定の空間にコンバーターレンズが挿入されていない状態、
第２状態は、所定の空間にコンバーターレンズが挿入されている状態、
バックフォーカスとＦナンバーは、それぞれ、マスター光学系の焦点距離が最大になる状態でのバックフォーカスとＦナンバー、
である。
【０１０８】
バックフォーカスは、第１状態と第２状態とで、ほとんど変化しないことが望ましい。ただし、バックフォーカスが変化しても、変化量が、フォーカス群の移動で補正することが可能な量であれば、フォーカス群の移動でバックフォーカスを一定にすることが可能である。
【０１０９】
条件式（８）の上限値を上回ると、コンバーターレンズを挿入したときのフォーカスズレが大きくなる。この場合、被写体の認識ができなくなる可能性が高くなるので、撮影機会を逃す可能性がある。
【０１１０】
本実施形態の撮像光学系は、以下の条件式（９）を満足することが好ましい。
０．０５≦ＬR12／ＬT≦０．２５      （９）
ここで、
ＬR12は、所定の空間における光軸に沿う方向の長さ、
ＬTは、第１状態における無限遠物点合焦時の撮像光学系の全長、
全長は、マスター光学系の焦点距離が最大になる状態での撮像光学系の最も物体側に位置するレンズ面から像面までの距離、
である。
【０１１１】
条件式（９）の下限値を下回ると、所定の空間の広さが不足する。コンバーターレンズの全長を短くすると、主に、球面収差の補正と色収差の補正が困難となる。そのため、良好な結像性能が得られない。
【０１１２】
所定の空間よりも物体側には、マスター光学系を構成するレンズの大部分が位置している。これらのレンズは、諸収差の補正に寄与している。そのため、所定の空間が広くなると、マスター光学系でレンズを配置できる空間が圧迫されてしまう。その結果、諸収差の補正が難しくなる。
【０１１３】
条件式（９）の上限値を上回ると、所定の空間の広さが広くなる。この場合、マスター光学系でレンズを配置する空間が少なくなる。そのため、諸収差の補正作用が十分に得られなくなる。
【０１１４】
望遠光学系や超望遠光学系においては、主に球面収差・倍率色収差・ディストーションなどの悪化を招く。また、これらの光学系にフォーカス機能やズーム機能を持たせる場合、レンズを移動させるスペースや、移動機構を配置するスペースを、十分に確保することができない。そのため、レンズの移動による球面収差や倍率色変動が大きくなる。
【０１１５】
本実施形態の撮像光学系では、コンバーターレンズは負屈折力を有し、以下の条件式（１０）を満足することが好ましい。
１．１５≦ｆtconT／ｆT≦２．０５      （１０）
ここで、
ｆtconTは、第２状態における撮像光学系の焦点距離、
ｆTは、第１状態における撮像光学系の焦点距離、
焦点距離は、マスター光学系の焦点距離が最大になる状態での焦点距離、
である。
【０１１６】
条件式（１０）の下限値を下回ると、第１状態と第２状態とで、画角の変化が少なくなる。そのため、被写体距離の変化や被写体の大きさの変化などに対応しにくくなる。その結果、様々な撮影シーンに対応することが困難になる。条件式（１０）の上限値を上回ると、コンバーターレンズの負屈折力が大きくなる。そのため、非点収差の補正が困難になる。
【０１１７】
第２実施形態の撮像光学系、第４実施形態の撮像光学系、及び第５実施形態の撮像光学系から第７実施形態の撮像光学系は、以下の条件式（１’）を満足することが好ましい。
０．１≦ＬconT／ＬT≦０．４４      （１’）
ここで、
ＬconTは、第２状態における無限遠物点合焦時の所定の距離、
ＬTは、第１状態における無限遠物点合焦時の撮像光学系の全長、
所定の距離は、マスター光学系の焦点距離が最大になる状態でのコンバーターレンズの最も物体側に位置するレンズ面から像面までの距離、
全長は、マスター光学系の焦点距離が最大になる状態での撮像光学系の最も物体側に位置するレンズ面から像面までの距離、
である。
【０１１８】
条件式（１’）の技術的意義は、条件式（１）の技術的意義と同じである。
【０１１９】
第２実施形態の撮像光学系から第７実施形態の撮像光学系は、以下の条件式（２’）を満足することが好ましい。
１．２≦ＬconT／ＦｂT≦４．０      （２’）
ここで、
ＬconTは、第２状態における無限遠物点合焦時の所定の距離、
ＦｂTは、第１状態における無限遠物点合焦時の撮像光学系のバックフォーカス、
所定の距離は、マスター光学系の焦点距離が最大になる状態でのコンバーターレンズの最も物体側に位置するレンズ面から像面までの距離、
バックフォーカスは、マスター光学系の焦点距離が最大になる状態でのバックフォーカス、
である。
【０１２０】
条件式（２’）の技術的意義は、条件式（２）の技術的意義と同じである。
【０１２１】
第１実施形態の撮像光学系、第３実施形態の撮像光学系、及び第５実施形態の撮像光学系から第７実施形態の撮像光学系は、以下の条件式（３’）を満足することが好ましい。
−５．０≦ＦｂT／ＲtconR≦１．０      （３’）
ここで、
ＦｂTは、第１状態における無限遠物点合焦時の撮像光学系のバックフォーカス、
ＲtconRは、コンバーターレンズの最も像側に位置するレンズ面の曲率半径、
である。
【０１２２】
条件式（３’）の技術的意義は、条件式（３）の技術的意義と同じである。
【０１２３】
第１実施形態の撮像光学系、第２実施形態の撮像光学系、及び第５実施形態の撮像光学系から第７実施形態の撮像光学系は、以下の条件式（４”）を満足することが好ましい。
０．１≦ＦｂT／ＲtconF≦４．０      （４”）
ここで、
ＦｂTは、第１状態における無限遠物点合焦時の撮像光学系のバックフォーカス、
ＲtconFは、コンバーターレンズの最も物体側に位置するレンズ面の曲率半径、
である。
【０１２４】
条件式（４”）の技術的意義は、条件式（４）の技術的意義と同じである。
【０１２５】
第５実施形態の撮像光学系では、複数のレンズ成分は、物体側レンズ成分を有し、物体側レンズ成分は単レンズであって、最も物体側に位置し、以下の条件式（１１）を満足することが好ましい。
５０≦νｄconLc1      （１１）
ここで、
νｄconLc1は、単レンズのアッベ数、
である。
【０１２６】
コンバーターレンズは、複数のレンズ成分で構成されている。複数のレンズ成分は、物体側レンズ成分を有する。物体側レンズ成分は、最も物体側に位置している。物体側レンズ成分を単レンズにすることで、コンバーターレンズの全長短縮を図ることができる。
【０１２７】
条件式（１１）を満足することにより、物体側レンズ成分よりも像側に位置するレンズ成分において、軸上色収差の補正の負担割合を減らすことができる。この場合、コンバーターレンズの全長短縮を図ることがより容易となるので、コンバーターレンズの小型化が行える。
【０１２８】
第１実施形態の撮像光学系から第４実施形態の撮像光学系、第６実施形態の撮像光学系、第７実施形態の撮像光学系では、コンバーターレンズは、複数のレンズで構成されている。この場合、複数のレンズは、物体側レンズを有し、物体側レンズは、単レンズであって、最も物体側に位置し、上述の条件式（１１）を満足することが好ましい。
【０１２９】
第１実施形態の撮像光学系から第４実施形態の撮像光学系、第６実施形態の撮像光学系、第７実施形態の撮像光学系では、コンバーターレンズは、複数のレンズ成分を有するテレコンバーターレンズであり、レンズ成分では、入射側と射出側のみが空気接触面であり、テレコンバーターレンズは、正屈折力の物体側レンズ成分と、正レンズを有する像側レンズ成分と、負屈折力の中間レンズ成分と、を有し、物体側レンズ成分は、最も物体側に位置し、像側レンズ成分は、最も像側に位置し、中間レンズ成分は、物体側レンズ成分と像側レンズ成分との間に位置し、中間レンズ成分の負屈折力は、負屈折力のレンズ成分のなかで最も大きいことが好ましい。
【０１３０】
このような構成を備えることにより、第５実施形態の撮像光学系で説明した技術的効果を得ることができる。
【０１３１】
第１実施形態の撮像光学系から第４実施形態の撮像光学系、第６実施形態の撮像光学系、第７実施形態の撮像光学系は、以下の条件式（５’）を満足することが好ましい。
０．５≦｜ｆconLCObj／ｆconLCM2｜≦ ４．０      （５’）
ここで、
ｆconLCObjは、物体側レンズ成分の焦点距離、
ｆconLCM2は、中間レンズ成分の焦点距離、
である。
【０１３２】
条件式（５’）の技術的意義は、条件式（５）の技術的意義と同じである。
【０１３３】
本実施形態の撮像光学系では、中間レンズ成分の物体側に、負レンズを有するレンズ成分が配置されていることが好ましい。
【０１３４】
上述のように、コンバーターレンズの負屈折力は、中間レンズ成分が担っている。中間レンズ成分の物体側に負レンズを有するレンズ成分を配置することで、このレンズ成分と中間レンズ成分とで、コンバーターレンズの負屈折力を分担することができる。その結果、正の球面収差の発生をより抑制することができる。
【０１３５】
負レンズを有するレンズ成分の屈折力は、負屈折力にすることが望ましい。このようにすると、正の球面収差の発生を更に抑制することができる。
【０１３６】
本実施形態の撮像光学系では、像側レンズ成分は、正屈折力を有することが好ましい。
【０１３７】
このようにすることで、像面湾曲の発生と歪曲収差の発生を抑制する効果を高めることができる。
【０１３８】
本実施形態の撮像光学系では、コンバーターレンズは、物体側から順に、物体側レンズ成分と、負レンズを有するレンズ成分と、中間レンズ成分と、像側レンズ成分と、からなることが好ましい。
【０１３９】
コンバーターレンズにレンズ成分を多く配置することは、収差補正の面で有効である。しかしながら、レンズ成分が多いと、コンバーターレンズの全長が長くなるため、所定の空間も大きくなる。その結果、マスター光学系の全長と所定の空間の全長とのバランスが悪くなる。
【０１４０】
コンバーターレンズを４つのレンズ成分で構成することで、マスター光学系の全長と所定の空間の全長とのバランスを適切にすることができる。
【０１４１】
第１〜４実施形態の撮像光学系では、コンバーターレンズは、テレコンバーターレンズであり、テレコンバーターレンズは、正屈折力の物体側副群と、中間副群と、負屈折力の像側副群と、を有し、物体側副群は、最も物体側に位置し、中間副群は、物体側副群よりも像側に位置し、像側副群は、中間副群よりも像側に位置し、物体側副群の物体側のレンズ面は、物体側に凸の面であり、像側副群は、正レンズと、負レンズと、を有することが好ましい。
【０１４２】
このようにすることで、第６実施形態の撮像光学系や第７実施形態の撮像光学系で説明した効果を得ることができる。また、第５実施形態の撮像光学系において、複数のレンズ成分を、上述の副群に分けることができる。
【０１４３】
本実施形態の撮像光学系では、以下の条件式（６’）を満足することが好ましい。
０．６９≦｜ｆconLCOB／ｆconLCB｜≦３．５      （６’）
ここで、
ｆconLCOBは、物体側副群の焦点距離、
ｆconLCBは、像側副群の焦点距離、
である。
【０１４４】
条件式（６’）の技術的意義は、条件式（６）の技術的意義と同じである。
【０１４５】
本実施形態の撮像光学系では、中間副群は、負屈折力を有し、中間副群の形状は、メニスカス形状であることが好ましい。
【０１４６】
このようにすることで、コンバーターレンズの負屈折力を、中間副群と像側副群とで分担することができる。そのため、球面収差の発生を抑えつつ、コンバーターレンズの全長短縮を行うことができる。このように、コンバーターレンズの全長短縮を行っても、良好な結像性能の確保が容易となる。また、マスター光学系の全長短縮も可能となる。
【０１４７】
本実施形態の撮像光学系では、以下の条件式（７’）を満足することが好ましい。
２．５≦（ｆT／ＦｎｏT）／ＬTC≦６．０      （７’）
ここで、
ｆTは、第１状態における撮像光学系の焦点距離、
ＦｎｏTは、無限遠物点合焦時のマスター光学系のＦナンバー、
ＬTCは、コンバーターレンズの最も物体側に位置するレンズ面から最も像側に位置するレンズ面までの距離、
焦点距離とＦナンバーは、それぞれ、マスター光学系の焦点距離が最大になる状態での焦点距離とＦナンバー、
である。
【０１４８】
条件式（７’）の技術的意義は、条件式（７）の技術的意義と同じである。
【０１４９】
本実施形態の撮像光学系では、後側レンズ群は、ブレ補正レンズ群を有し、ブレ補正レンズ群よりも像側は、正屈折力の副群と、第２副群と、からなり、所定の空間は、正屈折力の副群と第２副群との間に位置していることが好ましい。
【０１５０】
コンバーターレンズを小型化するためには、コンバーターレンズよりも物体側が、正屈折力の作用を持つ部分を有していることが好ましい。また、ブレ補正レンズよりも像側が、正屈折力の作用を持つ部分を有していることが好ましい。
【０１５１】
このような構成でブレ補正レンズ群の屈折力を負屈折力にすることで、高いブレ補正感度の確保と、ブレ補正レンズ群の移動時の像面の倒れの補正が容易となる。
【０１５２】
ブレ補正感度は、ブレ補正レンズ群のシフト量に対する結像位置のシフト量である。高いブレ補正感度が確保できることで、ブレ補正レンズ群のシフト量を小さくすることができる。その結果、像ブレを、高速で補正することができる。
【０１５３】
後側レンズ群は最も像側に位置するので、後側レンズ群の位置では軸上光束径が小さくなっている。よって、後側レンズ群の位置でレンズを移動させても、球面収差への影響は、他のレンズ群でレンズを移動させる場合に比べて比較的少ない。後側レンズ群内にブレ補正レンズ群を配置することで、ブレ補正レンズ群を移動させても、移動時の球面収差の悪化を抑制することができる。
【０１５４】
本実施形態の撮像光学系は、ブレ補正レンズ群よりも物体側に、正屈折力の副群を有することが好ましい。
【０１５５】
このようにすることで、ブレ補正レンズ群に入射する光束が収斂光束になる。ブレ補正レンズに入射する光線の高さが低くなるので、ブレ補正レンズ群を小型化することができる。
【０１５６】
ブレ補正レンズ群の屈折力を負屈折力にすると、ブレ補正レンズ群の両側に正屈折力の副群が配置されることになる。そのため、ブレ補正感度の高いブレ補正レンズ群を実現することができる。すなわち、ブレ補正レンズ群の応答性を高めるこができる。その結果、像ブレを、高速で補正することができる。
【０１５７】
本実施形態の撮像光学系では、後側レンズは複数のレンズ成分を有し、レンズ成分では、入射側と射出側のみが空気接触面であり、第１副群と第２副群は、共にレンズ成分で構成されていることが好ましい。
【０１５８】
このようにすることで、第１副群の保持と第２副群の保持を、共に、簡略化することができる。この場合、所定の空間をより有効に利用できるので、所定の空間を小さくすることができる。その結果、光学系を、より小型化することができる。
【０１５９】
第１副群を１枚のレンズ成分、例えば、１枚の単レンズにすることで、光学系を、より小型化することができる。
【０１６０】
本実施形態の撮像光学系では、マスター光学系は、最も物体側に配置された前側レンズ群と、中間レンズ群と、後側レンズ群と、を有し、前側レンズ群は、物体側から順に、正屈折力の第１前群と、負屈折力の第２前群と、からなり、第１前群と第２前群は、それぞれ、正レンズと、負レンズと、を有し、第１前群と第２前群との間隔は、広角端よりも望遠端で広く、中間レンズ群は、物体側から順に、正屈折力の第１中間群と、負屈折力の第２中間群と、からなり、第１中間群は、正レンズと、負レンズと、を有し、第１中間群と第２前群との間隔は、広角端よりも望遠端で狭く、第２中間群と第２中間群の像側に隣接するレンズ群との間隔は、ズーム時又はフォーカス時に変化し、第２中間群は、遠点から近点へのフォーカス時に像側に移動し、後側レンズ群は、正レンズと、負レンズと、を有することが好ましい。
【０１６１】
半画角が５度以下、又は４度以下のズーム光学系は、望遠ズーム又は超望遠ズームと呼ばれる。このようなズーム光学系において優れた機動性を確保するためには、光学系の全長短縮と軽量化が重要となる。また、フォーカススピードをより速めることも、優れた機動性の確保のために重要となる。
【０１６２】
また、ズーム光学系では、優れた機動性に加えて、ズーム域の全域とフォーカス域の全域の両方で、良好な結像性能を備えていることが重要である。良好な結像性能を確保するには、球面収差の補正と色収差の補正が極めて重要となる。
【０１６３】
本実施形態の撮像光学系のマスター光学系（以下、「第１のマスター光学系」という）は、ズーム光学系である。第１のマスター光学系では、前側レンズ群は、物体側から順に、正屈折力の第１前群と、負屈折力の第２前群と、からなり、第１前群と第２前群は、それぞれ、正レンズと、負レンズと、を有する。このようにすることで、それぞれのレンズ群内での色収差の発生を軽減することができる。その結果、ズーム時の軸上色収差の発生や軸外色収差の発生を抑制することができる。
【０１６４】
第１前群と第２前群との間隔は、広角端よりも望遠端で広い。このようにすることで、主に、変倍作用を高めると共に、望遠端付近でのテレフォト作用を強めることができる。このような構成は、高い変倍比の確保と、光学系の全長短縮に寄与する。
【０１６５】
中間レンズ群は、物体側から順に、正屈折力の第１中間群と、負屈折力の第２中間群と、からなり、第１中間群は、正レンズと、負レンズと、を有し、第１中間群と第２前群との間隔は、広角端よりも望遠端で狭く、第２中間群と第２中間群の像側に隣接するレンズ群との間隔は、ズーム時又はフォーカス時に変化し、第２中間群は、遠点から近点へのフォーカス時に像側に移動する。
【０１６６】
第１中間群は、光学系の全長短縮と、ズーム域の全域での球面収差の発生に大きく寄与する。第１中間群の屈折力を大きくすることで、光学系の全長短縮を行うことができる。ただし、第１中間群の屈折力を大きくすると、球面収差の発生が大きくなる。
【０１６７】
第１中間群が正レンズと負レンズを少なくとも有することで、第１中間群の屈折力を大きくして光学系の全長短縮を行う場合であっても、球面収差の発生と軸上色収差の発生を抑制することができる。
【０１６８】
また、第２中間群が負屈折力を持つことで、球面収差の補正効果が得られる。そして、負屈折力を大きくすることで、球面収差の補正効果を更に高めることができる。これにより、第１中間群の屈折力を更に大きくして光学系の全長短縮を行っても、第１中間群で発生した球面収差を補正することができる。
【０１６９】
また、フォーカス時に像面位置が変動する場合、第２中間群と第２中間群の像側に隣接するレンズ群との間隔を変化させることで、第２中間群の小径化と、像面位置の補正効果の向上を行うことができる。ズーム時にも、像面位置の変動が生じる場合がある。２つのレンズ群の間隔の変化を、第２中間群の小径化と、ズーム時の像面位置の補正効果の向上に利用しても良い。
【０１７０】
また、第２中間群の負屈折力を大きくすると、上述のように、球面収差の補正効果が更に高まるだけでなく、第２中間群の像面位置の補正効果が高まる。第２中間群における像面位置の補正効果の向上は、像面位置の補正感度の向上、すなわち、像面位置の補正における第２中間群の移動量の減少につながる。
【０１７１】
全長が短縮された光学系では、レンズ群の移動量が限られる。第２中間群の移動量を減らすことで、ズーム時の光学系の全長の変動を軽減できる。これにより、重心位置の変動を減らすことができる。その結果、安定した撮影を行うことができる。
【０１７２】
第２中間群は、遠点から近点へのフォーカス時に像側に移動する。このように、第２中間群はフォーカス群として機能する。上述のように、第２中間群は小径化することができる。よって、フォーカス群の軽量化と移動量の軽減が可能になる。
【０１７３】
第１前群は正屈折力を有し、第２前群は負屈折力を有し、第１中間群は正屈折力を有する。よって、マスター光学系は、屈折力の並びが正、負、正となる部分を有する。このような屈折力の並びにおいて、第１前群と第２前群との間隔は広角端よりも望遠端で広く、第１中間群と第２前群との間隔は広角端よりも望遠端で狭くなっている。
【０１７４】
このようにすることで、ズーム域の全域で、第１中間群内の光線をアフォーカルに近い状態とすることが容易となる。これにより、第１中間群から像面までの間で、ズーム時の光線角の変動と光線高の変動とを減らすことができる。
【０１７５】
この場合、球面収差の変動や像面湾曲の変動をズーム域の全域で減らすことができるため、第２中間群のレンズ枚数の削減が容易となる。更に、フォーカス時やズーム時に、第２中間群の移動による収差変動も減らすことができるため、第２中間群のレンズ枚数の削減がより容易となる。
【０１７６】
上述のように、第２中間群はフォーカス群として機能する。第２中間群のレンズ枚数の削減により、フォーカス群の軽量化がより容易となるので、フォーカススピードをより速めることが容易となる。よって、迅速なフォーカシングが可能になる。
【０１７７】
後側レンズ群は、正レンズと、負レンズと、を有する。このようにすることで、以下の所定の効果が得られる。
【０１７８】
光学系の全長を短縮すると、第１前群で、主に正の歪曲収差が発生する。この正の歪曲収差を、後側レンズ群の正レンズにより良好に補正することができる。また、後側レンズ群の負レンズにより、倍率色収差の補正効果を高めることができる。前側レンズ群では、倍率色収差が残存する。そこで、後側レンズ群の負レンズにより、倍率色収差を良好に補正することができる。
【０１７９】
前側レンズ群、特に第１前群は、光学系の全長短縮と色収差の補正を負担している。後側レンズ群が正レンズと負レンズを備えることで、第１前群における負担を後側レンズ群に分散させることができる。その結果、光学系の小型化と高い結像性能の確保が達成できる。
【０１８０】
また、第１前群ではレンズの径が大きいため、第１前群は重たいレンズ群になっている。第１前群における負担が分散されることで、第１前群におけるレンズの枚数の削減ができる。また、選定可能なガラスの種類が増えるので、より低比重のガラスを第１前群に使用することができる。その結果、第１前群の軽量化が容易となる。
【０１８１】
本実施形態の撮像光学系では、マスター光学系は、最も物体側に配置された前側レンズ群と、中間レンズ群と、後側レンズ群と、を有し、前側レンズ群は、物体側から順に、正屈折力の第１前群と、負屈折力の第２前群と、からなり、第１前群と第２前群は、それぞれ、正レンズと、負レンズと、を有し、第１前群と第２前群との間隔は、広角端よりも望遠端で広く、中間レンズ群は、物体側から順に、第１中間群と、負屈折力の第２中間群と、からなり、第１中間群は、物体側から順に、正屈折力の第１副群と、正屈折力の第２副群と、を有すると共に、第１中間群全体で、正レンズと、負レンズと、を有し、第１副群と第２前群との間隔は、広角端よりも望遠端で狭く、第２中間群と第２中間群の像側に隣接するレンズ群との間隔は、ズーム時又はフォーカス時に変化し、第２中間群は、遠点から近点へのフォーカス時に像側に移動し、後側レンズ群は正レンズを有し、第１副群から像面までの間に、負屈折力のブレ補正レンズ群を有し、ブレ補正レンズ群が光軸に対して垂直な方向に移動することで、像ブレが補正されていることが好ましい。
【０１８２】
本実施形態の撮像光学系のマスター光学系（以下、「第２のマスター光学系」という）は、ズーム光学系である。第１のマスター光学系と同じ構成については、説明を省略する。
【０１８３】
中間レンズ群は、物体側から順に、第１中間群と、負屈折力の第２中間群と、からなり、第１中間群は、物体側から順に、正屈折力の第１副群と、正屈折力の第２副群と、を有すると共に、第１中間群全体で、正レンズと、負レンズと、を有し、第１副群と第２前群との間隔は、広角端よりも望遠端で狭く、第２中間群と第２中間群の像側に隣接するレンズ群との間隔は、ズーム時又はフォーカス時に変化し、第２中間群は、遠点から近点へのフォーカス時に像側に移動する。
【０１８４】
第１中間群は、光学系の全長短縮と、ズーム域の全域での球面収差の発生に大きく寄与する。第１中間群の屈折力を大きくすることで、光学系の全長短縮を行うことができる。ただし、第１中間群の屈折力を大きくすると、球面収差の発生が大きくなる。
【０１８５】
第１中間群が、物体側から順に、正屈折力の第１副群と正屈折力の第２副群とを有すると共に、第１中間群全体で正レンズと負レンズを少なくとも有することで、第１中間群の屈折力を大きくして光学系の全長短縮を行う場合であっても、球面収差の発生と軸上色収差の発生を抑制することができる。
【０１８６】
第１副群と第２副群との間隔は、ズーム時に変化させることができる。このようにすることで、ズーム域の全域で、球面収差の発生を抑制することができる。
【０１８７】
第１前群は正屈折力を有し、第２前群は負屈折力を有し、第１中間群は正屈折力の第１副群と正屈折力の第２副群とを有する。よって、マスター光学系は、屈折力の並びが正、負、正、正となる部分を有する。このような屈折力の並びにおいて、第１前群と第２前群との間隔は広角端よりも望遠端で広く、第１副群と第２前群との間隔は広角端よりも望遠端で狭くなっている。
【０１８８】
このようにすることで、ズーム域の全域で、第１中間群内の光線、すなわち、第１副群と第２副群における光線をアフォーカルに近い状態とすることが容易となる。これにより、第１副群から像面までの間で、ズーム時の光線角の変動と光線高の変動とを減らすことができる。
【０１８９】
この場合、球面収差の変動や像面湾曲の変動をズーム域の全域で減らすことができるため、第２中間群のレンズ枚数の削減が容易となる。更に、フォーカス時やズーム時に、第２中間群の移動による収差変動も減らすことができるため、第２中間群のレンズ枚数の削減がより容易となる。
【０１９０】
上述のように、第２中間群はフォーカス群として機能する。第２中間群のレンズ枚数の削減により、フォーカス群の軽量化がより容易となるので、フォーカススピードをより速めることが容易となる。よって、迅速なフォーカシングが可能になる。
【０１９１】
後側レンズ群は正レンズを有する。このようにすることで、以下の所定の効果が得られる。
【０１９２】
光学系の全長を短縮すると、第１前群で、主に正の歪曲収差が発生する。この正の歪曲収差を、後側レンズ群の正レンズにより良好に補正することができる。
【０１９３】
後側レンズ群には、負レンズを配置することができる。このようにすると、後側レンズ群の負レンズにより、倍率色収差の補正効果を高めることができる。前側レンズ群では、倍率色収差が残存する。そこで、後側レンズ群の負レンズにより、倍率色収差を良好に補正することができる。
【０１９４】
前側レンズ群、特に第１前群は、光学系の全長短縮と色収差の補正を負担している。後側レンズ群が正レンズと負レンズを備えることで、第１前群における負担を後側レンズ群に分散させることができる。その結果、光学系の小型化と高い結像性能の確保が達成できる。
【０１９５】
本実施形態の撮像光学系では、以下の条件式（１２）を満足することが好ましい。
ＬＴＬL／ＬＴＬS≦１．２５      （１２）
ここで、
ＬＴＬSは、広角端から望遠端までの間における撮像光学系の全長のうち、最小となる全長、
ＬＴＬLは、広角端から望遠端までの間おける撮像光学系の全長のうち、最大となる全長、
全長は、最も物体側に位置するレンズ面から像面までの距離、
である。
【０１９６】
望遠ズームや超望遠ズームでは、最も物体側のレンズ群の径が大きくなる。そのため、最も物体側のレンズ群の重量が、他のレンズ群に比べて非常に大きくなる。ズーム時、重たいレンズ群が大きく動くと、レンズ群の移動前と移動後とでの重心位置の変動が大きくなる。重心位置の大きな変動は、撮影時の像ズレの原因となる。このように、最も物体側のレンズ群の移動は、安定した撮影の妨げになる。
【０１９７】
また、レンズ群の移動では、レンズ群を保持する鏡筒を、円筒部材に対して移動させる。円筒部材は、鏡筒の外側に配置されている。鏡筒は円筒部材の内周面に沿って移動する。そのため、レンズ群の移動の際には、機械的な抵抗が少なからず生じる。重たいレンズ群が移動すると、機械的な抵抗が大きくなる。機械的な抵抗が大きくなると、撮像装置の操作性が悪くなる。よって、最も物体側のレンズ群の移動は、良好な操作性の実現の妨げになる。
【０１９８】
第１のマスター光学系や第２のマスター光学系では、最も物体側に第１前群が位置している。そこで、第１のマスター光学系や第２のマスター光学系では、上述の影響を少なくするため、又はこの影響を無くすため、ズーム時の第１前群の移動量を規制している。
【０１９９】
条件式（１２）の上限値を上回ると、ズーム時の重心位置の変動と駆動抵抗が大きくなる。そのため、安定して撮影を行うことや、良好な操作性を実現することが難しくなる。条件式（１２）の値が１のとき、撮像光学系の全長はズーム時に変化しない。すなわち、撮像光学系では、光学系の全長が固定されている。
【０２００】
また、広角端から望遠端までの間における撮像光学系の全長のうち、最大となる全長が、マスター光学系の焦点距離が最大になる状態での撮像光学系の全長となるようにしても良い。このようにすると、ズーム時に第１前群と第２前群とを移動させる場合、第２前群の移動量を第１前群に分担させることができる。その結果、第２前群の移動量を減らすことができるので、諸収差の悪化を防ぎつつ、大きな望遠比を確保することができる。
【０２０１】
第１のマスター光学系や第２のマスター光学系では、ズーム時に、第１中間群と第２中間群のどちらか一方を、移動させることができる。
【０２０２】
重心位置の変動の抑制と駆動抵抗は、中間レンズ群によって得られる効果を高めることで、より容易に低減することができる。第１中間群と第２中間群のどちらか一方を移動させることで、中間レンズ群によって得られる効果をより高めることができる。すなわち、ズーム時の像面位置の変動を、より良く補正することができる。また、光学系の全長の変動を少なくすること、又は、光学系の全長を固定することが容易となる。
【０２０３】
本実施形態の撮像光学系は、以下の条件式（１３）を満足することが好ましい。
２．５≦ＫＭＢT≦１５．０      （１３）
ここで、
ＫＭＢT＝｜ＭＧMBTback２×（ＭＧMBT２−１）｜、
ＭＧMBTbackは、マスター光学系の焦点距離が最大になる状態での第１の所定の光学系の横倍率、
ＭＧMBTは、マスター光学系の焦点距離が最大になる状態での第２中間群の横倍率、
第１の所定の光学系は、第２中間群よりも像側に位置する全てのレンズで構成された光学系、
横倍率は、無限遠物点合焦時の横倍率、
である。
【０２０４】
条件式（１３）の下限値を下回ると、第２中間群での像面位置の補正効果が弱まってしまう。この場合、ズーム時の光学系の全長の変動が大きくなる。この場合、重心位置の変動を減らすことが困難になるため、安定した撮影が難しくなる。
【０２０５】
条件式（１３）の上限値を上回ると、第２中間群の位置誤差による結像位置の誤差が大きくなる。そのため、鮮明な光学像が得られなくなる。
【０２０６】
本実施形態の撮像光学系では、第２前群は、負屈折力の第３副群と、負屈折力の第４副群と、を有し、ズーム時、第３副群と第４副群との間隔が変化することが好ましい。
【０２０７】
このようにすることで、第２前群全体の負屈折力を大きくすることができる。そのため、第２前群の全長短縮を容易に行うことができる。また、ズーム時の球面収差の変化と非点収差の変化を、補正しやすくなる。ズーム時の光学系の全長の変動を少なくすることができる。
【０２０８】
本実施形態の撮像光学系では、第２前群は、負屈折力の第３副群と、負屈折力の第４副群と、を有し、ズーム時、第３副群と第４副群との間隔が変化し、後側レンズ群は、正レンズと、負レンズと、を有することが好ましい。
【０２０９】
第１前群は正屈折力を有し、第２前群は負屈折力を有し、第１中間群は正屈折力を有する。よって、マスター光学系は、屈折力の並びが正、負、正となる部分を有する。このような屈折力の並びにおいて、第１前群と第２前群との間隔は広角端よりも望遠端で広く、第１中間群と第２前群との間隔は広角端よりも望遠端で狭くなっている。
【０２１０】
このようにすることで、ズーム域の全域で、アフォーカル光学系に近い構成をとることが容易となる。これにより、第１中間群から像面までの間で、ズーム時の光線角の変動と光線高の変動とを減らすことができる。その結果、コンバーターレンズを小型化することができる。
【０２１１】
挿入式では、撮像光学系を保持する鏡筒内に、コンバーターレンズを配置する空間を設けておく必要がある。コンバーターレンズを小型化することができると、この空間の確保が容易になる。
【０２１２】
後側レンズ群は、正レンズと、負レンズと、を有する。このようにすることで、以下の所定の効果が得られる。
【０２１３】
光学系の全長を短縮すると、第１前群で、主に正の歪曲収差が発生する。この正の歪曲収差を、後側レンズ群の正レンズにより良好に補正することができる。また、後側レンズ群の負レンズにより、倍率色収差の補正効果を高めることができる。前側レンズ群では、倍率色収差が残存する。そこで、後側レンズ群の負レンズにより、倍率色収差を良好に補正することができる。
【０２１４】
前側レンズ群、特に第１前群は、光学系の全長短縮と色収差の補正を負担している。後側レンズ群が正レンズと負レンズを備えることで、第１前群における負担を後側レンズ群に分散させることができる。その結果、光学系の小型化と高い結像性能の確保が達成できる。
【０２１５】
また、第１前群ではレンズの径が大きいため、第１前群は重たいレンズ群になっている。第１前群における負担が分散されることで、第１前群におけるレンズの枚数の削減ができる。また、選定可能なガラスの種類が増えるので、より低比重のガラスを第１前群に使用することができる。その結果、第１前群の軽量化が容易となる。
【０２１６】
本実施形態の撮像光学系では、フォーカスレンズ群が、第１中間群から後側レンズ群の最も物体側のレンズ面までの間に配置されていることが好ましい。
【０２１７】
このようにすることで、フォーカスレンズ群の小径化が容易に行えるので、フォーカスレンズ群の軽量化も容易になる。その結果、被写体の大きさや、被写体までの距離が変化しても、その変化に対して迅速に対応することができる。
【０２１８】
本実施形態の撮像光学系では、ブレ補正レンズ群が、第１中間群から像面までの間に配置されていることが好ましい。
【０２１９】
第１中間群から像面までの間では、ズーム時、光線角の変動と光線高の変動が少なくなっている。そのため、第１中間群から像面までの間でレンズ群が移動しても、レンズ群の移動によって生じる収差変動は少ない。
【０２２０】
そこで、第１中間群から像面までの間にブレ補正レンズ群を配置し、ブレ補正レンズ群を光軸に対して垂直な方向に移動させる。このようにすることで、像ブレが生じても、ズーム域の全域で、安定した結像性能を確保しつつ、像ブレを補正することができる。
【０２２１】
また、第１中間群から像面までの間では、結像光学系が形成されている。結像光学系では、ズーム域の全域で光線高の変化が少ない。そのため、第１中間群から像面までの間にブレ補正レンズ群を配置すると、ブレ補正レンズ群の小径化が可能になる。ブレ補正レンズ群が小径化できると、ブレ補正レンズ群の応答性を高めるこができる。その結果、像ブレを、高速で補正することができる。
【０２２２】
ブレ補正レンズ群の屈折力は負屈折力にすることができる。上述のように、第１中間群から像面までの間では、結像光学系が形成されている。結像光学系の屈折力は正屈折力であるので、ブレ補正レンズ群の屈折力を負屈折力にすると、正屈折力の光学系中に負屈折力のブレ補正レンズ群が配置されることになる。
【０２２３】
また、結像光学系では光束が収斂されている。よって、結像光学系中にブレ補正レンズ群を配置することにより、ブレ補正レンズ群の小径化が図れる。これにより、より軽量でブレ補正感度の高いブレ補正レンズ群を実現することができる。すなわち、ブレ補正レンズ群の応答性を高めることができる。その結果、像ブレを、高速で補正することができる。
【０２２４】
本実施形態の撮像装置は、光学系と、撮像面を持ち、且つ光学系により撮像面上に形成された像を電気信号に変換する撮像素子と、を有し、光学系が上述の何れか一つの撮像光学系であることを特徴とする。
【０２２５】
機動性に優れると共に、高画質の画像が得られる撮像装置を提供することができる。
【０２２６】
上述の構成は相互に複数を同時に満足することがより好ましい。また、一部の構成を同時に満足するようにしてもよい。
【０２２７】
条件式については、それぞれの条件式を個別に満足させるようにしても良い。このようにすると、それぞれの効果を得やすくなるので好ましい。
【０２２８】
各条件式について、以下のように下限値、または上限値を変更しても良い、このようにすることで、各条件式の効果を一層確実にできるので好ましい。
条件式（１）については、以下の通りである。
下限値を、０．１３、０．１５、０．１７のいずれかにすることが好ましい。
上限値を、０．２８、０．２７のいずれかにすることが好ましい。
条件式（１’）については、以下の通りである。
下限値を、０．１３、０．１５、０．１７のいずれかにすることが好ましい。
上限値を、０．４、０．３５、０．３のいずれかにすることが好ましい。
条件式（２）については、以下の通りである。
下限値を、１．７、１．９のいずれかにすることが好ましい。
上限値を、３．３、３．２、２．８のいずれかにすることが好ましい。
条件式（２’）については、以下の通りである。
下限値を、１．５、１．７,１．９のいずれかにすることが好ましい。
上限値を、３．７、３．５、３．０のいずれかにすることが好ましい。
条件式（３）については、以下の通りである。
下限値を、−３．５、−２．５、−２のいずれかにすることが好ましい。
上限値を、０．３５、０．２５、０．０、−０．１のいずれかにすることが好ましい。
条件式（３’）については、以下の通りである。
下限値を、−３．５、−２．５、−２のいずれかにすることが好ましい。
上限値を、０．８、０．５、０．３、−０．１のいずれかにすることが好ましい。
条件式（４）については、以下の通りである。
下限値を、０．５、０．７、０．９のいずれかにすることが好ましい。
上限値を、２．３、２．２、２．０のいずれかにすることが好ましい。
条件式（４’）については、以下の通りである。
下限値を、０．５、０．７、０．９のいずれかにすることが好ましい。
上限値を、２．５、２．３、２．０のいずれかにすることが好ましい。
条件式（４”）については、以下の通りである。
下限値を、０．５、０．７、０．９のいずれかにすることが好ましい。
上限値を、３．５、３、２．５のいずれかにすることが好ましい。
条件式（５）については、以下の通りである。
下限値を、１．４、１．５、１．６のいずれかにすることが好ましい。
上限値を、３．８、３．５、３．２、２．８のいずれかにすることが好ましい。
条件式（５’）については、以下の通りである。
下限値を、０．７、１．０、１．４、１．５、１．６のいずれかにすることが好ましい。
上限値を、３．８、３．５、３．２、２．８のいずれかにすることが好ましい。
条件式（６）、（６’）については、以下の通りである。
下限値を、０．７２、０．７５、０．８５、１．０のいずれかにすることが好ましい。
上限値を、３、２．５、２のいずれかにすることが好ましい。
条件式（７）については、以下の通りである。
下限値を、２．２、２．５、３．０のいずれかにすることが好ましい。
上限値を、５．５、５．０、４．５のいずれかにすることが好ましい。
条件式（７’）については、以下の通りである。
下限値を、２．８、３．０、３．５のいずれかにすることが好ましい。
上限値を、５．５、５．０、４．５のいずれかにすることが好ましい。
条件式（８）については、以下の通りである。
上限値を、０．０３、０．０１５、０のいずれかにすることが好ましい。
条件式（９）については、以下の通りである。
下限値を、０．０６、０．０８のいずれかにすることが好ましい。
上限値を、０．２２、０．２、０．１７、０．１４のいずれかにすることが好ましい。
条件式（１０）については、以下の通りである。
下限値を、１．２、１．２３のいずれかにすることが好ましい。
上限値を、１．７、１．５のいずれかにすることが好ましい。
条件式（１１）については、以下の通りである。
下限値を、５８、６３、６８のいずれかにすることが好ましい。
条件式（１２）については、以下の通りである。
上限値を、１．２、１．１５、１のいずれかにすることが好ましい。
条件式（１３）については、以下の通りである。
下限値を、３．０、３．５、４、５．５のいずれかにすることが好ましい。
上限値を、１２．０、１０．０、８．０のいずれかにすることが好ましい。
【０２２９】
以下に、マスター光学系の実施例と撮像光学系の実施例を、図面に基づいて詳細に説明する。なお、この実施例によりこの発明が限定されるものではない。
【０２３０】
各実施例のレンズ断面図について説明する。（ａ）は広角端におけるレンズ断面図、（ｂ）は中間焦点距離状態におけるレンズ断面図、（ｃ）は望遠端におけるレンズ断面図を示している。
【０２３１】
各実施例の収差図について説明する。（ａ）は広角端における球面収差（ＳＡ）、（ｂ）は広角端における非点収差（ＡＳ）、（ｃ）は広角端における歪曲収差（ＤＴ）、（ｄ）は広角端における倍率色収差（ＣＣ）を示している。
【０２３２】
（ｅ）は中間焦点距離状態における球面収差（ＳＡ）、（ｆ）は中間焦点距離状態における非点収差（ＡＳ）、（ｇ）は中間焦点距離状態における歪曲収差（ＤＴ）、（ｈ）は中間焦点距離状態における倍率色収差（ＣＣ）を示している。
【０２３３】
また、（ｉ）は望遠端における球面収差（ＳＡ）、（ｊ）は望遠端における非点収差（ＡＳ）、（ｋ）は望遠端における歪曲収差（ＤＴ）、（ｌ）は望遠端における倍率色収差（ＣＣ）を示している。
【０２３４】
レンズ断面図は、無限遠物点合焦時のレンズ断面図である。収差図は、無限遠物点合焦時の収差図である。
【０２３５】
第１レンズ群はＧ１、第２レンズ群はＧ２、第３レンズ群はＧ３、第４レンズ群はＧ４、第５レンズ群はＧ５、第６レンズ群はＧ６、第７レンズ群はＧ７、開口絞りはＳ、像面（撮像面）はＩで示してある。
【０２３６】
撮像光学系では、マスター光学系の中にコンバーターレンズが挿入されている。実施例におけるマスター光学系と撮像光学系の対応関係は、以下のとおりである。ＴＣはテレコンバーターレンズを意味する。
【０２３７】
例えば、実施例２は撮像光学系である。実施例２の撮像光学系では、実施例１のマスター光学系にテレコンバーターレンズが挿入されている。
【０２３８】
マスター光学系      撮像光学系
実施例１            実施例２（ＴＣ挿入）
実施例３            実施例４（ＴＣ挿入）
実施例５            実施例６（ＴＣ挿入）
実施例７            実施例８（ＴＣ挿入）
実施例９            実施例１０（ＴＣ挿入）
実施例１１          実施例１２（ＴＣ挿入）
実施例１３          実施例１４（ＴＣ挿入）
実施例１５          実施例１６（ＴＣ挿入）
実施例１７          実施例１８（ＴＣ挿入）
【０２３９】
実施例については、説明の簡略化と比較の容易のために、マスター光学系の説明を行った後に、撮像光学系の説明を行っている。例えば、実施例１のマスター光学系の説明を行った後に、実施例２の撮像光学系の説明を行っている。
【０２４０】
フォーカス時のレンズ群の移動については、広角端、中間焦点距離状態、及び望遠端のいずれにおいも移動方向が同じ場合、記載を簡素にしている。例えば、実施例１では、「第４レンズ群Ｇ４は像側に移動する」と記載されている。これは、「第４レンズ群Ｇ４は、広角端、中間焦点距離状態、及び望遠端のいずれにおいても像側に移動する」、ということを意味している。
【０２４１】
実施例１は、マスター光学系の実施例である。マスター光学系は、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、負の屈折力を有する第５レンズ群Ｇ５と、正の屈折力を有する第６レンズ群Ｇ６と、で構成されている。開口絞りＳは、第３レンズ群Ｇ３中に配置されている。
【０２４２】
第１レンズ群Ｇ１と第２レンズ群Ｇ２とで、前側レンズ群が構成されている。第１レンズ群Ｇ１は第１前群で、第２レンズ群Ｇ２は第２前群である。第３レンズ群Ｇ３と第４レンズ群Ｇ４とで中間レンズ群が構成されている。第３レンズ群Ｇ３は第１中間群で、第４レンズ群Ｇ４は第２中間群である。第５レンズ群Ｇ５は移動レンズ群である。第６レンズ群Ｇ６は後側レンズ群である。
【０２４３】
第１レンズ群Ｇ１は、両凸正レンズＬ１と、物体側に凸面を向けた負メニスカスレンズＬ２と、物体側に凸面を向けた正メニスカスレンズＬ３と、で構成されている。ここで、負メニスカスレンズＬ２と正メニスカスレンズＬ３とが接合されている。
【０２４４】
第２レンズ群Ｇ２は、物体側に凸面を向けた負メニスカスレンズＬ４と、物体側に凸面を向けた正メニスカスレンズＬ５と、両凹負レンズＬ６と、で構成されている。ここで、負メニスカスレンズＬ４と正メニスカスレンズＬ５とが接合されている。
【０２４５】
第３レンズ群Ｇ３は、物体側に凸面を向けた正メニスカスレンズＬ７と、両凸正レンズＬ８と、両凹負レンズＬ９と、物体側に凸面を向けた負メニスカスレンズＬ１０と、物体側に凸面を向けた正メニスカスレンズＬ１１と、両凸正レンズＬ１２と、で構成されている。
【０２４６】
ここで、両凸正レンズＬ８と両凹負レンズＬ９とが接合されている。負メニスカスレンズＬ１０と正メニスカスレンズＬ１１とが接合されている。
【０２４７】
第４レンズ群Ｇ４は、物体側に凸面を向けた負メニスカスレンズＬ１３と、物体側に凸面を向けた正メニスカスレンズＬ１４と、で構成されている。ここで、負メニスカスレンズＬ１３と正メニスカスレンズＬ１４とが接合されている。
【０２４８】
第５レンズ群Ｇ５は、物体側に凸面を向けた負メニスカスレンズＬ１５で構成されている。
【０２４９】
第６レンズ群Ｇ６は、両凸正レンズＬ１６と、両凸正レンズＬ１７と、両凹負レンズＬ１８と、両凹負レンズＬ１９と、物体側に凸面を向けた正メニスカスレンズＬ２０と、両凸正レンズＬ２１と、両凹負レンズＬ２２と、で構成されている。
【０２５０】
ここで、両凸正レンズＬ１７と両凹負レンズＬ１８とが接合されている。両凸正レンズＬ２１と両凹負レンズＬ２２とが接合されている。
【０２５１】
広角端から望遠端へのズーム時、第１レンズ群Ｇ１、第３レンズ群Ｇ３、及び第６レンズ群Ｇ６は固定されている。第２レンズ群Ｇ２は像側に移動する。第４レンズ群Ｇ４は像側に移動した後、物体側に移動する。第５レンズ群Ｇ５は物体側に移動する。開口絞りＳは、第３レンズ群Ｇ３と共に固定されている。
【０２５２】
遠点から近点へのフォーカス時、第４レンズ群Ｇ４が像側に移動する。像ブレ補正時、両凸正レンズＬ１７、両凹負レンズＬ１８、及び両凹負レンズＬ１９が、光軸と垂直な方向に移動する。
【０２５３】
非球面は、両凸正レンズＬ１２の両面の合計２面に設けられている。
【０２５４】
実施例２は、撮像光学系の実施例である。実施例２の撮像光学系では、実施例１のマスター光学系の中に、テレコンバーターレンズが挿入されている。実施例１のマスター光学系と同じ構成については、説明を省略する。
【０２５５】
テレコンバーターレンズは、両凸正レンズＬ２１と、物体側に凸面を向けた負メニスカスレンズＬ２２と、両凹負レンズＬ２３と、両凸正レンズＬ２４と、両凹負レンズＬ２５と、両凸正レンズＬ２６と、で構成されている。ここで、両凹負レンズＬ２３、両凸正レンズＬ２４、及び両凹負レンズＬ２５が接合されている。
【０２５６】
両凸正レンズＬ２７は、実施例１のマスター光学系の両凸正レンズＬ２１に対応している。両凹負レンズＬ２８は、実施例１のマスター光学系の両凹負レンズＬ２２に対応している。
【０２５７】
実施例１のマスター光学系では、正メニスカスレンズＬ２０と両凸正レンズＬ２１との間に所定の空間が形成されている。実施例２の撮像光学系では、正メニスカスレンズＬ２０と両凸正レンズＬ２７との間に、テレコンバーターレンズが挿入されている。
【０２５８】
実施例３は、マスター光学系の実施例である。マスター光学系は、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、負の屈折力を有する第５レンズ群Ｇ５と、正の屈折力を有する第６レンズ群Ｇ６と、で構成されている。開口絞りＳは、第２レンズ群Ｇ２と第３レンズ群Ｇ３との間に配置されている。
【０２５９】
第１レンズ群Ｇ１と第２レンズ群Ｇ２とで、前側レンズ群が構成されている。第１レンズ群Ｇ１は第１前群で、第２レンズ群Ｇ２は第２前群である。第３レンズ群Ｇ３と第４レンズ群Ｇ４とで中間レンズ群が構成されている。第３レンズ群Ｇ３は第１中間群で、第４レンズ群Ｇ４は第２中間群である。第５レンズ群Ｇ５は移動レンズ群である。第６レンズ群Ｇ６は後側レンズ群である。
【０２６０】
第１レンズ群Ｇ１は、物体側に凸面を向けた正メニスカスレンズＬ１と、物体側に凸面を向けた負メニスカスレンズＬ２と、物体側に凸面を向けた正メニスカスレンズＬ３と、で構成されている。ここで、負メニスカスレンズＬ２と正メニスカスレンズＬ３とが接合されている。
【０２６１】
第２レンズ群Ｇ２は、像側に凸面を向けた正メニスカスレンズＬ４と、両凹負レンズＬ５と、物体側に凸面を向けた正メニスカスレンズＬ６と、両凹負レンズＬ７と、で構成されている。ここで、正メニスカスレンズＬ４、両凹負レンズＬ５、及び正メニスカスレンズＬ６が接合されている。
【０２６２】
第３レンズ群Ｇ３は、両凸正レンズＬ８と、両凹負レンズＬ９と、両凸正レンズＬ１０と、両凸正レンズＬ１１と、で構成されている。ここで、両凹負レンズＬ９と両凸正レンズＬ１０とが接合されている。
【０２６３】
第４レンズ群Ｇ４は、物体側に凸面を向けた負メニスカスレンズＬ１２と、物体側に凸面を向けた正メニスカスレンズＬ１３と、で構成されている。ここで、負メニスカスレンズＬ１２と正メニスカスレンズＬ１３とが接合されている。
【０２６４】
第５レンズ群Ｇ５は、物体側に凸面を向けた負メニスカスレンズＬ１４で構成されている。
【０２６５】
第６レンズ群Ｇ６は、像側に凸面を向けた正メニスカスレンズＬ１５と、両凸正レンズＬ１６と、両凹負レンズＬ１７と、両凹負レンズＬ１８と、物体側に凸面を向けた正メニスカスレンズＬ１９と、両凸正レンズＬ２０と、両凹負レンズＬ２１と、で構成されている。
【０２６６】
ここで、両凸正レンズＬ１６と両凹負レンズＬ１７とが接合されている。両凸正レンズＬ２０と両凹負レンズＬ２１とが接合されている。
【０２６７】
広角端から望遠端へのズーム時、第１レンズ群Ｇ１、第３レンズ群Ｇ３、及び第６レンズ群Ｇ６は固定されている。第２レンズ群Ｇ２は像側に移動する。第４レンズ群Ｇ４は像側に移動した後、物体側に移動する。第５レンズ群Ｇ５は物体側に移動した後、像側に移動する。開口絞りＳは、第３レンズ群Ｇ３と共に固定されている。
【０２６８】
遠点から近点へのフォーカス時、第４レンズ群Ｇ４と第５レンズ群Ｇ５が、共に像側に移動する。像ブレ補正時、両凸正レンズＬ１６、両凹負レンズＬ１７、及び両凹負レンズＬ１８が、光軸と垂直な方向に移動する。
【０２６９】
非球面は、両凸正レンズＬ８の両面の合計２面に設けられている。
【０２７０】
実施例４は、撮像光学系の実施例である。実施例４の撮像光学系では、実施例３のマスター光学系の中に、テレコンバーターレンズが挿入されている。実施例３のマスター光学系と同じ構成については、説明を省略する。
【０２７１】
テレコンバーターレンズは、物体側に凸面を向けた正メニスカスレンズＬ２０と、両凸正レンズＬ２１と、両凹負レンズＬ２２と、両凹負レンズＬ２３と、両凸正レンズＬ２４と、両凹負レンズＬ２５と、両凸正レンズＬ２６と、で構成されている。
【０２７２】
ここで、両凸正レンズＬ２１と両凹負レンズＬ２２とが接合されている。両凹負レンズＬ２３、両凸正レンズＬ２４、及び両凹負レンズＬ２５が接合されている。
【０２７３】
両凸正レンズＬ２７は、実施例３のマスター光学系の両凸正レンズＬ２０に対応している。両凹負レンズＬ２８は、実施例３のマスター光学系の両凹負レンズＬ２１に対応している。
【０２７４】
実施例３のマスター光学系では、正メニスカスレンズＬ１９と両凸正レンズＬ２０との間に所定の空間が形成されている。実施例４の撮像光学系では、正メニスカスレンズＬ１９と両凸正レンズＬ２７との間に、テレコンバーターレンズが挿入されている。
【０２７５】
実施例５は、マスター光学系の実施例である。マスター光学系は、物体側から順に、正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４と、負の屈折力を有する第５レンズ群Ｇ５と、正の屈折力を有する第６レンズ群Ｇ６と、で構成されている。開口絞りＳは、第３レンズ群Ｇ３と第４レンズ群Ｇ４との間に配置されている。
【０２７６】
第１レンズ群Ｇ１と第２レンズ群Ｇ２とで、前側レンズ群が構成されている。第１レンズ群Ｇ１は第１前群で、第２レンズ群Ｇ２は第２前群である。第３レンズ群Ｇ３、第４レンズ群Ｇ４、及び第５レンズ群Ｇ５で、中間レンズ群が構成されている。第３レンズ群Ｇ３と第４レンズ群Ｇ４とで第１中間群が構成されている。第３レンズ群Ｇ３は第１副群で、第４レンズ群Ｇ４は第２副群である。第５レンズ群Ｇ５は第２中間群である。第６レンズ群Ｇ６は後側レンズ群である。
【０２７７】
第１レンズ群Ｇ１は、両凸正レンズＬ１と、物体側に凸面を向けた負メニスカスレンズＬ２と、物体側に凸面を向けた正メニスカスレンズＬ３と、で構成されている。ここで、負メニスカスレンズＬ２と正メニスカスレンズＬ３とが接合されている。
【０２７８】
第２レンズ群Ｇ２は、物体側に凸面を向けた負メニスカスレンズＬ４と、物体側に凸面を向けた正メニスカスレンズＬ５と、両凹負レンズＬ６と、で構成されている。ここで、負メニスカスレンズＬ４と正メニスカスレンズＬ５とが接合されている。
【０２７９】
第３レンズ群Ｇ３は、両凸正レンズＬ７と、物体側に凸面を向けた正メニスカスレンズＬ８と、物体側に凸面を向けた負メニスカスレンズＬ９と、物体側に凸面を向けた正メニスカスレンズＬ１０と、で構成されている。ここで、負メニスカスレンズＬ９と正メニスカスレンズＬ１０とが接合されている。
【０２８０】
第４レンズ群Ｇ４は、両凸正レンズＬ１１と、像側に凸面を向けた負メニスカスレンズＬ１２と、で構成されている。ここで、両凸正レンズＬ１１と負メニスカスレンズＬ１２とが接合されている。
【０２８１】
第５レンズ群Ｇ５は、両凹負レンズＬ１３で構成されている。
【０２８２】
第６レンズ群Ｇ６は、像側に凸面を向けた正メニスカスレンズＬ１４と、両凹負レンズＬ１５と、両凹負レンズＬ１６と、両凸正レンズＬ１７と、両凸正レンズＬ１８と、像側に凸面を向けた負メニスカスレンズＬ１９と、両凸正レンズＬ２０と、両凹負レンズＬ２１と、で構成されている。
【０２８３】
ここで、正メニスカスレンズＬ１４と両凹負レンズＬ１５とが接合されている。両凸正レンズＬ１８と負メニスカスレンズＬ１９とが接合されている。両凸正レンズＬ２０と両凹負レンズＬ２１とが接合されている。
【０２８４】
広角端から望遠端へのズーム時、第１レンズ群Ｇ１と第６レンズ群Ｇ６は固定されている。第２レンズ群Ｇ２は像側に移動する。第３レンズ群Ｇ３、第４レンズ群Ｇ４、及び第５レンズ群Ｇ５は物体側に移動する。開口絞りＳは、第４レンズ群Ｇ４と共に移動する。
【０２８５】
遠点から近点へのフォーカス時、第５レンズ群Ｇ５が像側に移動する。像ブレ補正時、正メニスカスレンズＬ１４、両凹負レンズＬ１５、及び両凹負レンズＬ１６が、光軸と垂直な方向に移動する。
【０２８６】
実施例６は、撮像光学系の実施例である。実施例６の撮像光学系では、実施例５のマスター光学系の中に、テレコンバーターレンズが挿入されている。実施例５のマスター光学系と同じ構成については、説明を省略する。
【０２８７】
テレコンバーターレンズは、物体側に凸面を向けた正メニスカスレンズＬ２０と、物体側に凸面を向けた正メニスカスレンズＬ２１と、物体側に凸面を向けた負メニスカスレンズＬ２２と、物体側に凸面を向けた負メニスカスレンズＬ２３と、両凸正レンズＬ２４と、両凹負レンズＬ２５と、物体側に凸面を向けた正メニスカスレンズＬ２６と、で構成されている。
【０２８８】
ここで、正メニスカスレンズＬ２１と負メニスカスレンズＬ２２とが接合されている。負メニスカスレンズＬ２３、両凸正レンズＬ２４、及び両凹負レンズＬ２５が接合されている。
【０２８９】
両凸正レンズＬ２７は、実施例５のマスター光学系の両凸正レンズＬ２０に対応している。両凹負レンズＬ２８は、実施例５のマスター光学系の両凹負レンズＬ２１に対応している。
【０２９０】
実施例５のマスター光学系では、負メニスカスレンズＬ１９と両凸正レンズＬ２０との間に所定の空間が形成されている。実施例６の撮像光学系では、負メニスカスレンズＬ１９と両凸正レンズＬ２７との間に、テレコンバーターレンズが挿入されている。
【０２９１】
実施例７は、マスター光学系の実施例である。マスター光学系は、物体側から順に、正の屈折力を有する第１レンズ群Ｇ１と、負の屈折力を有する第２レンズ群Ｇ２と、負の屈折力を有する第３レンズ群Ｇ３と、正の屈折力を有する第４レンズ群Ｇ４と、負の屈折力を有する第５レンズ群Ｇ５と、負の屈折力を有する第６レンズ群Ｇ６と、正の屈折力を有する第７レンズ群Ｇ７と、で構成されている。開口絞りＳは、第４レンズ群Ｇ４と第５レンズ群Ｇ５との間に配置されている。
【０２９２】
第１レンズ群Ｇ１、第２レンズ群Ｇ２、及び第３レンズ群Ｇ３で、前側レンズ群が構成されている。第１レンズ群Ｇ１は第１前群で、第２レンズ群Ｇ２と第３レンズ群Ｇ３は第２前群である。第２レンズ群Ｇ２は第３副群で、第３レンズ群Ｇ３は第４副群である。第４レンズ群Ｇ４と第５レンズ群Ｇ５とで中間レンズ群が構成されている。第４レンズ群Ｇ４は第１中間群である。第５レンズ群Ｇ５は第２中間群である。第６レンズ群Ｇ６は移動レンズ群である。第７レンズ群Ｇ７は後側レンズ群である。
【０２９３】
第１レンズ群Ｇ１は、両凸正レンズＬ１と、物体側に凸面を向けた負メニスカスレンズＬ２と、物体側に凸面を向けた正メニスカスレンズＬ３と、で構成されている。ここで、負メニスカスレンズＬ２と正メニスカスレンズＬ３とが接合されている。
【０２９４】
第２レンズ群Ｇ２は、物体側に凸面を向けた負メニスカスレンズＬ４と、物体側に凸面を向けた正メニスカスレンズＬ５と、で構成されている。ここで、負メニスカスレンズＬ４と正メニスカスレンズＬ５とが接合されている。
【０２９５】
第３レンズ群Ｇ３は、両凹負レンズＬ６と、物体側に凸面を向けた正メニスカスレンズＬ７と、で構成されている。ここで、両凹負レンズＬ６と正メニスカスレンズＬ７とが接合されている。
【０２９６】
第４レンズ群Ｇ４は、両凸正レンズＬ８と、両凸正レンズＬ９と、両凹負レンズＬ１０と、像側に凸面を向けた負メニスカスレンズＬ１１と、物体側に凸面を向けた正メニスカスレンズＬ１２と、両凸正レンズＬ１３と、両凹負レンズＬ１４と、像側に凸面を向けた負メニスカスレンズＬ１５と、両凸正レンズＬ１６と、で構成されている。
【０２９７】
ここで、両凸正レンズＬ９と両凹負レンズＬ１０とが接合されている。負メニスカスレンズＬ１１と正メニスカスレンズＬ１２とが接合されている。両凸正レンズＬ１３と両凹負レンズＬ１４とが接合されている。
【０２９８】
第５レンズ群Ｇ５は、物体側に凸面を向けた負メニスカスレンズＬ１７と、物体側に凸面を向けた正メニスカスレンズＬ１８と、で構成されている。ここで、負メニスカスレンズＬ１７と正メニスカスレンズＬ１８が接合されている。
【０２９９】
第６レンズ群Ｇ６は、像側に凸面を向けた正メニスカスレンズＬ１９と、両凹負レンズＬ２０と、で構成されている。ここで、正メニスカスレンズＬ１９と両凹負レンズＬ２０とが接合されている。
【０３００】
第７レンズ群Ｇ７は、両凸正レンズＬ２１と、像側に凸面を向けた正メニスカスレンズＬ２２と、像側に凸面を向けた負メニスカスレンズＬ２３と、で構成されている。ここで、正メニスカスレンズＬ２２と負メニスカスレンズＬ２３とが接合されている。
【０３０１】
広角端から望遠端へのズーム時、第１レンズ群Ｇ１、第４レンズ群Ｇ４、及び第７レンズ群Ｇ７は固定されている。第２レンズ群Ｇ２と第３レンズ群Ｇ３は像側に移動する。第５レンズ群Ｇ５は像側に移動した後、物体側に移動する。第６レンズ群Ｇ６は物体側に移動した後、像側に移動する。開口絞りＳは、第４レンズ群Ｇ４と共に固定されている。
【０３０２】
遠点から近点へのフォーカス時、第５レンズ群Ｇ５が像側に移動する。像ブレ補正時、両凸正レンズＬ１３、両凹負レンズＬ１４、及び負メニスカスレンズＬ１５が、光軸と垂直な方向に移動する。
【０３０３】
非球面は、両凸正レンズＬ１６の両面の合計２面に設けられている。
【０３０４】
実施例８は、撮像光学系の実施例である。実施例８の撮像光学系では、実施例７のマスター光学系の中に、テレコンバーターレンズが挿入されている。実施例７のマスター光学系と同じ構成については、説明を省略する。
【０３０５】
テレコンバーターレンズは、両凸正レンズＬ２２と、物体側に凸面を向けた負メニスカスレンズＬ２３と、両凹負レンズＬ２４と、両凸正レンズＬ２５と、両凹負レンズＬ２６と、物体側に凸面を向けた正メニスカスレンズレンズＬ２７と、で構成されている。ここで、両凹負レンズＬ２４、両凸正レンズＬ２５、及び両凹負レンズＬ２６が接合されている。
【０３０６】
正メニスカスレンズＬ２８は、実施例７のマスター光学系の正メニスカスレンズＬ２２に対応している。負メニスカスレンズＬ２９は、実施例７のマスター光学系の負メニスカスレンズＬ２３に対応している。
【０３０７】
実施例７のマスター光学系では、両凸正レンズＬ２１と正メニスカスレンズＬ２２との間に所定の空間が形成されている。実施例８の撮像光学系では、両凸正レンズＬ２１と正メニスカスレンズＬ２８との間に、テレコンバーターレンズが挿入されている。
【０３０８】
実施例９は、マスター光学系の実施例である。マスター光学系は、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５と、で構成されている。開口絞りＳは、第３レンズ群Ｇ３中に配置されている。
【０３０９】
第１レンズ群Ｇ１と第２レンズ群Ｇ２とで、前側レンズ群が構成されている。第１レンズ群Ｇ１は第１前群で、第２レンズ群Ｇ２は第２前群である。第３レンズ群Ｇ３と第４レンズ群Ｇ４とで中間レンズ群が構成されている。第３レンズ群Ｇ３は第１中間群で、第４レンズ群Ｇ４は第２中間群である。第５レンズ群Ｇ５は後側レンズ群である。
【０３１０】
第１レンズ群Ｇ１は、両凸正レンズＬ１と、物体側に凸面を向けた負メニスカスレンズＬ２と、物体側に凸面を向けた正メニスカスレンズＬ３と、で構成されている。ここで、負メニスカスレンズＬ２と正メニスカスレンズＬ３とが接合されている。
【０３１１】
第２レンズ群Ｇ２は、物体側に凸面を向けた負メニスカスレンズＬ４と、物体側に凸面を向けた正メニスカスレンズＬ５と、両凹負レンズＬ６と、で構成されている。ここで、負メニスカスレンズＬ４と正メニスカスレンズＬ５とが接合されている。
【０３１２】
第３レンズ群Ｇ３は、物体側に凸面を向けた正メニスカスレンズＬ７と、両凸正レンズＬ８と、両凹負レンズＬ９と、物体側に凸面を向けた負メニスカスレンズＬ１０と、物体側に凸面を向けた正メニスカスレンズＬ１１と、両凸正レンズＬ１２と、で構成されている。
【０３１３】
ここで、両凸正レンズＬ８と両凹負レンズＬ９とが接合されている。負メニスカスレンズＬ１０と正メニスカスレンズＬ１１とが接合されている。
【０３１４】
第４レンズ群Ｇ４は、両凹負レンズＬ１３と、物体側に凸面を向けた正メニスカスレンズＬ１４と、で構成されている。ここで、両凹負レンズＬ１３と正メニスカスレンズＬ１４とが接合されている。
【０３１５】
第５レンズ群Ｇ５は、物体側に凸面を向けた負メニスカスレンズＬ１５と、両凸正レンズＬ１６と、両凸正レンズＬ１７と、両凹負レンズＬ１８と、両凹負レンズＬ１９と、両凸正レンズＬ２０と、両凸正レンズＬ２１と、両凹負レンズＬ２２と、で構成されている。
【０３１６】
ここで、両凸正レンズＬ１７と両凹負レンズＬ１８とが接合されている。両凸正レンズＬ２１と両凹負レンズＬ２２とが接合されている。
【０３１７】
広角端から望遠端へのズーム時、第１レンズ群Ｇ１と第５レンズ群Ｇ５は固定されている。第２レンズ群Ｇ２は像側に移動する。第３レンズ群Ｇ３と第４レンズ群Ｇ４は物体側に移動する。開口絞りＳは、第３レンズ群Ｇ３と共に移動する。
【０３１８】
遠点から近点へのフォーカス時、第４レンズ群Ｇ４が像側に移動する。像ブレ補正時、両凸正レンズＬ１７、両凹負レンズＬ１８、及び両凹負レンズＬ１９が、光軸と垂直な方向に移動する。
【０３１９】
非球面は、両凸正レンズＬ１２の両面の合計２面に設けられている。
【０３２０】
実施例１０は、撮像光学系の実施例である。実施例１０の撮像光学系では、実施例９のマスター光学系の中に、テレコンバーターレンズが挿入されている。実施例９のマスター光学系と同じ構成については、説明を省略する。
【０３２１】
テレコンバーターレンズは、両凸正レンズＬ２１と、物体側に凸面を向けた負メニスカスレンズＬ２２と、両凹負レンズＬ２３と、両凸正レンズＬ２４と、両凹負レンズＬ２５と、両凸正レンズＬ２６と、で構成されている。ここで、両凹負レンズＬ２３、両凸正レンズＬ２４、及び両凹負レンズＬ２５が接合されている。
【０３２２】
両凸正レンズＬ２７は、実施例９のマスター光学系の両凸正レンズＬ２１に対応している。両凹負レンズＬ２８は、実施例９のマスター光学系の両凹負レンズＬ２２に対応している。
【０３２３】
実施例９のマスター光学系では、両凸正レンズＬ２０と両凸正レンズＬ２１との間に所定の空間が形成されている。実施例１０の撮像光学系では、両凸正レンズＬ２０と両凸正レンズＬ２７との間に、テレコンバーターレンズが挿入されている。
【０３２４】
実施例１１は、マスター光学系の実施例である。マスター光学系は、物体側から順に、正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４と、で構成されている。開口絞りＳは、第４レンズ群Ｇ４中に配置されている。
【０３２５】
第１レンズ群Ｇ１は、物体側に凸面を向けた負メニスカスレンズＬ１と、両凸正レンズＬ２と、物体側に凸面を向けた正メニスカスレンズＬ３と、で構成されている。ここで、負メニスカスレンズＬ１と両凸正レンズＬ２とが接合されている。
【０３２６】
第２レンズ群Ｇ２は、両凸正レンズＬ４と、像側に凸面を向けた負メニスカスレンズＬ５と、両凹負レンズＬ６と、物体側に凸面を向けた正メニスカスレンズＬ７と、物体側に凸面を向けた負メニスカスレンズＬ８と、両凹負レンズＬ９と、で構成されている。ここで、両凸正レンズＬ４と負メニスカスレンズＬ５とが接合されている。両凹負レンズＬ６と正メニスカスレンズＬ７とが接合されている。
【０３２７】
第３レンズ群Ｇ３は、両凸正レンズＬ１０と、物体側に凸面を向けた負メニスカスレンズＬ１１と、両凸正レンズＬ１２と、で構成されている。ここで、負メニスカスレンズＬ１１と両凸正レンズＬ１２とが接合されている。
【０３２８】
第４レンズ群Ｇ４は、物体側に凸面を向けた正メニスカスレンズＬ１３と、物体側に凸面を向けた正メニスカスレンズＬ１４と、物体側に凸面を向けた負メニスカスレンズＬ１５と、両凹負レンズＬ１６と、像側に凸面を向けた正メニスカスレンズＬ１７と、両凸正レンズＬ１８と、両凹負レンズＬ１９と、両凸正レンズＬ２０と、像側に凸面を向けた負メニスカスレンズＬ２１と、で構成されている。
【０３２９】
ここで、正メニスカスレンズＬ１４と負メニスカスレンズＬ１５とが接合されている。両凸正レンズＬ２０と負メニスカスレンズＬ２１とが接合されている。
【０３３０】
広角端から望遠端へのズーム時、第１レンズ群Ｇ１と第４レンズ群Ｇ４は固定されている。第２レンズ群Ｇ２は像側に移動する。第３レンズ群Ｇ３は像側に移動した後、物体側に移動する。開口絞りＳは、第４レンズ群Ｇ４と共に固定されている。
【０３３１】
遠点から近点へのフォーカス時、第３レンズ群Ｇ３が像側に移動する。像ブレ補正時、正メニスカスレンズＬ１４、負メニスカスレンズＬ１５、及び両凹負レンズＬ１６が、光軸と垂直な方向に移動する。
【０３３２】
非球面は、両凸正レンズＬ１０の両面の合計２面に設けられている。
【０３３３】
実施例１２は、撮像光学系の実施例である。実施例１２の撮像光学系では、実施例１１のマスター光学系の中に、テレコンバーターレンズが挿入されている。実施例１１のマスター光学系と同じ構成については、説明を省略する。
【０３３４】
テレコンバーターレンズは、物体側に凸面を向けた正メニスカスレンズＬ２０と、両凸正レンズＬ２１と、両凹負レンズＬ２２と、両凹負レンズＬ２３と、両凸正レンズＬ２４と、両凹負レンズＬ２５と、両凸正レンズＬ２６と、両凹負レンズＬ２７と、で構成されている。
【０３３５】
ここで、両凸正レンズＬ２１と両凹負レンズＬ２２とが接合されている。両凹負レンズＬ２３、両凸正レンズＬ２４、及び両凹負レンズＬ２５が接合されている。両凸正レンズＬ２６と両凹負レンズＬ２７とが接合されている。
【０３３６】
両凸正レンズＬ２８は、実施例１１のマスター光学系の両凸正レンズＬ２０に対応している。負メニスカスレンズＬ２９は、実施例１１のマスター光学系の負メニスカスレンズＬ２１に対応している。
【０３３７】
実施例１１のマスター光学系では、両凹負レンズＬ１９と両凸正レンズＬ２０との間に所定の空間が形成されている。実施例１２の撮像光学系では、両凹負レンズＬ１９と両凸正レンズＬ２８との間に、テレコンバーターレンズが挿入されている。
【０３３８】
実施例１３は、マスター光学系の実施例である。マスター光学系は、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、負の屈折力を有する第５レンズ群Ｇ５と、正の屈折力を有する第６レンズ群Ｇ６と、で構成されている。開口絞りＳは、第２レンズ群Ｇ２と第３レンズ群Ｇ３との間に配置されている。
【０３３９】
第１レンズ群Ｇ１と第２レンズ群Ｇ２とで、前側レンズ群が構成されている。第１レンズ群Ｇ１は第１前群で、第２レンズ群Ｇ２は第２前群である。第３レンズ群Ｇ３と第４レンズ群Ｇ４とで中間レンズ群が構成されている。第３レンズ群Ｇ３は第１中間群で、第４レンズ群Ｇ４は第２中間群である。第５レンズ群Ｇ５は移動レンズ群である。第６レンズ群Ｇ６は後側レンズ群である。
【０３４０】
第１レンズ群Ｇ１は、物体側に凸面を向けた正メニスカスレンズＬ１と、物体側に凸面を向けた負メニスカスレンズＬ２と、物体側に凸面を向けた正メニスカスレンズＬ３と、で構成されている。ここで、負メニスカスレンズＬ２と正メニスカスレンズＬ３とが接合されている。
【０３４１】
第２レンズ群Ｇ２は、像側に凸面を向けた正メニスカスレンズＬ４と、両凹負レンズＬ５と、物体側に凸面を向けた正メニスカスレンズＬ６と、両凹負レンズＬ７と、で構成されている。ここで、正メニスカスレンズＬ４、両凹負レンズＬ５、及び正メニスカスレンズＬ６が接合されている。
【０３４２】
第３レンズ群Ｇ３は、両凸正レンズＬ８と、両凹負レンズＬ９と、両凸正レンズＬ１０と、両凸正レンズＬ１１と、で構成されている。ここで、両凹負レンズＬ９と両凸正レンズＬ１０とが接合されている。
【０３４３】
第４レンズ群Ｇ４は、物体側に凸面を向けた負メニスカスレンズＬ１２と、物体側に凸面を向けた正メニスカスレンズＬ１３と、で構成されている。ここで、負メニスカスレンズＬ１２と正メニスカスレンズＬ１３とが接合されている。
【０３４４】
第５レンズ群Ｇ５は、物体側に凸面を向けた負メニスカスレンズＬ１４で構成されている。
【０３４５】
第６レンズ群Ｇ６は、両凸正レンズＬ１５と、両凸正レンズＬ１６と、両凹負レンズＬ１７と、両凹負レンズＬ１８と、両凸正レンズＬ１９と、物体側に凸面を向けた正メニスカスレンズＬ２０と、物体側に凸面を向けた負メニスカスレンズＬ２１と、で構成されている。
【０３４６】
ここで、両凸正レンズＬ１６と両凹負レンズＬ１７とが接合されている。正メニスカスレンズＬ２０と負メニスカスレンズＬ２１とが接合されている。
【０３４７】
広角端から望遠端へのズーム時、第１レンズ群Ｇ１、第３レンズ群Ｇ３、及び第６レンズ群Ｇ６は固定されている。第２レンズ群Ｇ２は像側に移動する。第４レンズ群Ｇ４は像側に移動した後、物体側に移動する。第５レンズ群Ｇ５は物体側に移動する。開口絞りＳは、第３レンズ群Ｇ３と共に固定されている。
【０３４８】
遠点から近点へのフォーカス時、第４レンズ群Ｇ４と第５レンズ群Ｇ５が、共に像側に移動する。像ブレ補正時、両凸正レンズＬ１６、両凹負レンズＬ１７、及び両凹負レンズＬ１８が、光軸と垂直な方向に移動する。
【０３４９】
非球面は、両凸正レンズＬ８の両面と、負メニスカスレンズＬ１２の物体側面と、の合計３面に設けられている。
【０３５０】
実施例１４は、撮像光学系の実施例である。実施例１４の撮像光学系では、実施例１３のマスター光学系の中に、テレコンバーターレンズが挿入されている。実施例１３のマスター光学系と同じ構成については、説明を省略する。
【０３５１】
テレコンバーターレンズは、物体側に凸面を向けた正メニスカスレンズＬ２０と、両凸正レンズＬ２１と、両凹負レンズＬ２２と、物体側に凸面を向けた負メニスカスレンズＬ２３と、両凸正レンズＬ２４と、両凹負レンズＬ２５と、物体側に凸面を向けた正メニスカスレンズＬ２６と、で構成されている。
【０３５２】
ここで、両凸正レンズＬ２１と両凹負レンズＬ２２とが接合されている。負メニスカスレンズＬ２３、両凸正レンズＬ２４、及び両凹負レンズＬ２５が接合されている。
【０３５３】
正メニスカスレンズＬ２７は、実施例１３のマスター光学系の正メニスカスレンズＬ２０に対応している。負メニスカスレンズＬ２８は、実施例１３のマスター光学系の負メニスカスレンズＬ２１に対応している。
【０３５４】
実施例１３のマスター光学系では、両凸正レンズＬ１９と正メニスカスレンズＬ２０との間に所定の空間が形成されている。実施例１４の撮像光学系では、両凸正レンズＬ１９と正メニスカスレンズＬ２７との間に、テレコンバーターレンズが挿入されている。
【０３５５】
実施例１５は、マスター光学系の実施例である。マスター光学系は、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５と、で構成されている。開口絞りＳは、第３レンズ群Ｇ３中に配置されている。
【０３５６】
第１レンズ群Ｇ１と第２レンズ群Ｇ２とで、前側レンズ群が構成されている。第１レンズ群Ｇ１は第１前群で、第２レンズ群Ｇ２は第２前群である。第３レンズ群Ｇ３と第４レンズ群Ｇ４とで中間レンズ群が構成されている。第３レンズ群Ｇ３は第１中間群で、第４レンズ群Ｇ４は第２中間群である。第５レンズ群Ｇ５は後側レンズ群である。
【０３５７】
第１レンズ群Ｇ１は、両凸正レンズＬ１と、物体側に凸面を向けた負メニスカスレンズＬ２と、物体側に凸面を向けた正メニスカスレンズＬ３と、で構成されている。ここで、負メニスカスレンズＬ２と正メニスカスレンズＬ３とが接合されている。
【０３５８】
第２レンズ群Ｇ２は、物体側に凸面を向けた負メニスカスレンズＬ４と、物体側に凸面を向けた正メニスカスレンズＬ５と、両凹負レンズＬ６と、で構成されている。ここで、負メニスカスレンズＬ４と正メニスカスレンズＬ５とが接合されている。
【０３５９】
第３レンズ群Ｇ３は、物体側に凸面を向けた正メニスカスレンズＬ７と、両凸正レンズＬ８と、両凹負レンズＬ９と、物体側に凸面を向けた負メニスカスレンズＬ１０と、物体側に凸面を向けた正メニスカスレンズＬ１１と、両凸正レンズＬ１２と、で構成されている。
【０３６０】
ここで、両凸正レンズＬ８と両凹負レンズＬ９とが接合されている。負メニスカスレンズＬ１０と正メニスカスレンズＬ１１とが接合されている。
【０３６１】
第４レンズ群Ｇ４は、物体側に凸面を向けた負メニスカスレンズＬ１３と、物体側に凸面を向けた正メニスカスレンズＬ１４と、で構成されている。ここで、負メニスカスレンズＬ１３と正メニスカスレンズＬ１４とが接合されている。
【０３６２】
第５レンズ群Ｇ５は、両凹負レンズＬ１５と、両凸正レンズＬ１６と、像側に凸面を向けた正メニスカスレンズＬ１７と、両凹負レンズＬ１８と、両凹負レンズＬ１９と、両凸正レンズＬ２０と、両凸正レンズＬ２１と、両凹負レンズＬ２２と、で構成されている。
【０３６３】
ここで、正メニスカスレンズＬ１７と両凹負レンズＬ１８とが接合されている。両凸正レンズＬ２１と両凹負レンズＬ２２とが接合されている。
【０３６４】
広角端から望遠端へのズーム時、第１レンズ群Ｇ１、第３レンズ群Ｇ３、及び第４レンズ群Ｇ４は物体側に移動する。第２レンズ群Ｇ２は像側に移動する。第５レンズ群Ｇ５は固定されている。開口絞りＳは、第３レンズ群Ｇ３と共に移動する。
【０３６５】
遠点から近点へのフォーカス時、第４レンズ群Ｇ４が像側に移動する。像ブレ補正時、正メニスカスレンズＬ１７、両凹負レンズＬ１８、及び両凹負レンズＬ１９が、光軸と垂直な方向に移動する。
【０３６６】
非球面は、両凸正レンズＬ１２の両面の合計２面に設けられている。
【０３６７】
実施例１６は、撮像光学系の実施例である。実施例１６の撮像光学系では、実施例１５のマスター光学系の中に、テレコンバーターレンズが挿入されている。実施例１５のマスター光学系と同じ構成については、説明を省略する。
【０３６８】
テレコンバーターレンズは、両凸正レンズＬ２１と、物体側に凸面を向けた負メニスカスレンズＬ２２と、両凹負レンズＬ２３と、両凸正レンズＬ２４と、両凹負レンズＬ２５と、両凸正レンズＬ２６と、で構成されている。ここで、両凹負レンズＬ２３、両凸正レンズＬ２４、及び両凹負レンズＬ２５が接合されている。
【０３６９】
両凸正レンズＬ２７は、実施例１５のマスター光学系の両凸正レンズＬ２１に対応している。両凹負レンズＬ２８は、実施例１５のマスター光学系の両凹負レンズＬ２２に対応している。
【０３７０】
実施例１５のマスター光学系では、両凸正レンズＬ２０と両凸正レンズＬ２１との間に所定の空間が形成されている。実施例１６の撮像光学系では、両凸正レンズＬ２０と両凸正レンズＬ２７との間に、テレコンバーターレンズが挿入されている。
【０３７１】
実施例１７は、マスター光学系の実施例である。マスター光学系は、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、負の屈折力を有する第５レンズ群Ｇ５と、正の屈折力を有する第６レンズ群Ｇ６と、で構成されている。開口絞りＳは、第２レンズ群Ｇ２と第３レンズ群Ｇ３との間に配置されている。
【０３７２】
第１レンズ群Ｇ１と第２レンズ群Ｇ２とで、前側レンズ群が構成されている。第１レンズ群Ｇ１は第１前群で、第２レンズ群Ｇ２は第２前群である。第３レンズ群Ｇ３と第４レンズ群Ｇ４とで中間レンズ群が構成されている。第３レンズ群Ｇ３は第１中間群で、第４レンズ群Ｇ４は第２中間群である。第５レンズ群Ｇ５は移動レンズ群である。第６レンズ群Ｇ６は後側レンズ群である。
【０３７３】
第１レンズ群Ｇ１は、物体側に凸面を向けた正メニスカスレンズＬ１と、物体側に凸面を向けた負メニスカスレンズＬ２と、物体側に凸面を向けた正メニスカスレンズＬ３と、で構成されている。ここで、負メニスカスレンズＬ２と正メニスカスレンズＬ３とが接合されている。
【０３７４】
第２レンズ群Ｇ２は、像側に凸面を向けた正メニスカスレンズＬ４と、両凹負レンズＬ５と、物体側に凸面を向けた正メニスカスレンズＬ６と、両凹負レンズＬ７と、で構成されている。ここで、正メニスカスレンズＬ４、両凹負レンズＬ５、及び正メニスカスレンズＬ６が接合されている。
【０３７５】
第３レンズ群Ｇ３は、両凸正レンズＬ８と、両凹負レンズＬ９と、両凸正レンズＬ１０と、両凸正レンズＬ１１と、で構成されている。ここで、両凹負レンズＬ９と両凸正レンズＬ１０とが接合されている。
【０３７６】
第４レンズ群Ｇ４は、物体側に凸面を向けた負メニスカスレンズＬ１２と、物体側に凸面を向けた正メニスカスレンズＬ１３と、で構成されている。ここで、負メニスカスレンズＬ１２と正メニスカスレンズＬ１３とが接合されている。
【０３７７】
第５レンズ群Ｇ５は、物体側に凸面を向けた負メニスカスレンズＬ１４で構成されている。
【０３７８】
第６レンズ群Ｇ６は、物体側に凸面を向けた正メニスカスレンズＬ１５と、両凸正レンズＬ１６と、両凹負レンズＬ１７と、両凹負レンズＬ１８と、両凸正レンズＬ１９と、両凸正レンズＬ２０と、両凹負レンズＬ２１と、で構成されている。
【０３７９】
ここで、両凸正レンズＬ１６と両凹負レンズＬ１７とが接合されている。両凸正レンズＬ２０と両凹負レンズＬ２１とが接合されている。
【０３８０】
広角端から望遠端へのズーム時、第１レンズ群Ｇ１、第３レンズ群Ｇ３、及び第６レンズ群Ｇ６は固定されている。第２レンズ群Ｇ２は像側に移動する。第４レンズ群Ｇ４は像側に移動した後、物体側に移動する。第５レンズ群Ｇ５は物体側に移動した後、像側に移動する。開口絞りＳは、第３レンズ群Ｇ３と共に固定されている。
【０３８１】
遠点から近点へのフォーカス時、第４レンズ群Ｇ４が像側に移動する。像ブレ補正時、両凸正レンズＬ１６、両凹負レンズＬ１７、及び両凹負レンズＬ１８が、光軸と垂直な方向に移動する。
【０３８２】
非球面は、両凸正レンズＬ８の両面の合計２面に設けられている。
【０３８３】
実施例１８は、撮像光学系の実施例である。実施例１８の撮像光学系では、実施例１７のマスター光学系の中に、テレコンバーターレンズが挿入されている。実施例１７のマスター光学系と同じ構成については、説明を省略する。
【０３８４】
テレコンバーターレンズは、物体側に凸面を向けた負メニスカスレンズＬ２０と、物体側に凸面を向けた正メニスカスレンズ２１と、物体側に凸面を向けた正メニスカスレンズＬ２２と、物体側に凸面を向けた負メニスカスレンズＬ２３と、物体側に凸面を向けた負メニスカスレンズＬ２４と、両凸正レンズＬ２５と、両凹負レンズＬ２６と、で構成されている。
【０３８５】
ここで、負メニスカスレンズＬ２０と正メニスカスレンズ２１とが接合されている。正メニスカスレンズＬ２２と負メニスカスレンズＬ２３とが接合されている。負メニスカスレンズＬ２４、両凸正レンズＬ２５、及び両凹負レンズＬ２６が接合されている。
【０３８６】
両凸正レンズＬ２７は、実施例１７のマスター光学系の両凸正レンズＬ２０に対応している。両凹負レンズＬ２８は、実施例１７のマスター光学系の両凹負レンズＬ２１に対応している。
【０３８７】
実施例１７のマスター光学系では、両凸正レンズＬ１９と両凸正レンズＬ２０との間に所定の空間が形成されている。実施例１８の撮像光学系では、両凸正レンズＬ１９と両凸正レンズＬ２７との間に、テレコンバーターレンズが挿入されている。
【０３８８】
以下に、上記各実施例の数値データを示す。面データにおいて、ｒは各レンズ面の曲率半径、ｄは各レンズ面間の間隔、ｎｄは各レンズのｄ線の屈折率、νｄは各レンズのアッベ数、＊印は非球面である。
【０３８９】
また、ズームデータにおいて、ＯＢは物体までの距離、ｆは全系の焦点距離、ＦＮＯ．はＦナンバー、ωは半画角、ＢＦはバックフォーカス、ＬＴＬは光学系の全長、である。バックフォーカスは、最も像側のレンズ面から近軸像面までの距離を空気換算して表したものである。全長は、最も物体側のレンズ面から最も像側のレンズ面までの距離にバックフォーカスを加えたものである。ズームデータ１は、無限遠物点合焦時のデータ、ズームデータ２は、近距離物点合焦時のデータである。ＯＢの単位はｍ（メートル）である。
【０３９０】
また、非球面形状は、光軸方向をｚ、光軸に直交する方向をｙにとり、円錐係数をｋ、非球面係数をＡ４、Ａ６、Ａ８、Ａ１０、Ａ１２…としたとき、次の式で表される。
ｚ＝（ｙ2／ｒ）／［１＋｛１−（１＋ｋ）（ｙ／ｒ）2｝1/2］
＋Ａ４ｙ4＋Ａ６ｙ6＋Ａ８ｙ8＋Ａ１０ｙ10＋Ａ１２ｙ12＋…
また、非球面係数において、「e−ｎ」（ｎは整数）は、「１０−ｎ」を示している。
なお、これら諸元値の記号は後述の実施例の数値データにおいても共通である。
【０３９１】
数値実施例１
単位  ｍｍ
面データ
面番号         r          d         nd       νd
物面        ∞         ∞
1     181.127      8.85     1.48749    70.23
2    -947.805      0.40
3     133.128      3.00     1.72047    34.71
4      83.287     11.68     1.43875    94.66
5     443.733      可変
6     307.590      2.20     1.48749    70.23
7      42.617      7.50     1.84666    23.78
8      52.879      7.80
9    -104.850      1.80     1.72916    54.68
10     674.298      可変
11      54.532      7.08     1.74400    44.78
12    1357.445      0.50
13      31.270      9.06     1.49700    81.54
14    -380.692      2.00     1.73400    51.47
15      28.188      3.96
16      80.687      2.00     1.85478    24.80
17      39.283      5.01     1.49700    81.54
18      87.400      3.50
19(絞り)  ∞       10.40
20*     33.508      7.50     1.49700    81.54
21*    -75.978      可変
22     499.087      1.00     1.72916    54.68
23      25.389      2.00     1.85478    24.80
24      31.472      可変
25     169.917      1.20     1.75520    27.51
26      45.668      可変
27      45.738      4.20     1.51633    64.14
28     -58.203      3.00
29     140.081      2.80     1.85478    24.80
30     -69.350      1.00     1.59282    68.63
31      49.103      1.95
32     -86.784      1.00     1.77250    49.60
33      51.657      3.00
34      48.308      3.70     1.67300    38.15
35   15364.863     30.00
36      49.999      6.00     1.74951    35.33
37     -43.225      1.50     1.80810    22.76
38     105.758      可変
像面        ∞
非球面データ
第２０面
k=0.000
A4=-3.77264e-06,A6=-2.12851e-09,A8=-2.70099e-12
第２１面
k=0.000
A4=1.21904e-06,A6=-1.70217e-09,A8=-7.92292e-13
ズームデータ１
広角端     中間     望遠端
ｆ               152.04    238.52    389.53
ＦＮＯ．           4.55      4.55      4.55
２ω               8.15      5.19      3.18
ＢＦ(in air)      28.63     28.63     28.63
ＬＴＬ(in air)   318.47    318.47    318.47
d5          27.63     62.53     97.90
d10         71.76     36.87      1.50
d21         11.42     11.85      5.50
d24         19.27     17.86     23.30
d26          3.19      4.17      5.08
d38         28.63     28.63     28.63
ズームデータ２
広角端     中間     望遠端
ＯＢ        981.5     981.5     981.5
d5          27.63     62.53     97.90
d10         71.76     36.87      1.50
d21         14.58     19.51     25.03
d24         16.11     10.20      3.77
d26          3.19      4.17      5.08
d38         28.63     28.63     28.63
各群焦点距離
f1=231.10     f2=-74.79     f3=56.72    f4=-48.68
f5=-83.04     f6=72.15
【０３９２】
数値実施例２
単位  ｍｍ
面データ
面番号         r          d         nd       νd
物面        ∞         ∞
1     181.127      8.85     1.48749    70.23
2    -947.805      0.40
3     133.128      3.00     1.72047    34.71
4      83.287     11.68     1.43875    94.66
5     443.733      可変
6     307.590      2.20     1.48749    70.23
7      42.617      7.50     1.84666    23.78
8      52.879      7.80
9    -104.850      1.80     1.72916    54.68
10     674.298      可変
11      54.532      7.08     1.74400    44.78
12    1357.445      0.50
13      31.270      9.06     1.49700    81.54
14    -380.692      2.00     1.73400    51.47
15      28.188      3.96
16      80.687      2.00     1.85478    24.80
17      39.283      5.01     1.49700    81.54
18      87.400      3.50
19(絞り)  ∞       10.40
20*     33.508      7.50     1.49700    81.54
21*    -75.978      可変
22     499.087      1.00     1.72916    54.68
23      25.389      2.00     1.85478    24.80
24      31.472      可変
25     169.917      1.20     1.75520    27.51
26      45.668      可変
27      45.738      4.20     1.51633    64.14
28     -58.203      3.00
29     140.081      2.80     1.85478    24.80
30     -69.350      1.00     1.59282    68.63
31      49.103      1.95
32     -86.784      1.00     1.77250    49.60
33      51.657      3.00
34      48.308      3.70     1.67300    38.15
35   15364.863      3.98
36      16.111      5.52     1.48749    70.23
37     -84.774      0.43
38      52.118      1.02     1.49700    81.54
39      25.550      2.21
40     -98.115      0.90     1.88100    40.14
41      13.481      6.59     1.67300    38.15
42     -13.139      0.90     1.88100    40.14
43      22.295      1.36
44      33.953      2.93     1.73800    32.26
45     -89.590      4.15
46      49.999      6.00     1.74951    35.33
47     -43.225      1.50     1.80810    22.76
48     105.758      可変
像面        ∞
非球面データ
第２０面
k=0.000
A4=-3.77264e-06,A6=-2.12851e-09,A8=-2.70099e-12
第２１面
k=0.000
A4=1.21904e-06,A6=-1.70217e-09,A8=-7.92292e-13
ズームデータ１
広角端     中間     望遠端
ｆ               190.06    298.16    486.94
ＦＮＯ．           5.69      5.69      5.69
２ω               6.42      4.09      2.51
ＢＦ(in air)      28.63     28.63     28.63
ＬＴＬ(in air)   318.47    318.47    318.47
d5          27.63     62.53     97.90
d10         71.76     36.87      1.50
d21         11.42     11.85      5.50
d24         19.27     17.86     23.30
d26          3.19      4.17      5.08
d48         28.63     28.63     28.63
各群焦点距離
f1=231.10     f2=-74.79     f3=56.72    f4=-48.68
f5=-83.04     f6=91.13
【０３９３】
数値実施例３
単位  ｍｍ
面データ
面番号         r          d         nd       νd
物面        ∞         ∞
1     134.303     12.49     1.48749    70.23
2    4713.154      0.20
3     125.063      3.00     1.67300    38.15
4      70.036     16.94     1.43875    94.66
5     490.913      可変
6   -1224.194      3.76     1.84666    23.78
7     -96.069      1.60     1.48749    70.23
8      48.344      2.91     1.80610    33.27
9      61.926      7.34
10     -84.876      1.50     1.83481    42.71
11     163.805      可変
12(絞り)  ∞        1.80
13*     63.026      6.29     1.49700    81.54
14*   -118.473      2.99
15    -878.167      1.50     1.84666    23.78
16      83.578     10.13     1.59282    68.63
17    -116.921      0.20
18      66.106      7.19     1.49700    81.54
19     -56.691      可変
20     980.005      1.50     1.74320    49.29
21      21.425      2.95     1.80518    25.42
22      32.721      可変
23      52.574      1.40     1.77250    49.60
24      35.488      可変
25    -133.222      2.47     1.43875    94.66
26     -38.532      1.08
27      74.653      2.45     1.85478    24.80
28    -163.855      0.90     1.59282    68.63
29      40.205      2.06
30    -120.987      0.90     1.77250    49.60
31      54.572      5.78
32      40.338      3.03     1.62299    58.16
33     460.286     39.88
34      36.411      8.38     1.61293    37.00
35     -90.002      1.30     1.92286    20.88
36     103.304     可変
像面        ∞
非球面データ
第１３面
k=0.000
A4=-1.49186e-06,A6=3.68488e-09,A8=-6.55574e-12,A10=2.24053e-14
第１４面
k=0.000
A4=4.08165e-06,A6=4.62924e-09,A8=-6.75584e-12,A10=2.62846e-14
ズームデータ１
広角端     中間     望遠端
ｆ               151.86    244.31    392.63
ＦＮＯ．           4.57      4.57      4.57
２ω               8.22      5.11      3.17
ＢＦ(in air)      29.14     29.14     29.14
ＬＴＬ(in air)   313.98    313.98    313.98
d5          47.71     74.73    100.26
d11         55.34     28.32      2.79
d19          7.84      8.40      3.87
d22         14.96     11.03     16.05
d24          5.07      8.44      7.95
d36         29.14     29.14     29.14
ズームデータ２
広角端     中間     望遠端
ＯＢ        984.6     984.6     984.6
d5          47.71     74.73    100.26
d11         55.34     28.32      2.79
d19          9.99     13.82     17.81
d22         13.56      7.96      4.87
d24          4.32      6.10      5.19
d36         29.14     29.14     29.14
各群焦点距離
f1=210.01     f2=-54.84     f3=38.51    f4=-48.09
f5=-146.59    f6=137.14
【０３９４】
数値実施例４
単位  ｍｍ
面データ
面番号         r          d         nd       νd
物面        ∞         ∞
1     134.303     12.49     1.48749    70.23
2    4713.154      0.20
3     125.063      3.00     1.67300    38.15
4      70.036     16.94     1.43875    94.66
5     490.913      可変
6   -1224.194      3.76     1.84666    23.78
7     -96.069      1.60     1.48749    70.23
8      48.344      2.91     1.80610    33.27
9      61.926      7.34
10     -84.876      1.50     1.83481    42.71
11     163.805      可変
12(絞り)  ∞        1.80
13*     63.026      6.29     1.49700    81.54
14*   -118.473      2.99
15    -878.167      1.50     1.84666    23.78
16      83.578     10.13     1.59282    68.63
17    -116.921      0.20
18      66.106      7.19     1.49700    81.54
19     -56.691      可変
20     980.005      1.50     1.74320    49.29
21      21.425      2.95     1.80518    25.42
22      32.721      可変
23      52.574      1.40     1.77250    49.60
24      35.488      可変
25    -133.222      2.47     1.43875    94.66
26     -38.532      1.08
27      74.653      2.45     1.85478    24.80
28    -163.855      0.90     1.59282    68.63
29      40.205      2.06
30    -120.987      0.90     1.77250    49.60
31      54.572      5.78
32      40.338      3.03     1.62299    58.16
33     460.286      1.92
34      23.197      5.24     1.54072    47.23
35     296.376      0.30
36      25.397      4.64     1.60342    38.03
37   -1327.790      1.15     1.90366    31.32
38      17.767      9.85
39     -52.478      0.95     1.88300    40.76
40      15.554      6.40     1.72047    34.71
41     -19.970      0.95     1.88300    40.76
42      56.959      0.54
43      42.736      6.01     1.61340    44.27
44     -35.480      1.93
45      36.411      8.38     1.61293    37.00
46     -90.002      1.30     1.92286    20.88
47     103.304      可変
像面        ∞
非球面データ
第１３面
k=0.000
A4=-1.49186e-06,A6=3.68488e-09,A8=-6.55574e-12,A10=2.24053e-14
第１４面
k=0.000
A4=4.08165e-06,A6=4.62924e-09,A8=-6.75584e-12,A10=2.62846e-14
ズームデータ１
広角端     中間     望遠端
ｆ               189.70    305.19    490.47
ＦＮＯ．           5.71      5.71      5.71
２ω               6.50      4.04      2.51
ＢＦ(in air)      29.14     29.14     29.14
ＬＴＬ(in air)   313.99    313.99    313.99
d5          47.71     74.73    100.26
d11         55.34     28.32      2.79
d19          7.84      8.40      3.87
d22         14.96     11.03     16.05
d24          5.07      8.44      7.95
d47         29.14     29.14     29.14
各群焦点距離
f1=210.01    f2=-54.84     f3=38.51    f4=-48.09
f5=-146.59   f6=5336.99
【０３９５】
数値実施例５
単位  ｍｍ
面データ
面番号         r          d         nd       νd
物面        ∞         ∞
1     125.084     10.00     1.48749    70.23
2   -5323.708     11.64
3     108.564      3.00     1.65412    39.68
4      61.018     13.54     1.43875    94.66
5     401.982      可変
6     302.147      1.80     1.49700    81.54
7      33.099      4.32     1.84666    23.78
8      43.904     14.83
9     -70.516      1.55     1.67790    50.72
10     290.538      可変
11     211.364      5.50     1.49700    81.54
12    -128.471      0.30
13      45.364      6.70     1.49700    81.54
14     220.409      3.49
15      58.608      1.50     1.91082    35.25
16      29.036      8.70     1.49700    81.54
17     359.483      可変
18(絞り)  ∞        4.98
19      60.436      5.50     1.57135    52.95
20     -60.230      1.10     1.88300    40.76
21    -215.358      可変
22   -1463.883      1.00     1.71700    47.92
23      51.486      可変
24     -53.854      1.90     1.85478    24.80
25     -28.920      0.80     1.48749    70.23
26      47.015      2.03
27     -55.501      0.80     1.57250    57.74
28     130.815     13.43
29      65.955      4.50     1.53172    48.84
30     -50.967      0.30
31     101.308      4.10     1.58144    40.75
32     -41.429      1.00     2.00100    29.13
33    -108.065     36.40
34      58.068      5.99     1.60342    38.03
35     -37.000      1.20     2.00100    29.13
36     494.125      可変
像面        ∞
ズームデータ１
広角端     中間     望遠端
ｆ               152.13    243.54    389.77
ＦＮＯ．           4.56      4.56      4.56
２ω               8.06      5.02      3.14
ＢＦ(in air)      27.52     27.53     27.54
ＬＴＬ(in air)   318.07    318.08    318.10
d5          33.03     49.18     57.74
d10         57.20     30.89      2.51
d17          4.63     10.85     20.53
d21          8.11      5.78      1.80
d23         15.71     21.97     36.10
d36         27.52     27.53     27.54
ズームデータ２
広角端     中間     望遠端
ＯＢ         980.4     980.4     980.4
d5          33.03     49.18     57.74
d10         57.20     30.89      2.51
d17          4.63     10.85     20.53
d21         13.13     17.51     29.22
d23         10.68     10.25      8.67
d36         27.52     27.53     27.54
各群焦点距離
f1=184.02   f2=-51.87   f3=65.08   f4=118.98
f5=-69.35   f6=280.01
【０３９６】
数値実施例６
単位  ｍｍ
面データ
面番号         r          d         nd       νd
物面        ∞         ∞
1     125.084     10.00     1.48749    70.23
2   -5323.708     11.64
3     108.564      3.00     1.65412    39.68
4      61.018     13.54     1.43875    94.66
5     401.982      可変  
6     302.147      1.80     1.49700    81.54
7      33.099      4.32     1.84666    23.78
8      43.904     14.83
9     -70.516      1.55     1.67790    50.72
10     290.538      可変
11     211.364      5.50     1.49700    81.54
12    -128.471      0.30
13      45.364      6.70     1.49700    81.54
14     220.409      3.49
15      58.608      1.50     1.91082    35.25
16      29.036      8.70     1.49700    81.54
17     359.483      可変
18(絞り)  ∞        4.98
19      60.436      5.50     1.57135    52.95
20     -60.230      1.10     1.88300    40.76
21    -215.358      可変
22   -1463.883      1.00     1.71700    47.92
23      51.486      可変
24     -53.854      1.90     1.85478    24.80
25     -28.920      0.80     1.48749    70.23
26      47.015      2.03
27     -55.501      0.80     1.57250    57.74
28     130.815     13.43
29      65.955      4.50     1.53172    48.84
30     -50.967      0.30
31     101.308      4.10     1.58144    40.75
32     -41.429      1.00     2.00100    29.13
33    -108.065      3.18
34      17.484      4.20     1.51742    52.43
35      71.565      1.23
36      30.544      2.62     1.68893    31.07
37     222.321      0.90     1.85150    40.78
38      16.519      5.91
39      74.368      0.90     1.92286    20.88
40      10.175      7.90     1.75211    25.05
41     -14.669      0.90     1.91082    35.25
42      28.818      0.30
43      22.013      2.90     1.69895    30.13
44     267.121      5.47
45      58.068      5.99     1.60342    38.03
46     -37.000      1.20     2.00100    29.13
47     494.125      可変
像面        ∞
ズームデータ１
広角端     中間     望遠端
ｆ               190.19    304.50    487.46
ＦＮＯ．           5.72      5.72      5.72
２ω               6.42      4.00      2.50
ＢＦ(in air)      27.52     27.53     27.56
ＬＴＬ(in air)   318.08    318.09    318.12
d5          33.03     49.18     57.74
d10         57.20     30.89      2.51
d17          4.63     10.85     20.53
d21          8.11      5.78      1.80
d23         15.71     21.97     36.10
d47         27.52     27.53     27.56
各群焦点距離
f1=184.02   f2=-51.87   f3=65.08   f4=118.98
f5=-69.35   f6=-98.04
【０３９７】
数値実施例７
単位  ｍｍ
面データ
面番号         r          d         nd       νd
物面        ∞         ∞
1     154.683      9.03     1.48749    70.23
2   -2082.738      0.30
3     131.373      3.00     1.72047    34.71
4      77.338     12.73     1.43875    94.66
5     754.277      可変
6    9590.851      1.90     1.48749    70.23
7      38.397      6.70     1.84666    23.78
8      54.151      可変
9    -110.925      1.70     1.81600    46.62
10     133.812      3.00     1.80809    22.76
11     188.184      可変
12      80.864      6.73     1.74950    35.28
13    -206.590     10.45
14      49.089      7.94     1.49700    81.54
15     -90.388      1.80     1.80610    33.27
16      58.845      0.25
17      34.457     10.00     1.80810    22.76
18      21.652      6.50     1.43875    94.66
19     160.185      3.50
20      72.399      3.74     1.78800    47.37
21     -60.172      0.90     1.51823    58.90
22      29.035      7.32
23     -40.205      0.90     1.72916    54.68
24    -529.151      4.32
25*     28.004      8.63     1.58313    59.38
26*    -42.075      2.55
27(絞り)  ∞        可変
28     200.928      1.00     1.83481    42.73
29      21.638      2.00     1.85478    24.80
30      25.212      可変
31     -81.176      2.59     1.80610    33.27
32     -23.145      1.00     1.69680    55.53
33      39.116      可変
34      43.781      4.00     1.54814    45.79
35     -43.116     26.83
36     -57.501      4.60     1.74950    35.28
37     -20.495      1.30     1.80810    22.76
38     -36.814      可変
像面        ∞
非球面データ
第２５面
k=0.000
A4=-1.00822e-05,A6=-3.38389e-09,A8=-6.53625e-11,
A10=7.04643e-14
第２６面
k=0.000
A4=5.94989e-06,A6=-4.70284e-09,A8=-8.66496e-11,
A10=2.20225e-13
ズームデータ１
広角端     中間     望遠端
ｆ               152.03    238.49    389.51
ＦＮＯ．           4.55      4.55      4.55
２ω               8.13      5.18      3.17
ＢＦ(in air)      28.61     28.61     28.61
ＬＴＬ(in air)   318.46    318.46    318.46
d5          40.74     68.03     91.76
d8           6.64      8.58     11.78
d11         57.66     28.43      1.50
d27          3.36      5.50      2.70
d30         21.79     19.42     22.37
d33          2.44      2.67      2.52
d38         28.61     28.61     28.61
ズームデータ２
広角端     中間     望遠端
ＯＢ        979.4     979.4     979.4
d5          40.74     68.03     91.76
d8           6.64      8.58     11.78
d11         57.66     28.43      1.50
d27          6.42     12.90     20.95
d30         18.75     12.22      4.45
d33          2.43      2.48      2.20
d38         28.61     28.61     28.61
各群焦点距離
f1=212.45   f2=-175.54   f3=-84.80   f4=60.40
f5=-35.01   f6=-42.99    f7=39.55
【０３９８】
数値実施例８
単位  ｍｍ
面データ
面番号         r          d         nd       νd
物面        ∞         ∞
1     154.683      9.03     1.48749    70.23
2   -2082.738      0.30
3     131.373      3.00     1.72047    34.71
4      77.338     12.73     1.43875    94.66
5     754.277      可変
6    9590.851      1.90     1.48749    70.23
7      38.397      6.70     1.84666    23.78
8      54.151      可変
9    -110.925      1.70     1.81600    46.62
10     133.812      3.00     1.80809    22.76
11     188.184      可変
12      80.864      6.73     1.74950    35.28
13    -206.590     10.45
14      49.089      7.94     1.49700    81.54
15     -90.388      1.80     1.80610    33.27
16      58.845      0.25
17      34.457     10.00     1.80810    22.76
18      21.652      6.50     1.43875    94.66
19     160.185      3.50
20      72.399      3.74     1.78800    47.37
21     -60.172      0.90     1.51823    58.90
22      29.035      7.32
23     -40.205      0.90     1.72916    54.68
24    -529.151      4.32
25*     28.004      8.63     1.58313    59.38
26*    -42.075      2.55
27(絞り)  ∞        可変
28     200.928      1.00     1.83481    42.73
29      21.638      2.00     1.85478    24.80
30      25.212      可変
31     -81.176      2.59     1.80610    33.27
32     -23.145      1.00     1.69680    55.53
33      39.116      可変
34      43.781      4.00     1.54814    45.79
35     -43.116      2.30
36      16.297      5.19     1.48749    70.23
37     -95.148      0.20
38      53.892      1.00     1.49700    81.54
39      26.656      1.80
40    -602.828      0.90     1.88100    40.14
41      13.128      6.11     1.67300    38.15
42     -15.421      0.90     1.88100    40.14
43      16.292      0.51
44      18.200      3.20     1.68893    31.07
45     204.656      4.72
46     -57.501      4.60     1.74950    35.28
47     -20.495      1.30     1.80810    22.76
48     -36.814      可変
像面        ∞
非球面データ
第２５面
k=0.000
A4=-1.00822e-05,A6=-3.38389e-09,A8=-6.53625e-11,
A10=7.04643e-14
第２６面
k=0.000
A4=5.94989e-06,A6=-4.70284e-09,A8=-8.66496e-11,
A10=2.20225e-13
ズームデータ１
広角端     中間     望遠端
ｆ               190.00    298.05    486.79
ＦＮＯ．           5.69      5.69      5.69
２ω               6.41      4.08      2.50
ＢＦ(in air)      28.56     28.56     28.56
ＬＴＬ(in air)   318.41    318.41    318.41
d5          40.74     68.03     91.76
d8           6.64      8.58     11.78
d11         57.66     28.43      1.50
d27          3.36      5.50      2.70
d30         21.79     19.42     22.37
d33          2.44      2.67      2.52
d48         28.56     28.56     28.56
各群焦点距離
f1=212.45   f2=-175.54   f3=-84.80   f4=60.40
f5=-35.01   f6=-42.99    f7=38.05
【０３９９】
数値実施例９
単位  ｍｍ
面データ
面番号         r          d         nd       νd
物面        ∞         ∞
1     194.227      8.85     1.48749    70.23
2    -790.562      0.40
3     143.773      3.00     1.72047    34.71
4      87.588     11.84     1.43875    94.66
5     603.838      可変
6     595.030      2.50     1.48749    70.23
7      44.876      7.50     1.84666    23.78
8      59.624      6.41
9    -116.653      1.80     1.72916    54.68
10     365.411      可変
11      52.695      7.43     1.74400    44.78
12     859.060      0.75
13      32.120      9.26     1.49700    81.54
14    -338.501      2.00     1.73400    51.47
15      28.322      7.58
16      63.344      2.00     1.85478    24.80
17      33.798     10.00     1.49700    81.54
18      61.134      4.93
19(絞り)  ∞        4.00
20*     30.816      7.52     1.49700    81.54
21*    -72.746      可変
22   -2050.395      1.00     1.72916    54.68
23      31.112      2.00     1.85478    24.80
24      35.983      可変
25     323.835      1.20     1.75520    27.51
26      60.394      0.36
27      80.909      4.20     1.51633    64.14
28     -48.975      3.00
29     426.502      2.80     1.85478    24.80
30     -54.309      1.00     1.59282    68.63
31      46.430      2.29
32     -85.808      1.00     1.77250    49.60
33      50.295      3.00
34      50.867      3.70     1.67300    38.15
35    -183.323     31.56
36      39.283      6.00     1.73800    32.26
37     -63.358      1.50     1.80810    22.76
38      77.120      可変
像面        ∞
非球面データ
第２０面
k=0.000
A4=-4.31228e-06,A6=-3.97179e-09,A8=-5.30871e-12
第２１面
k=0.000
A4=1.69811e-06,A6=-4.09330e-09,A8=7.45483e-13
ズームデータ１
広角端     中間     望遠端
ｆ               153.00    240.01    392.01
ＦＮＯ．           4.58      4.58      4.58
２ω               8.13      5.17      3.17
ＢＦ(in air)      28.75     28.75     28.75
ＬＴＬ(in air)   318.60    318.60    318.60
d5          31.06     64.90     97.98
d10         71.94     36.96      1.50
d21         11.11     11.31      5.50
d24         13.35     14.30     22.49
d38         28.75     28.75     28.75
ズームデータ２
広角端     中間     望遠端
ＯＢ        980.0     980.0     980.0
d5          31.06     64.90     97.98
d10         71.94     36.96      1.50
d21         14.56     19.38     25.01
d24          9.91      6.24      2.98
d38         28.75     28.75     28.75
各群焦点距離
f1=235.13    f2=-76.45     f3=57.75    f4=-50.04
f5=208.43
【０４００】
数値実施例１０
単位  ｍｍ
面データ
面番号         r          d         nd       νd
物面        ∞         ∞
1     194.227      8.85     1.48749    70.23
2    -790.562      0.40
3     143.773      3.00     1.72047    34.71
4      87.588     11.84     1.43875    94.66
5     603.838      可変
6     595.030      2.50     1.48749    70.23
7      44.876      7.50     1.84666    23.78
8      59.624      6.41
9    -116.653      1.80     1.72916    54.68
10     365.411      可変
11      52.695      7.43     1.74400    44.78
12     859.060      0.75
13      32.120      9.26     1.49700    81.54
14    -338.501      2.00     1.73400    51.47
15      28.322      7.58
16      63.344      2.00     1.85478    24.80
17      33.798     10.00     1.49700    81.54
18      61.134      4.93
19(絞り)  ∞        4.00
20*     30.816      7.52     1.49700    81.54
21*    -72.746      可変
22   -2050.395      1.00     1.72916    54.68
23      31.112      2.00     1.85478    24.80
24      35.983      可変
25     323.835      1.20     1.75520    27.51
26      60.394      0.36
27      80.909      4.20     1.51633    64.14
28     -48.975      3.00
29     426.502      2.80     1.85478    24.80
30     -54.309      1.00     1.59282    68.63
31      46.430      2.29
32     -85.808      1.00     1.77250    49.60
33      50.295      3.00
34      50.867      3.70     1.67300    38.15
35    -183.323      5.26
36      15.080      5.91     1.48749    70.23
37     -66.979      0.21
38      53.422      0.90     1.49700    81.54
39      21.184      3.25
40     -38.458      0.90     1.88100    40.14
41      19.625      6.00     1.65412    39.68
42     -11.985      0.90     1.88100    40.14
43      21.480      0.82
44      29.898      3.20     1.73800    32.26
45     -37.992      4.20
46      39.283      6.00     1.73800    32.26
47     -63.358      1.50     1.80810    22.76
48      77.120      可変
像面        ∞
非球面データ
第２０面
k=0.000
A4=-4.31228e-06,A6=-3.97179e-09,A8=-5.30871e-12
第２１面
k=0.000
A4=1.69811e-06,A6=-4.09330e-09,A8=7.45483e-13
ズームデータ１
広角端     中間     望遠端
ｆ               191.06    299.72    489.52
ＦＮＯ．           5.72      5.72      5.72
２ω               6.39      4.07      2.49
ＢＦ(in air)      28.75     28.75     28.75
ＬＴＬ(in air)   318.60    318.60    318.60
d5          31.06     64.90     97.98
d10         71.94     36.96      1.50
d21         11.11     11.31      5.50
d24         13.35     14.30     22.49
d48         28.75     28.75     28.75
各群焦点距離
f1=235.13    f2=-76.45     f3=57.75    f4=-50.04
f5=-134.82
【０４０１】
数値実施例１１
単位  ｍｍ
面データ
面番号         r          d         nd       νd
物面        ∞         ∞
1     212.744      2.50     1.80610    33.27
2     105.176     13.30     1.43875    94.66
3    -430.512      0.30
4      98.328     11.00     1.49700    81.54
5    1296.115      可変
6    1294.917      5.20     1.90366    31.32
7     -61.847      1.50     1.69680    55.53
8    -329.996      2.84
9   -1144.889      1.50     1.69680    55.53
10      32.781      4.26     1.90366    31.32
11      79.252      4.21
12     299.599      1.50     1.83481    42.71
13      60.291      4.20
14     -40.073      1.50     1.80400    46.57
15     217.512      可変
16*     69.460      5.20     1.49700    81.54
17*   -104.254      0.30
18     193.223      1.40     1.90366    31.32
19      60.966      5.45     1.49700    81.54
20     -82.319      可変
21      33.173      6.96     1.59282    68.63
22     188.697      2.00
23(絞り)  ∞       15.94
24     160.026      1.30     1.92286    20.88
25     733.373      1.00     1.49700    81.54
26      32.631      1.82
27    -132.411      1.00     1.62280    57.05
28      50.178      3.50
29     -71.835      1.80     1.62299    58.16
30     -29.423      0.43
31      36.322      2.39     1.62299    58.16
32    -101.148      0.94
33     -30.113      1.00     1.80610    33.27
34      80.083     48.80
35      85.101      7.26     1.58144    40.75
36     -29.212      1.50     1.88300    40.76
37     -44.842      可変
像面        ∞
非球面データ
第１６面
k=0.000
A4=-4.43829e-07,A6=5.54012e-10,A8=7.07238e-13
第１７面
k=0.000
A4=1.10979e-06,A6=3.60298e-10,A8=1.21521e-12
ズームデータ１
広角端     中間     望遠端
ｆ               152.76    244.55    391.36
ＦＮＯ．           4.58      4.58      4.58
２ω               8.06      5.03      3.14
ＢＦ(in air)      27.52     27.52     27.52
ＬＴＬ(in air)   303.60    303.60    303.60
d5          47.19     71.14     84.39
d15         27.27     17.39      2.00
d20         37.82     23.74     25.88
d37         27.52     27.52     27.52
ズームデータ２
広角端     中間     望遠端
ＯＢ       1695.0    1695.0    1695.0
d5          47.19     71.14     84.39
d15         31.04     26.54     21.29
d20         34.04     14.60      6.59
d37         27.52     27.52     27.52
各群焦点距離
f1=167.38   f2=-30.44   f3=64.42   f4=110.78
【０４０２】
数値実施例１２
単位  ｍｍ
面データ
面番号         r          d         nd       νd
物面        ∞         ∞
1     212.744      2.50     1.80610    33.27
2     105.176     13.30     1.43875    94.66
3    -430.512      0.30
4      98.328     11.00     1.49700    81.54
5    1296.115      可変
6    1294.917      5.20     1.90366    31.32
7     -61.847      1.50     1.69680    55.53
8    -329.996      2.84
9   -1144.889      1.50     1.69680    55.53
10      32.781      4.26     1.90366    31.32
11      79.252      4.21
12     299.599      1.50     1.83481    42.71
13      60.291      4.20
14     -40.073      1.50     1.80400    46.57
15     217.512      可変
16*     69.460      5.20     1.49700    81.54
17*   -104.254      0.30
18     193.223      1.40     1.90366    31.32
19      60.966      5.45     1.49700    81.54
20     -82.319      可変
21      33.173      6.96     1.59282    68.63
22     188.697      2.00
23(絞り)  ∞       15.94
24     160.026      1.30     1.92286    20.88
25     733.373      1.00     1.49700    81.54
26      32.631      1.82
27    -132.411      1.00     1.62280    57.05
28      50.178      3.50
29     -71.835      1.80     1.62299    58.16
30     -29.423      0.43
31      36.322      2.39     1.62299    58.16
32    -101.148      0.94
33     -30.113      1.00     1.80610    33.27
34      80.083      2.00
35      24.000      2.40     1.51633    64.14
36     162.337      4.46
37      35.068      2.10     1.59270    35.31
38   -3789.975      1.00     1.88300    40.76
39      23.510     19.04
40   -1907.791      1.00     1.92286    20.88
41      18.891      5.00     1.75211    25.05
42     -19.241      1.00     1.85150    40.78
43      53.104      0.30
44      35.759      7.00     1.59270    35.31
45     -23.768      1.00     1.58313    59.38
46     510.633      2.50
47      85.101      7.26     1.58144    40.75
48     -29.212      1.50     1.88300    40.76
49     -44.842      可変
像面        ∞
非球面データ
第１６面
k=0.000
A4=-4.43829e-07,A6=5.54012e-10,A8=7.07238e-13
第１７面
k=0.000
A4=1.10979e-06,A6=3.60298e-10,A8=1.21521e-12
ズームデータ１
広角端     中間     望遠端
ｆ               213.88    342.39    547.93
ＦＮＯ．           6.42      6.42      6.42
２ω               5.73      3.58      2.24
ＢＦ(in air)      27.52     27.52     27.52
ＬＴＬ(in air)   303.60    303.60    303.60
d5          47.19     71.14     84.39
d15         27.27     17.39      2.00
d20         37.82     23.74     25.88
d49         27.52     27.52     27.52
各群焦点距離
f1=167.38   f2=-30.44   f3=64.42   f4=402.50
【０４０３】
数値実施例１３
単位  ｍｍ
面データ
面番号         r          d         nd       νd
物面        ∞         ∞
1     136.167     12.48     1.48749    70.23
2    4007.094      0.20
3     126.381      3.00     1.67300    38.15
4      70.832     17.39     1.43875    94.66
5     627.438      可変
6   -1128.152      3.17     1.84666    23.78
7     -89.953      1.60     1.48749    70.23
8      49.320      2.85     1.80610    33.27
9      61.759      4.93
10     -82.912      1.50     1.83481    42.71
11     155.228      可変
12(絞り)  ∞        1.80
13*     59.929      5.95     1.49700    81.54
14*   -150.255      1.98
15    -683.173      1.50     1.84666    23.78
16      83.039      9.43     1.59282    68.63
17    -106.121      0.20
18      66.462      7.65     1.49700    81.54
19     -53.205      可変
20*    982.456      1.50     1.74320    49.29
21      22.498      2.90     1.80518    25.42
22      33.932      可変
23     132.876      1.40     1.69680    55.53
24      45.457      可変
25     353.096      3.02     1.43875    94.66
26     -47.475      0.97
27     119.943      2.45     1.85478    24.80
28     -95.645      0.90     1.59282    68.63
29      49.369      1.86
30    -178.717      0.90     1.77250    49.60
31      54.524      2.69
32      43.898      3.18     1.69680    55.53
33    -835.837     39.38
34      33.810      4.69     1.67300    38.15
35     919.956      1.30     1.92286    20.88
36      48.339      可変
像面        ∞
非球面データ
第１３面
k=0.000
A4=-2.29861e-06,A6=-3.96906e-09,A8=1.22868e-11,
A10=-4.18684e-14
第１４面
k=0.000
A4=3.84772e-06,A6=-2.42464e-09,A8=1.17099e-11,
A10=-3.81267e-14
第２０面
k=-1.010
A4=-1.65301e-09,A6=4.65449e-10
ズームデータ１
広角端     中間     望遠端
ｆ               136.88    220.20    353.30
ＦＮＯ．           4.08      4.08      4.08
２ω               9.08      5.64      3.51
ＢＦ(in air)      30.03     30.03     30.03
ＬＴＬ(in air)   299.52    299.53    299.52
d5          46.28     73.12     98.52
d11         55.11     28.27      2.87
d19          6.77      7.51      3.61
d22         14.38     11.58     14.85
d24          4.18      6.24      6.86
d36         30.03     30.03     30.03
ズームデータ２
広角端     中間     望遠端
ＯＢ        999.1     999.1     999.1
d5          46.28     73.12     98.52
d11         55.11     28.27      2.87
d19          8.70     12.40     16.47
d22         13.19      9.09      5.62
d24          3.44      3.84      3.24
d36         30.03     30.03     30.03
各群焦点距離
f1=206.25    f2=-53.75     f3=37.76    f4=-49.82
f5=-99.82    f6=105.85
【０４０４】
数値実施例１４
単位  ｍｍ
面データ
面番号         r          d         nd       νd
物面        ∞         ∞
1     136.167     12.48     1.48749    70.23
2    4007.094      0.20
3     126.381      3.00     1.67300    38.15
4      70.832     17.39     1.43875    94.66
5     627.438      可変
6   -1128.152      3.17     1.84666    23.78
7     -89.953      1.60     1.48749    70.23
8      49.320      2.85     1.80610    33.27
9      61.759      4.93
10     -82.912      1.50     1.83481    42.71
11     155.228      可変
12(絞り)  ∞        1.80
13*     59.929      5.95     1.49700    81.54
14*   -150.255      1.98
15    -683.173      1.50     1.84666    23.78
16      83.039      9.43     1.59282    68.63
17    -106.121      0.20
18      66.462      7.65     1.49700    81.54
19     -53.205      可変
20*    982.456      1.50     1.74320    49.29
21      22.498      2.90     1.80518    25.42
22      33.932      可変
23     132.876      1.40     1.69680    55.53
24      45.457      可変
25     353.096      3.02     1.43875    94.66
26     -47.475      0.97
27     119.943      2.45     1.85478    24.80
28     -95.645      0.90     1.59282    68.63
29      49.369      1.86
30    -178.717      0.90     1.77250    49.60
31      54.524      2.69
32      43.898      3.18     1.69680    55.53
33    -835.837      1.65
34      21.620      5.24     1.54072    47.23
35     145.686      0.30
36      30.470      4.64     1.60342    38.03
37    -628.503      1.15     1.90366    31.32
38      19.203      9.85
39     141.283      0.95     1.88300    40.76
40      11.229      6.40     1.72047    34.71
41     -17.932      0.95     1.88300    40.76
42      29.070      0.54
43      23.622      6.01     1.61340    44.27
44     475.765      1.70
45      33.810      4.69     1.67300    38.15
46     919.956      1.30     1.92286    20.88
47      48.339      可変
像面        ∞
非球面データ
第１３面
k=0.000
A4=-2.29861e-06,A6=-3.96906e-09,A8=1.22868e-11,
A10=-4.18684e-14
第１４面
k=0.000
A4=3.84772e-06,A6=-2.42464e-09,A8=1.17099e-11,
A10=-3.81267e-14
第２０面
k=-1.010
A4=-1.65301e-09,A6=4.65449e-10
ズームデータ１
広角端     中間     望遠端
ｆ               192.94    310.41    498.00
ＦＮＯ．           5.74      5.75      5.74
２ω               6.35      3.94      2.46
ＢＦ(in air)      30.03     30.03     30.03
ＬＴＬ(in air)   299.52    299.53    299.52
d5          46.28     73.12     98.52
d11         55.11     28.27      2.87
d19          6.77      7.51      3.61
d22         14.38     11.58     14.85
d24          4.18      6.24      6.86
d47         30.03     30.03     30.03
各群焦点距離
f1=206.25    f2=-53.75     f3=37.76    f4=-49.82
f5=-99.82    f6=584.42
【０４０５】
数値実施例１５
単位  ｍｍ
面データ
面番号         r          d         nd       νd
物面        ∞         ∞
1     201.620      8.85     1.48749    70.23
2    -773.957      0.40
3     149.928      3.00     1.72047    34.71
4      89.527     11.59     1.43875    94.66
5     678.553      可変
6     369.960      2.20     1.48749    70.23
7      42.213      6.91     1.84666    23.78
8      56.569     12.45
9    -111.110      1.80     1.72916    54.68
10     416.091      可変
11      46.022      7.08     1.74400    44.78
12     241.991      1.33
13      32.132      9.27     1.49700    81.54
14    -272.923      2.01     1.73400    51.47
15      27.349      3.94
16      50.953      2.00     1.85478    24.80
17      30.906      4.97     1.49700    81.54
18      53.513      3.91
19(絞り)  ∞        4.00
20*     30.646     10.00     1.49700    81.54
21*    -74.277      可変
22     958.752      1.00     1.72916    54.68
23      32.782      2.00     1.85478    24.80
24      35.714      可変
25   -1485.787      1.22     1.75520    27.51
26      51.583      2.84
27      55.240      4.50     1.51633    64.14
28     -57.664      3.00
29    -367.327      2.80     1.85478    24.80
30     -55.187      1.00     1.59282    68.63
31      37.006      2.21
32    -106.091      1.00     1.77250    49.60
33      87.825      3.00
34      60.683      3.70     1.67300    38.15
35     -98.565     27.00
36      37.187      6.00     1.73800    32.26
37    -194.340      1.50     1.80810    22.76
38      76.125      可変
像面        ∞
非球面データ
第２０面
k=0.000
A4=-4.35494e-06,A6=-3.52224e-09,A8=2.85782e-12
第２１面
k=0.000
A4=1.94045e-06,A6=-2.72541e-09,A8=5.17297e-12
ズームデータ１
広角端     中間     望遠端
ｆ               141.99    239.97    392.01
ＦＮＯ．           4.58      4.58      4.58
２ω               8.77      5.18      3.17
ＢＦ(in air)      26.75     26.75     26.75
ＬＴＬ(in air)   271.60    315.60    321.60
d5          13.79     71.91    100.76
d10         48.78     33.26      1.50
d21         16.83     11.95      5.49
d24          6.98     13.24     28.62
d38         26.75     26.75     26.75
ズームデータ２
広角端     中間     望遠端
ＯＢ       1027.0    1027.0    1027.0
d5          13.79     71.91    100.76
d10         48.78     33.26      1.50
d21         20.83     21.14     24.99
d24          2.98      4.06      9.13
d38         26.75     26.75     26.75
各群焦点距離
f1=243.25   f2=-76.53   f3=54.72   f4=-52.04
f5=150.02
【０４０６】
数値実施例１６
単位  ｍｍ
面データ
面番号         r          d         nd       νd
物面        ∞         ∞
1     201.620      8.85     1.48749    70.23
2    -773.957      0.40
3     149.928      3.00     1.72047    34.71
4      89.527     11.59     1.43875    94.66
5     678.553      可変
6     369.960      2.20     1.48749    70.23
7      42.213      6.91     1.84666    23.78
8      56.569     12.45
9    -111.110      1.80     1.72916    54.68
10     416.091      可変
11      46.022      7.08     1.74400    44.78
12     241.991      1.33
13      32.132      9.27     1.49700    81.54
14    -272.923      2.01     1.73400    51.47
15      27.349      3.94
16      50.953      2.00     1.85478    24.80
17      30.906      4.97     1.49700    81.54
18      53.513      3.91
19(絞り)  ∞        4.00
20*     30.646     10.00     1.49700    81.54
21*    -74.277      可変
22     958.752      1.00     1.72916    54.68
23      32.782      2.00     1.85478    24.80
24      35.714      可変
25   -1485.787      1.22     1.75520    27.51
26      51.583      2.84
27      55.240      4.50     1.51633    64.14
28     -57.664      3.00
29    -367.327      2.80     1.85478    24.80
30     -55.187      1.00     1.59282    68.63
31      37.006      2.21
32    -106.091      1.00     1.77250    49.60
33      87.825      3.00
34      60.683      3.70     1.67300    38.15
35     -98.565      1.01
36      14.358      5.52     1.48749    70.23
37     -85.924      0.48
38      54.751      1.00     1.49700    81.54
39      21.673      3.23
40     -41.768      0.90     1.88100    40.14
41      14.240      6.15     1.67300    38.15
42     -11.684      0.90     1.88100    40.14
43      19.483      1.21
44      27.240      3.44     1.72047    34.71
45     -39.227      3.17
46      37.187      6.00     1.73800    32.26
47    -194.340      1.50     1.80810    22.76
48      76.125      可変
像面        ∞
非球面データ
第２０面
k=0.000
A4=-4.35494e-06,A6=-3.52224e-09,A8=2.85782e-12
第２１面
k=0.000
A4=1.94045e-06,A6=-2.72541e-09,A8=5.17297e-12
ズームデータ１
広角端     中間     望遠端
ｆ               179.40    303.19    495.28
ＦＮＯ．           5.79      5.79      5.79
２ω               6.80      4.02      2.46
ＢＦ(in air)      26.75     26.75     26.75
ＬＴＬ(in air)   271.60    315.60    321.60
d5          13.79     71.91    100.76
d10         48.78     33.26      1.50
d21         16.83     11.95      5.49
d24          6.98     13.24     28.62
d48         26.75     26.75     26.75
各群焦点距離
f1=243.25   f2=-76.53   f3=54.72   f4=-52.04
f5=-122.57
【０４０７】
数値実施例１７
単位  ｍｍ
面データ
面番号         r          d         nd       νd
物面        ∞         ∞
1     145.227     11.73     1.48749    70.23
2    2973.253      0.20
3     138.335      3.00     1.67300    38.26
4      75.845     16.95     1.43875    94.66
5     985.334      可変
6    -436.095      3.94     1.85478    24.80
7     -74.917      1.60     1.48749    70.23
8      49.184      2.84     1.80000    29.84
9      62.645      5.78
10     -71.980      1.50     1.83481    42.71
11     194.121      可変
12(絞り)  ∞        1.80
13*     70.532      5.97     1.49700    81.54
14*   -111.780      3.27
15    -638.347      1.50     1.84666    23.78
16     129.890      6.64     1.43875    94.66
17     -65.692      0.20
18      82.485     16.58     1.43875    94.66
19     -45.906      可変
20     183.146      1.10     1.77250    49.60
21      25.017      2.50     1.85478    24.80
22      36.540      可変
23      71.798      1.00     1.58144    40.75
24      26.976      可変
25      30.066      3.13     1.43875    94.66
26     327.127      1.89
27     205.926      2.45     1.85478    24.80
28     -49.304      0.90     1.59282    68.63
29      37.671      2.29
30     -77.012      0.90     1.77250    49.60
31      47.424      3.19
32      45.955      5.40     1.58313    59.38
33     -91.431     23.51
34      37.861      8.37     1.65412    39.68
35     -88.792      1.30     1.92286    20.88
36     138.592      可変
像面        ∞
非球面データ
第１３面
k=0.000
A4=-2.62615e-06,A6=5.45187e-09,A8=-1.06603e-11,
A10=2.59025e-14
第１４面
k=0.000
A4=2.98721e-06,A6=6.43178e-09,A8=-1.12044e-11,
A10=2.95382e-14
ズームデータ１
広角端     中間     望遠端
ｆ               152.25    244.93    393.11
ＦＮＯ．           4.58      4.58      4.58
２ω               8.21      5.10      3.17
ＢＦ(in air)      35.09     35.09     35.09
ＬＴＬ(in air)   318.40    318.41    318.43
d5          58.72     84.90    108.78
d11         52.89     26.77      2.63
d19          5.24      6.80      2.93
d22         22.95     20.29     24.71
d24          2.08      3.12      2.87
d36         35.09     35.09     35.09
各群焦点距離
f1=218.89    f2=-51.80     f3=40.89    f4=-64.11
f5=-74.93    f6=98.61
【０４０８】
数値実施例１８
単位  ｍｍ
面データ
面番号         r          d         nd       νd
物面        ∞         ∞
1     145.227     11.73     1.48749    70.23
2    2973.253      0.20
3     138.335      3.00     1.67300    38.26
4      75.845     16.95     1.43875    94.66
5     985.334      可変
6    -436.095      3.94     1.85478    24.80
7     -74.917      1.60     1.48749    70.23
8      49.184      2.84     1.80000    29.84
9      62.645      5.78
10     -71.980      1.50     1.83481    42.71
11     194.121      可変
12(絞り)  ∞        1.80
13*     70.532      5.97     1.49700    81.54
14*   -111.780      3.27
15    -638.347      1.50     1.84666    23.78
16     129.890      6.64     1.43875    94.66
17     -65.692      0.20
18      82.485     16.58     1.43875    94.66
19     -45.906      可変
20     183.146      1.10     1.77250    49.60
21      25.017      2.50     1.85478    24.80
22      36.540      可変
23      71.798      1.00     1.58144    40.75
24      26.976      可変
25      30.066      3.13     1.43875    94.66
26     327.127      1.89
27     205.926      2.45     1.85478    24.80
28     -49.304      0.90     1.59282    68.63
29      37.671      2.29
30     -77.012      0.90     1.77250    49.60
31      47.424      3.19
32      45.955      5.40     1.58313    59.38
33     -91.431      1.95
34      24.803      1.10     1.80810    22.76
35      20.700      4.18     1.51742    52.43
36     131.562      0.30
37      26.918      2.23     1.59270    35.31
38      45.737      1.00     1.91082    35.25
39      22.854      2.47
40      60.942      0.95     1.88300    40.76
41      15.909      6.40     1.72047    34.71
42     -23.982      0.95     1.80610    40.92
43      41.874      1.97
44      37.861      8.37     1.65412    39.68
45     -88.792      1.30     1.92286    20.88
46     138.592      可変
像面        ∞
非球面データ
第１３面
k=0.000
A4=-2.62615e-06,A6=5.45187e-09,A8=-1.06603e-11,
A10=2.59025e-14
第１４面
k=0.000
A4=2.98721e-06,A6=6.43178e-09,A8=-1.12044e-11,
A10=2.95382e-14
ズームデータ１
広角端     中間     望遠端
ｆ               189.93    305.55    490.39
ＦＮＯ．           5.71      5.71      5.71
２ω               6.45      4.01      2.50
ＢＦ(in air)      35.09     35.09     35.09
ＬＴＬ(in air)   318.40    318.41    318.43
d5          58.72     84.90    108.78
d11         52.89     26.77      2.63
d19          5.24      6.80      2.93
d22         22.95     20.29     24.71
d24          2.08      3.12      2.87
d46         35.09     35.09     35.09
各群焦点距離
f1=218.89    f2=-51.80     f3=40.89    f4=-64.11
f5=-74.93    f6=323.41
【０４０９】
次に、各実施例における条件式の値を以下に掲げる。-（ハイフン）は該当する構成がないことを示す。条件式（６’）の値は、条件式（６）の値と同じである。条件式（７’）についても同様である。
実施例１    実施例２    実施例３    実施例４
(1)LconT/LT           -          0.20         -          0.25
(2)LconT/FbT          -          2.17         -          2.64
(3)FbT/RtconR         -         -0.32         -         -0.82
(4)FbT/RtconF         -          1.78         -          1.26
(5)|fconLCObj
/fconLCM2|        -          2.44         -          2.49
(6)|fconLCOB
/fconLCB|         -          1.365        -          0.687
(7)(fT/FnoT)/LTC      -          3.912        -          2.385
(8)|ΔFbT|/FnoT       -          0.00         -          0.00
(9)LR12/LT            -          0.09         -          0.13
(10)ftconT/fT         -          1.25         -          1.25
(11)νdconLc1         -         70.23         -         47.23
(12)LTLL/LTLS         -          1.00         -          1.00
(13)KMBT             6.93         -          9.23         -
実施例５    実施例６    実施例７    実施例８
(1)LconT/LT           -          0.21         -          0.19
(2)LconT/FbT          -          2.47         -          2.06
(3)FbT/RtconR         -          0.10         -          0.14
(4)FbT/RtconF         -          1.58         -          1.76
(5)|fconLCObj
/fconLCM2|        -          2.07         -          2.61
(6)|fconLCOB
/fconLCB|         -          0.758        -          1.494
(7)(fT/FnoT)/LTC      -          3.077        -          4.321
(8)|ΔFbT|/FnoT       -          0.00         -          0.01
(9)LR12/LT            -          0.11         -          0.08
(10)ftconT/fT         -          1.25         -          1.25
(11)νdconLc1         -         52.43         -         70.23
(12)LTLL/LTLS         -          1.00         -          1.00
(13)KMBT             5.58         -          6.57         -
実施例９    実施例１０  実施例１１  実施例１２
(1)LconT/LT           -          0.20         -          0.27
(2)LconT/FbT          -          2.18         -          3.02
(3)FbT/RtconR         -         -0.76         -          0.05
(4)FbT/RtconF         -          1.91         -          1.15
(5)|fconLCObj
/fconLCM2|        -          2.69         -          1.71
(6)|fconLCOB
/fconLCB|         -          1.193        -          0.81
(7)(fT/FnoT)/LTC      -          3.875        -          1.927
(8)|ΔFbT|/FnoT       -          0.00         -          0.00
(9)LR12/LT            -          0.10         -          0.16
(10)ftconT/fT         -          1.25         -          1.40
(11)νdconLc1         -         70.23         -         64.14
(12)LTLL/LTLS         -          1.00         -          1.00
(13)KMBT             7.05         -           -           -
実施例１３  実施例１４  実施例１５  実施例１６
(1)LconT/LT           -          0.25         -          0.19
(2)LconT/FbT          -          2.46         -          2.25
(3)FbT/RtconR         -          0.06         -         -0.68
(4)FbT/RtconF         -          1.39         -          1.86
(5)|fconLCObj
/fconLCM2|        -          2.27         -          2.80
(6)|fconLCOB
/fconLCB|         -          1.057        -          1.234
(7)(fT/FnoT)/LTC      -          2.403        -          3.75
(8)|ΔFbT|/FnoT       -          0.00         -          0.00
(9)LR12/LT            -          0.13         -          0.08
(10)ftconT/fT         -          1.41         -          1.26
(11)νdconLc1         -         47.23         -         70.23
(12)LTLL/LTLS         -          1.00         -          1.18
(13)KMBT             7.96         -          6.97         -
実施例１７  実施例１８
(1)LconT/LT           -          0.21
(2)LconT/FbT          -          1.89
(3)FbT/RtconR         -          0.84
(4)FbT/RtconF         -          1.42
(5)|fconLCObj
/fconLCM2|        -          1.18
(6)|fconLCOB
/fconLCB|         -          1.182
(7)(fT/FnoT)/LTC      -          4.384
(8)|ΔFbT|/FnoT       -          0.00
(9)LR12/LT            -          0.07
(10)ftconT/fT         -          1.25
(11)νdconLc1         -         52.43
(12)LTLL/LTLS         -          1.00
(13)KMBT             6.87         -
【０４１０】
図３７は、電子撮像装置としての一眼ミラーレスカメラの断面図である。図３７において、一眼ミラーレスカメラ１の鏡筒内には撮影光学系２が配置される。マウント部３は、撮影光学系２を一眼ミラーレスカメラ１のボディに着脱可能とする。マウント部３としては、スクリュータイプのマウントやバヨネットタイプのマウント等が用いられる。この例では、バヨネットタイプのマウントを用いている。また、一眼ミラーレスカメラ１のボディには、撮像素子面４、バックモニタ５が配置されている。なお、撮像素子としては、小型のＣＣＤ又はＣＭＯＳ等が用いられている。
【０４１１】
そして、一眼ミラーレスカメラ１の撮影光学系２として、例えば上記実施例に示した撮像光学系が用いられる。
【０４１２】
図３８、図３９は、撮像装置の構成の概念図を示す。図３８は撮像装置としてのデジタルカメラ４０の前方斜視図、図３９は同後方斜視図である。このデジタルカメラ４０の撮影光学系４１に、本実施例の撮像光学系が用いられている。
【０４１３】
この実施形態のデジタルカメラ４０は、撮影用光路４２上に位置する撮影光学系４１、シャッターボタン４５、液晶表示モニター４７等を含み、デジタルカメラ４０の上部に配置されたシャッターボタン４５を押圧すると、それに連動して撮影光学系４１、例えば実施例１の撮像光学系を通して撮影が行われる。撮影光学系４１によって形成された物体像が、結像面近傍に設けられた撮像素子（光電変換面）上に形成される。この撮像素子で受光された物体像は、処理手段によって電子画像としてカメラ背面に設けられた液晶表示モニター４７に表示される。また、撮影された電子画像は記憶手段に記録することができる。
【０４１４】
図４０は、デジタルカメラ４０の主要部の内部回路を示すブロック図である。なお、以下の説明では、前述した処理手段は、例えばＣＤＳ／ＡＤＣ部２４、一時記憶メモリ１７、画像処理部１８等で構成され、記憶手段は、記憶媒体部１９等で構成される。
【０４１５】
図４０に示すように、デジタルカメラ４０は、操作部１２と、この操作部１２に接続された制御部１３と、この制御部１３の制御信号出力ポートにバス１４及び１５を介して接続された撮像駆動回路１６並びに一時記憶メモリ１７、画像処理部１８、記憶媒体部１９、表示部２０、及び設定情報記憶メモリ部２１を備えている。
【０４１６】
上記の一時記憶メモリ１７、画像処理部１８、記憶媒体部１９、表示部２０、及び設定情報記憶メモリ部２１は、バス２２を介して相互にデータの入力、出力が可能とされている。また、撮像駆動回路１６には、ＣＣＤ４９とＣＤＳ／ＡＤＣ部２４が接続されている。
【０４１７】
操作部１２は、各種の入力ボタンやスイッチを備え、これらを介して外部（カメラ使用者）から入力されるイベント情報を制御部１３に通知する。制御部１３は、例えばＣＰＵなどからなる中央演算処理装置であって、不図示のプログラムメモリを内蔵し、プログラ
ムメモリに格納されているプログラムにしたがって、デジタルカメラ４０全体を制御する。
【０４１８】
ＣＣＤ４９は、撮像駆動回路１６により駆動制御され、撮影光学系４１を介して形成された物体像の画素ごとの光量を電気信号に変換し、ＣＤＳ／ＡＤＣ部２４に出力する撮像素子である。
【０４１９】
ＣＤＳ／ＡＤＣ部２４は、ＣＣＤ４９から入力する電気信号を増幅し、かつ、アナログ／デジタル変換を行って、この増幅とデジタル変換を行っただけの映像生データ（ベイヤーデータ、以下ＲＡＷデータという。）を一時記憶メモリ１７に出力する回路である。
【０４２０】
一時記憶メモリ１７は、例えばＳＤＲＡＭ等からなるバッファであり、ＣＤＳ／ＡＤＣ部２４から出力されるＲＡＷデータを一時的に記憶するメモリ装置である。画像処理部１８は、一時記憶メモリ１７に記憶されたＲＡＷデータ又は記憶媒体部１９に記憶されているＲＡＷデータを読み出して、制御部１３にて指定された画質パラメータに基づいて歪曲収差補正を含む各種画像処理を電気的に行う回路である。
【０４２１】
記憶媒体部１９は、例えばフラッシュメモリ等からなるカード型又はスティック型の記録媒体を着脱自在に装着して、これらのフラッシュメモリに、一時記憶メモリ１７から転送されるＲＡＷデータや画像処理部１８で画像処理された画像データを記録して保持する。
【０４２２】
表示部２０は、液晶表示モニター４７などにて構成され、撮影したＲＡＷデータ、画像データや操作メニューなどを表示する。設定情報記憶メモリ部２１には、予め各種の画質パラメータが格納されているＲＯＭ部と、操作部１２の入力操作によってＲＯＭ部から読み出された画質パラメータを記憶するＲＡＭ部が備えられている。
【０４２３】
なお、本発明は、その趣旨を逸脱しない範囲で様々な変形例をとることができる。また、上記各実施例により示された形状枚数には必ずしも限定されない。また、各レンズ群内又は各レンズ群外に、上記各実施例に図示されていないレンズであって実質的に屈折力を有さないレンズを配置してもよい。
【産業上の利用可能性】
【０４２４】
以上のように、本発明は、安定性と機動性に優れると共に、収差が良好に補正された撮像光学系及びそれを備えた撮像装置に適している。
【符号の説明】
【０４２５】
Ｇ１  第１レンズ群
Ｇ２  第２レンズ群
Ｇ３  第３レンズ群
Ｇ４  第４レンズ群
Ｇ５  第５レンズ群
Ｇ６  第６レンズ群
Ｇ７  第７レンズ群
Ｓ  開口絞り
Ｉ  像面
１  一眼ミラーレスカメラ
２  撮影光学系
３  鏡筒のマウント部
４  撮像素子面
５  バックモニタ
１２  操作部
１３  制御部
１４、１５  バス
１６  撮像駆動回路
１７  一時記憶メモリ
１８  画像処理部
１９  記憶媒体部
２０  表示部
２１  設定情報記憶メモリ部
２２  バス
２４  ＣＤＳ／ＡＤＣ部
４０  デジタルカメラ
４１  撮影光学系
４２  撮影用光路
４５  シャッターボタン
４７  液晶表示モニター
４９  ＣＣＤ
【図１】
2019120746.tif 000003
【図２】
2019120746.tif 000004
【図３】
2019120746.tif 000005
【図４】
2019120746.tif 000006
【図５】
2019120746.tif 000007
【図６】
2019120746.tif 000008
【図７】
2019120746.tif 000009
【図８】
2019120746.tif 000010
【図９】
2019120746.tif 000011
【図１０】
2019120746.tif 000012
【図１１】
2019120746.tif 000013
【図１２】
2019120746.tif 000014
【図１３】
2019120746.tif 000015
【図１４】
2019120746.tif 000016
【図１５】
2019120746.tif 000017
【図１６】
2019120746.tif 000018
【図１７】
2019120746.tif 000019
【図１８】
2019120746.tif 000020
【図１９】
2019120746.tif 000021
【図２０】
2019120746.tif 000022
【図２１】
2019120746.tif 000023
【図２２】
2019120746.tif 000024
【図２３】
2019120746.tif 000025
【図２４】
2019120746.tif 000026
【図２５】
2019120746.tif 000027
【図２６】
2019120746.tif 000028
【図２７】
2019120746.tif 000029
【図２８】
2019120746.tif 000030
【図２９】
2019120746.tif 000031
【図３０】
2019120746.tif 000032
【図３１】
2019120746.tif 000033
【図３２】
2019120746.tif 000034
【図３３】
2019120746.tif 000035
【図３４】
2019120746.tif 000036
【図３５】
2019120746.tif 000037
【図３６】
2019120746.tif 000038
【図３７】
2019120746.tif 000039
【図３８】
2019120746.tif 000040
【図３９】
2019120746.tif 000041
【図４０】
2019120746.tif 000042